(57)【要約】  本発明の実施形態は、人間又は動物の毛髪をほぐすヘアブラシに関連する。ある実施形態では、ヘアブラシは、毛の高さが実質的に不規則で、ヘアブラシ上での位置とは実質的に独立している植毛領域を有する。ある実施形態では、前記植毛領域において、毛幅、及び／又は毛材は毛それぞれにおいて、例えば、位置に対しては実質的に不規則にばらつき、及び／又は毛の高さに相関してばらつく。
2013507199.tif 000002
【特許請求の範囲】
【請求項１】
毛保持面と、前記毛保持面に個々に植設された少なくとも100本の毛を有する植毛領域とを有しており、毛の高さは、実質的に不規則に互いに異なり、かつ前記毛保持面における毛の位置から実質的に独立するヘアブラシであって、前記植毛領域は、
(i)少なくとも5つの高さが有意に互いに異なる高さ特性と、
(ii)前記毛のそれぞれが少なくとも0．5mmの幅を有する幅特性と、
(iii)前記毛のうち少なくとも60％が丸い端部を有する毛端部特性と、
を有するヘアブラシ。
【請求項２】
毛保持面と、前記毛保持面に個々に植設された少なくとも100本の毛を有する植毛領域とを有しており、前記植毛領域の毛の端部にて規定される先端部面は、ふぞろいにかつ実質的に不規則に形成されるヘアブラシであって、前記植毛領域は、
(i)少なくとも5つの高さが有意に互いに異なる高さ特性と、
(ii)前記毛のそれぞれが少なくとも0．5mmの幅を有する幅特性と、
(iii)前記毛のうち少なくとも60％が丸い端部を有する毛端部特性と、
を有するヘアブラシ。
【請求項３】
毛保持面と前記毛保持に個々に植設された少なくとも100本の毛を有する植毛領域とを有するヘアブラシであって、前記植毛領域の平均高さはHEIGHT＿AVGとして定義され、前記植毛領域の高さ標準偏差はHEIGHT＿SDとして定義され、植毛領域が高さ特性、幅特性、及び毛端部特性を有しており、
(i)前記幅特性に基づき、前記毛のそれぞれが少なくとも0．5mmの幅を有し、
(ii)前記毛端部特性に基づき、前記領域内の毛のうち少なくとも60％が丸い端部を有し、
(iii)前記高さ特性に基づいて、
A)前記植毛領域が有意に互いに異なる少なくとも5つの高さを有しており、
B)前記植毛領域は、前記植毛領域の合計の毛の本数のうち少なくとも10％である本数を有する少なくとも1つの高さ外れ値部分(HOS)を有しており、前記高さ外れ値部分HOSは、
C)高さがHEIGHT_AVGとHEIGHT＿SDとの合計を上回る毛からなる非常に丈のある毛(VTB)の部分と
D)高さがHEIGHT＿AVGとHEIGHT＿SDとの差異を下回る毛からなる非常に丈のない毛(VSB)の部分からなる群から選択されており、
植毛領域全体への植設と少なくとも1つの高さ外れ値部分HOSへの植設との対比ができるように、かつ、前記植毛領域の毛全体が実質的に一定の密度にて前記毛保持面における特定区域SAに植設される一方で、前記高さ外れ値部分HOSの毛が前記特定区域SA内のふぞろいで非周期的な位置に散在するように、前記植毛領域の毛は前記毛保持面に個々に植設されるヘアブラシ。
【請求項４】
請求項1〜3の何れか1つに記載のヘアブラシであって、
i)前記植毛領域はさらに、毛幅標準偏差と毛幅平均との比率が少なくとも0．07となり、平均して、前記領域内の丈のある毛が丈のない毛よりも太くなるように前記植毛領域の毛に対して、毛の高さと毛の太さとの正相関がある幅のばらつき特性を有しており、
ii)前記植毛領域の毛はそれぞれが、毛保持面の対応する局所平面に対して実質的に垂直に植設されるヘアブラシ。
【請求項５】
請求項4に記載のヘアブラシであって、前記植毛領域の毛が実質的に一定の密度で毛保持面に植設されるヘアブラシ。
【請求項６】
請求項5に記載のヘアブラシであって、前記植毛領域の高さの範囲は、実質的に約3．5mm〜約16mmであるヘアブラシ。
【請求項７】
請求項4に記載のヘアブラシであって、前記植毛領域の毛は、実質的に、少なくとも4本の毛／cm2である一定の密度で毛保持面に植設されるヘアブラシ。
【請求項８】
請求項7に記載のヘアブラシであって、前記植毛領域の高さの範囲は、実質的に約3．5mm〜約16mmであるヘアブラシ。
【請求項９】
請求項1〜3の何れか1つに記載のヘアブラシであって、前記植毛領域はさらに、毛幅標準偏差と毛幅平均との比率が少なくとも0．07であり、前記植毛領域の毛に対して毛の高さと毛の太さとの正相関があり、平均して、前記植毛領域内の丈のある毛が丈のない毛よりも太くなるような幅のばらつき特性を有するヘアブラシ。
【請求項１０】
請求項1〜3、又は9の何れか1つに記載のヘアブラシであって、前記植毛領域の毛がそれぞれ前記毛保持面における対応する局所平面に対して実質的に垂直に植設されるヘアブラシ。
【請求項１１】
請求項1〜3、9、10の何れか1つに記載のヘアブラシであって、前記植毛領域の毛は、少なくとも4本の毛／cm2である実質的に一定の密度で植設されるヘアブラシ。
【請求項１２】
請求項1〜3、8〜11の何れか1つに記載のヘアブラシであって、前記植毛領域の高さの範囲は、実質的に約3．5mm〜約16mmであるヘアブラシ。
【請求項１３】
請求項1〜12の何れか1つに記載のヘアブラシであって、前記植毛領域の高さ標準偏差と平均高さとの比率は少なくとも0．075であるヘアブラシ。
【請求項１４】
請求項1〜14の何れか1つに記載のヘアブラシであって、前記領域の平均の毛の太さは、0．85mmを上回るヘアブラシ。
【請求項１５】
請求項1〜14の何れか1つに記載のヘアブラシであって、前記領域の毛の平均高さは、少なくとも約8．5mmであるヘアブラシ。
【請求項１５】
請求項1〜15の何れか1つに記載のヘアブラシであって、前記植毛領域の毛は多くとも12本の毛／cm2である密度にて植設されるヘアブラシ。
【請求項１６】
請求項1〜16の何れか1つに記載のヘアブラシであって、前記植毛領域の毛の平均高さは8mm〜14mmであるヘアブラシ。
【請求項１７】
請求項1〜16の何れか1つに記載のヘアブラシであって、前記植毛領域が特定区域内に設けられており、
i)前記毛のうち少なくとも80％が一定の格子上に実質的に存在し、
ii)前記領域の毛のうち少なくとも2％が前記格子から離れた位置に存在するヘアブラシ。
【請求項１８】
請求項1〜17の何れか1つに記載のヘアブラシであって、前記領域の毛は実質的に互いに平行になるように植設されるヘアブラシ。
【請求項１９】
請求項1〜18の何れか1つに記載のヘアブラシであって、
i)前記植毛領域の平均高さはHEIGHT＿AVGとして定義され、前記植毛領域の高さ標準偏差はHEIGHT＿SDとして定義され、
ii)前記植毛領域は、毛の高さがHEIGHT＿AVGとHEIGHT＿SDとの差異を下回る非常に丈のない毛(VSB)である毛部分を含み、
iii)前記毛の非常に丈のない毛(VSB)である毛部分の毛の大部分が少なくとも5mmである高さ、及び／又は少なくとも0．33＊HEIGHT＿AVGである高さを有するヘアブラシ。
【請求項２０】
請求項1〜19の何れか1つに記載のヘアブラシであって、前記植毛領域の毛のうち少なくとも10％が5mm〜9mmである高さを有しており、毛のうち少なくとも25％が9mm〜13mmである高さを有しており、毛のうち少なくとも10％が13mm〜18mmである高さを有するヘアブラシ。
【請求項２１】
請求項1〜20の何れか1つに記載のヘアブラシであって、
i)前記植毛領域のそれぞれの毛bは、最近接毛間距離と関連づけられており、前記最近接毛間距離は、毛bと、前記植毛領域の他のどの毛よりも前記毛bの近くに位置する前記植毛領域の別の毛bCLOSESTとの間の最短距離d CLOSEST (b)（=距離(b、bCLOSEST)）を示しており、これによって、前記植毛領域のそれぞれの毛bと前記最短距離d CLOSEST (b)との1対1のマッピングを確立して数字のセット(前記植毛領域の前記最短距離d CLOSEST (b)から構成されるCLOSEST＿BRISTLE＿DISTANCE)を形成し、
ii)数字のセットCLOSEST＿BRISTLE＿DISTANCEの標準偏差と数字のセットCLOSEST＿BRISTLE＿DISTANCEの平均値とのSD／AVGの比率は、多くとも0．25であるヘアブラシ。
【請求項２２】
請求項21に記載のヘアブラシであって、SD／AVGの比率は、多くとも0．2であるヘアブラシ。
【請求項２３】
請求項21〜22の何れか1つに記載のヘアブラシであって、前記SD／AVGの比率は、少なくとも0．075であるヘアブラシ。
【請求項２４】
請求項21〜22の何れか1つに記載のヘアブラシであって、SD／AVGの比率は、少なくとも0．1であるヘアブラシ。
【請求項２５】
請求項1〜24の何れか1つに記載のヘアブラシであって、
i)前記植毛領域のそれぞれの毛bは、最近接毛間距離と関連づけられており、前記最近接毛間距離は、毛bと、前記植毛領域の他のどの毛よりも前記毛bの近くに位置する前記植毛領域の別の毛bCLOSESTとの最短距離d CLOSEST (b) (=距離(b、bCLOSEST))を示し、これによって、前記植毛領域のそれぞれの毛bと最短距離d CLOSEST (b)との1対1のマッピングを確立して数字のセット(前記植毛領域の前記最短距離d CLOSEST (b)からなるCLOSEST＿BRISTLE＿DISTANCE)を形成して、
ii)濃度がCLOSEST＿BRISTLE＿DISTANCEの濃度の50％〜95％であるCLOSEST＿BRISTLE＿DISTANCEの第1部分の値は、すべて代表的な最短距離値RCDVに多くとも10％の許容誤差内で同等であり、
iii)濃度が少なくともCLOSEST＿BRISTLE＿DISTANCEの濃度の少なくとも10％であるCLOSEST＿BRISTLE＿DISTANCEの第2部分の値は、前記代表値RCDVからすべて少なくとも15％逸脱した最短距離値と関連づけられているヘアブラシ。
【請求項２６】
請求項1〜25の何れか1つに記載のヘアブラシであって、毛はプラスチックにて構成されるヘアブラシ。
【請求項２７】
請求項1〜27の何れか1つに記載のヘアブラシであって、
i)前記植毛領域は、前記毛保持表面の特定区域SA内に設けられた内側植毛領域であり、
ii)ヘアブラシはさらに、前記特定区域SAの毛の外側で、前記特定区域の外周上に実質的に前記特定区域SAを囲むようにして設けられた外側植毛領域を有しており、
iii)前記外側植毛領域は、
A)前記内側領域の本数の少なくとも15％である毛の本数と、
B)前記内側領域の毛の平均高さの多くとも30％である毛の平均高さと、
の特性を有するヘアブラシ。
【請求項２８】
請求項1〜27の何れか1つに記載のヘアブラシであって、前記植毛領域の毛のうち少なくとも80％は、少なくとも6mmの高さであり、多くとも18mmの高さを有するヘアブラシ。
【請求項２９】
請求項1〜28の何れか1つに記載のヘアブラシであって、
i)前記特定区域内に植設された毛の大部分は、実質的に規則的な格子上に配された位置に設けられ、
ii)前記毛のうち少なくとも2％の少数部分は、前記規則的な格子にて規定される位置から離れている格子外位置に設けられるヘアブラシ。
【請求項３０】
請求項1〜29の何れか1つに記載のヘアブラシであって、前記毛保持面は実質的に円筒状であるヘアブラシ。
【請求項３１】
請求項1〜30の何れか1つに記載のヘアブラシであって、前記毛保持面は実質的に円筒状であるヘアブラシ。
【請求項３２】
請求項1〜31の何れか1つに記載のヘアブラシであって、前記植毛領域の毛の大部分において、毛の長さと毛幅との比率は少なくとも3であるヘアブラシ。
【請求項３３】
請求項1〜32の何れか1つに記載のヘアブラシであって、植毛領域の毛の大部分において、毛の長さと毛幅との比率は多くとも20であるヘアブラシ。
【請求項３４】
請求項1〜33の何れか1つに記載のヘアブラシであって、前記植毛領域の毛の大部分において、毛の長さと毛幅との比率は、少なくとも5であり、多くとも10であるヘアブラシ。
【請求項３５】
請求項1〜34の何れか1つに記載のヘアブラシであって、前記植毛領域の毛のうち少なくとも80％の高さは、少なくとも6mmであるヘアブラシ。
【請求項３６】
請求項1〜35の何れか1つに記載のヘアブラシであって、植毛領域の毛のうち少なくとも80％の高さは、多くとも20mmであるヘアブラシ。
【請求項３６】
請求項1〜35の何れか1つに記載のヘアブラシであって、高さ標準偏差と平均高さとの比率は、少なくとも0．075であるヘアブラシ。
【請求項３７】
請求項1〜36の何れか1つに記載のヘアブラシであって、前記内側領域の毛のうち少なくとも80％の太さは、少なくとも0．7mmであるヘアブラシ。
【請求項３８】
請求項1〜8の何れか1つに記載のヘアブラシであって、内側領域の毛のうち少なくとも80％の太さは、少なくとも0．85mmであるヘアブラシ。
【請求項３９】
請求項1〜9の何れか1つに記載のヘアブラシであって、内側領域の毛のうち少なくとも80％の太さが少なくとも0．75mm、及び／又は多くとも2．5mmであるヘアブラシ。
【請求項４０】
請求項1に記載のヘアブラシであって、
i)前記植毛領域はさらに、毛幅標準偏差と毛幅平均との比率は、少なくとも0．07であり、前記植毛領域の毛において、平均して、前記領域の丈のある毛は、丈のない毛よりも太くなるような毛の高さと毛の太さとに正相関がある幅のばらつき特性を有しており、
ii)前記植毛領域の毛はそれぞれ毛保持面の対応する局所平面に対して実質的に垂直に植設されるヘアブラシ。
【請求項４１】
請求項40に記載のヘアブラシであって、前記植毛領域の毛は実質的に一定の密度で毛保持面に植設されるヘアブラシ。
【請求項４２】
請求項42に記載のヘアブラシであって、前記植毛領域の高さの範囲は、実質的に約3．5mm〜約16mmであるヘアブラシ。
【請求項４３】
請求項40に記載のヘアブラシであって、前記植毛領域の毛は、少なくとも4本の毛／cm2である実質的に一定の密度で毛保持面に植設されるヘアブラシ。
【請求項４４】
請求項43に記載のヘアブラシであって、前記植毛領域の毛は実質的に一定の密度で毛保持面に植設されるヘアブラシ。
【請求項４５】
請求項43に記載のヘアブラシであって、前記植毛領域の高さの範囲は、実質的に約3．5mm〜約16mmであるヘアブラシ。
【請求項４６】
請求項40に記載のヘアブラシであって、前記植毛領域はさらに、毛幅標準偏差と毛幅平均との比率が少なくとも0．07であり、前記植毛領域の毛において、平均して、前記植毛領域内の丈のある毛は丈のない毛よりも太くなるような毛の高さと毛の太さとに正相関がある幅のばらつき特性を有するヘアブラシ。
【請求項４７】
毛保持面と、前記毛保持面に植設された少なくとも100本の毛を有する植毛領域とを有し、前記毛の幅は、実質的に不規則にばらつき、前記毛保持面における前記毛の位置からは実質的に独立しているヘアブラシであって、前記植毛領域は、
(i)少なくとも5つの高さが有意に互いに異なる高さ特性と、
(ii)毛幅標準偏差と毛幅平均との比率が少なくとも0．07である幅のばらつき特性と、
(iii)前記植毛領域の毛のうち少なくとも80％が少なくとも0．5mmの幅を有する幅特性と、
(iv)前記毛のうち少なくとも60％が丸い端部を有する毛端部特性とを有するヘアブラシ。
【請求項４８】
請求項47に記載のヘアブラシであって、前記植毛領域の毛において、平均して、前記領域の丈のある毛が丈のない毛よりも太くなるような毛の高さと毛の太さとに正相関があるヘアブラシ。
【請求項４９】
請求項47に記載のヘアブラシであって、前記植毛領域の毛が、それぞれ前記毛保持面の対応する局所平面に対して実質的に垂直に植設されるヘアブラシ。
【請求項５０】
請求項48に記載のヘアブラシであって、前記植毛領域の毛が、それぞれ前記毛保持面の対応する局所平面に対して実質的に垂直に植設されるヘアブラシ。
【請求項５１】
請求項47〜50の何れか1つに記載のヘアブラシであって、前記毛のうち少なくとも80％が5mm〜20mmの高さを有するヘアブラシ。
【請求項５２】
請求項51に記載のヘアブラシであって、前記植毛領域の高さ標準偏差と平均高さとの比率が少なくとも0．075であるヘアブラシ。
【請求項５３】
請求項47〜50の何れか1つに記載のヘアブラシであって、前記領域における平均の毛の太さが0．85mmを上回るヘアブラシ。
【請求項５４】
請求項47〜50の何れか1つに記載のヘアブラシであって、前記領域における毛のうち少なくとも80％が1mm〜2mmの太さを有するヘアブラシ。
【請求項５５】
請求項47〜50の何れか1つに記載のヘアブラシであって、毛幅標準偏差と毛幅平均との比率は、少なくとも0．12であるヘアブラシ。
【請求項５６】
請求項47〜55の何れか1つに記載のヘアブラシであって、前記植毛領域の毛の大部分において、毛の長さと毛幅との比率は、少なくとも5であり、多くとも10であるヘアブラシ。
【請求項５７】
ヘアブラシ毛保持面とa植毛領域少なくとも100本の毛に配備されている毛保持面ように：
i)の前記領域の毛のうち少なくとも80％が持っている高さ9ミリメートル〜13ミリメートル、つまり、
ii)1前記植毛領域の高さ標準偏差と平均高さとの比率で少なくとも0．075 
iii)毛の少なくとも20％は高さ9ミリメートル〜13ミリメートルを持っている
iv)1毛の密度のために前?領域で少なくとも3本の毛／平方センチメートルと多くとも20本の毛／cm2の
少なくとも1任意のベクトルvのv)は、Wordの長さのために、3と4から成るグループから選択されたマッピング物理的特性、つまり高さは、2mmと外側である近傍を席巻する環の内側の半径のために半径1近傍では、時計回りの順序方向に対して、12ミリメートルである環を定義して実質的に共線性毛許容誤差は20度、少なくとも1大部分つまり少なくとも植毛の50％領域の毛であるメンバーの40−セットつまり、サブセット前の?植毛領域Nは1，2，3，4および5から成るグループから選択される整数であり、様々なレベルNを持つ40人を有する。
【請求項５８】
ヘアブラシ毛保持面とa植毛領域少なくとも100本の毛に配備されている毛保持面ように：
i)の前記領域の毛のうち少なくとも80％が持っている高さ9ミリメートル〜13ミリメートル、つまり、
ii)1前記植毛領域の高さ標準偏差と平均高さとの比率少なくとも0．075である。
iii)毛の少なくとも20％は高さ9ミリメートル〜13ミリメートルを持っている
iv)1毛の密度のために前?領域で少なくとも3本の毛／平方センチメートルと多くとも20本の毛／cm2の
マッピング物理的特性高さは、2mmと近傍の定義環の外側の半径である近傍を席巻する環の内側の半径のためのものであることのために長さ4のWord用の少なくとも1任意のベクトルvのv)を、そのために実質的に共線性毛許容誤差が20度である、少なくとも1大部分その植毛の少なくとも50％である領域の毛40のメンバーである、時計回りの順序方向に対して、12ミリメートルである−セットそのあるサブセットの前?植毛領域少なくともレベル2、様々なを持っている40人を有する。
【請求項５９】
?求?57〜58の何れか1つに記載のヘアブラシであって、1毛幅標準偏差と毛幅平均との比率のために前?植毛領域少なくとも0．07である。
【請求項６０】
?求?57〜59の何れか1つに記載のヘアブラシであって、前記植毛領域の高さ標準偏差と平均高さとの比率少なくとも0．012である。
【請求項６１】
ヘアブラシ毛保持面とa植毛領域少なくとも100本の毛に配備されている毛保持面ように：
i)は、前記領域の毛のうち少なくとも80％は高さ9mmですそれを持っている〜13ミリメートル。
ii)1前記植毛領域の高さ標準偏差と平均高さとの比率で少なくとも0．075 
iii)毛の少なくとも20％は高さ9ミリメートル〜13ミリメートルを持っている
iv)1毛の密度のために前?領域で少なくとも3本の毛／平方センチメートルと多くとも20本の毛／cm2の
v)の1毛幅標準偏差と毛幅平均との比率のために前?植毛領域少なくとも0．07である。
少なくとも1任意のベクトルvのVI)、Wordの長さのために、3と4から成るグループから選択されたマッピング物理的特性幅／太さ、2mmです近傍を席巻する環の内側の半径のためにされていること、および実質的に共線性毛許容誤差20であること度、少なくとも1大部分植毛領域の毛の少なくとも50％であるそのために時計回り方向の順序のために12ミリメートルである近傍の定義環、外側の半径セットは、サブセット前の?植毛領域Nは1，2，3，4および5から成るグループから選択される整数であり、様々なレベルNを持つ40人を持って−40のメンバーである
【請求項６２】
ヘアブラシ毛保持面とa植毛領域少なくとも100本の毛に配備されている毛保持面ように：
i)の前記領域の毛のうち少なくとも80％が持っている高さ9ミリメートル〜13ミリメートル、つまり、
ii)1前記植毛領域の高さ標準偏差と平均高さとの比率少なくとも0．075である。
iii)毛の少なくとも20％は高さ9ミリメートル〜13ミリメートルを持っている
iv)1毛の密度のために前?領域で少なくとも3本の毛／平方センチメートルと多くとも20本の毛／cm2の
v)の1毛幅標準偏差と毛幅平均との比率のために前?植毛領域少なくとも0．07である。
マッピング物理的特性幅／太さ、2mmと近傍の外側の半径である近傍を席巻する環の内側の半径のためのものですそのために長さ4のWord用の少なくとも1任意のベクトルvのVI)、−のために実質的に共線性毛許容誤差が20度である、少なくとも1大部分その植毛の少なくとも50％である領域の毛40のメンバーである、時計回りの順序方向に対して、12ミリメートルである環を定義するセットでそのサブセットの前?植毛領域少なくともレベル2、様々なを持っている40人を有する。
【請求項６３】
?求?61〜62の何れか1つに記載のヘアブラシであって、1毛幅標準偏差と毛幅平均との比率のために前?植毛領域少なくとも0．1である。
【請求項６４】
?求?57〜63の何れか1つに記載のヘアブラシであって、大部分で1実質的に大部分少なくとも70％であること。
【請求項６５】
?求?57〜63の何れか1つに記載のヘアブラシであって、大部分で1実質的に大部分少なくとも90％であること。
【請求項６６】
?求?57〜65の何れか1つに記載のヘアブラシであって、前?植毛領域少なくとも150を含み、本の毛。
【請求項６７】
?求?57〜65の何れか1つに記載のヘアブラシであって、前?植毛領域少なくとも200を含む本の毛。
【請求項６８】
?求?57〜65の何れか1つに記載のヘアブラシであって、前?植毛領域少なくとも250を含み、本の毛。
【請求項６９】
?求?57〜68の何れか1つに記載のヘアブラシであって、毛の少なくとも60％が持っている丸い端部。
【請求項７０】
?求?57〜69の何れか1つに記載のヘアブラシであって、本の前記植毛領域の毛それぞれ配置されている実質的に垂直に1毛保持面の対応する局所平面。
【請求項７１】
?求?57〜70の何れか1つに記載のヘアブラシであって、本の前記植毛領域の毛展開されている実質的に一定の密度で毛保持面に。
【請求項７２】
?求?57〜72の何れか1つに記載のヘアブラシであって、本の前記植毛領域の毛展開されている个々に植設されたの毛保持面。
【請求項７３】
ヘアブラシ毛保持面と、前記毛保持面に個々に植設された少なくとも100本の毛を有する植毛領域とを有しており、そのような：
i)の前記領域の毛のうち少なくとも80％が持っている高さ9ミリメートル〜13ミリメートル、つまり、
ii)1前記植毛領域の高さ標準偏差と平均高さとの比率少なくとも0．075である。
iii)毛の少なくとも20％は高さ9ミリメートル〜13ミリメートルを持っている
iv)1毛の密度のために前?領域で少なくとも3本の毛／平方センチメートルと多くとも20本の毛／cm2の
v)少なくとも1任意のベクトルvのv)は、Wordの長さのために、3と4から成るグループから選択されたマッピング物理的特性、つまり高さは、2mmと外側である近傍を席巻する環の内側の半径のために半径1近傍では、時計回りの順序方向に対して、12ミリメートルである環を定義して実質的に共線性毛許容誤差は20度、少なくとも1大部分つまり少なくとも植毛の50％領域の毛であるメンバーの40−セットつまり、サブセット前の?植毛領域Nは1，2，3，4および5から成るグループから選択される整数であり、様々なレベルNを持つ40人を有する。
【請求項７４】
ヘアブラシ毛保持面と、前記毛保持面に個々に植設された少なくとも100本の毛を有する植毛領域とを有しており、そのような：
i)の前記領域の毛のうち少なくとも80％が持っている高さ9ミリメートル〜13ミリメートル、つまり、
ii)1前記植毛領域の高さ標準偏差と平均高さとの比率少なくとも0．075である。
iii)毛の少なくとも20％は高さ9ミリメートル〜13ミリメートルを持っている
iv)1毛の密度のために前?領域で少なくとも3本の毛／平方センチメートルと多くとも20本の毛／cm2の
v)マッピング物理的特性高さは、2mmと近傍の定義環の外側の半径である近傍を席巻する環の内側の半径のためのものであることのために長さ4のWord用の少なくとも1任意のベクトルvのv)を、そのために実質的に共線性毛許容誤差が20度である、少なくとも1大部分その植毛の少なくとも50％である領域の毛40のメンバーである、時計回りの順序方向に対して、12ミリメートルである−セットそのあるサブセットの前?植毛領域少なくともレベル2、様々なを持っている40人を有する。
【請求項７５】
ヘアブラシ毛保持面と、前記毛保持面に個々に植設された少なくとも100本の毛を有する植毛領域とを有しており、そのような：
i)の前記領域の毛のうち少なくとも80％が持っている高さ9ミリメートル〜13ミリメートル、つまり、
ii)1前記植毛領域の高さ標準偏差と平均高さとの比率少なくとも0．075である。
iii)毛の少なくとも20％は高さ9ミリメートル〜13ミリメートルを持っている
iv)1毛の密度のために前?領域で少なくとも3本の毛／平方センチメートルと多くとも20本の毛／cm2の
v)の1毛幅標準偏差と毛幅平均との比率のために前?植毛領域少なくとも0．07である。
vi)少なくとも1任意のベクトルvのVI)、Wordの長さのために、3と4から成るグループから選択されたマッピング物理的特性幅／太さ、2mmです近傍を席巻する環の内側の半径のためにされていること、および実質的に共線性毛許容誤差20であること度、少なくとも1大部分植毛領域の毛の少なくとも50％であるそのために時計回り方向の順序のために12ミリメートルである近傍の定義環、外側の半径セットは、サブセット前の?植毛領域Nは1，2，3，4および5から成るグループから選択される整数であり、様々なレベルNを持つ40人を持って−40のメンバーである
【請求項７６】
ヘアブラシ毛保持面と、前記毛保持面に個々に植設された少なくとも100本の毛を有する植毛領域とを有しており、そのような：
i)の前記領域の毛のうち少なくとも80％が持っている高さ9ミリメートル〜13ミリメートル、つまり、
ii)1前記植毛領域の高さ標準偏差と平均高さとの比率少なくとも0．075である。
iii)毛の少なくとも20％は高さ9ミリメートル〜13ミリメートルを持っている
iv)1毛の密度のために前?領域で少なくとも3本の毛／平方センチメートルと多くとも20本の毛／cm2の
v)の1毛幅標準偏差と毛幅平均との比率のために前?植毛領域少なくとも0．07である。
vi)マッピング物理的特性幅／太さ、2mmと近傍の外側の半径である近傍を席巻する環の内側の半径のためのものですそのために長さ4のWord用の少なくとも1任意のベクトルvのVI)、−のために実質的に共線性毛許容誤差が20度である、少なくとも1大部分その植毛の少なくとも50％である領域の毛40のメンバーである、時計回りの順序方向に対して、12ミリメートルである環を定義するセットでそのサブセットの前?植毛領域少なくともレベル2、様々なを持っている40人を有する。
【請求項７７】
毛保持面と、前記毛保持面に個々に植設された少なくとも100本の毛を有する植毛領域とを有し、前記毛の高さが実質的に不規則にばらつき、前記毛保持面における毛の位置からは実質的に独立しているヘアブラシであって、前記植毛領域は、
(i)少なくとも5つの高さが有意に互いに異なる高さ特性と、
(ii)前記植毛領域の毛のうち少なくとも80％は、少なくとも0．5mmの幅を有する幅特性と、
(iii)前記毛のうち少なくとも60％が丸い端部を有する毛端部特性と有する特性を有するヘアブラシ。
【請求項７８】
毛保持面と、前記毛保持面に個々に植設された少なくとも100本の毛を有する植毛領域とを有しており、前記植毛領域の毛の端部にて規定される先端部面は、ふぞろいで実質的に不規則な形状であるヘアブラシであって、前記植毛領域は、
(i)少なくとも5つの高さが有意に互いに異なる高さ特性と、
(ii)前記植毛領域の毛のうち少なくとも80％は少なくとも0．5mmの幅を有する幅特性と、
(iii)前記毛の少なくとも60％が丸い端部を有する毛端部特性との特性を有するヘアブラシ。
【請求項７９】
毛保持面と、前記毛保持に個々に植設された少なくとも100本の毛を有する植毛領域とを有しており、前記植毛領域の平均高さはHEIGHT＿AVGとして定義され、前記植毛領域の高さ標準偏差はHEIGHT＿SDとして定義されるヘアブラシであって、前記植毛領域は、高さ特性、幅特性、及び毛端部特性を有しており、
(i)前記幅特性に基づき、前記領域の毛のうち少なくとも80％は、少なくとも0．5mmの幅を有しており、
(ii)前記毛端部特性に基づき、前記領域内の毛のうち少なくとも60％が丸い端部を有しており、
(iii)前記高さ特性に基づき、
A)前記植毛領域は、有意に互いに異なる少なくとも5つの高さを有しており、
B)前記植毛領域は、前記植毛領域の合計の毛の本数の少なくとも10％である本数を有する少なくとも1つの高さ外れ値部分(HOS)を含み、前記高さ外れ値部分HOSは、
C)毛の高さがHEIGHT＿AVGとHEIGHT＿SDとの合計を上回る非常に丈のある毛(VTB)の毛部分と、
D)毛の高さがHEIGHT＿AVGとHEIGHT＿SDとの差異を下回る非常に丈のない毛(VSB)の毛部分からなる群から選択されて、
前記植毛領域全体への植設と少なくとも1つの高さ外れ値部分HOSへの植設との対比があるように、また、前記植毛領域の毛全体は実質的に一定の密度で前記毛保持面における特定区域SA内に植設される一方、前記高さ外れ値部分HOSの毛は、前記特定区域SA内のふぞろいで非周期的な位置に植設されるように、前記植毛領域の毛が前記毛保持面に個々に植設されるヘアブラシ。
【請求項８０】
請求項47〜56の何れか1つに記載のヘアブラシであって、前記毛は、前記毛保持面に個々に植設されたヘアブラシ。
【請求項８１】
毛保持面と、前記毛保持面に植設された少なくとも100本の毛を有する植毛領域とを有しており、前記毛は、別々の柔軟性を有する様々な材料にて構成され、それぞれの毛は対応する材料にて構成され、それぞれの毛の毛材の柔軟性は実質的に不規則にばらついており、前記毛保持面における毛の位置からは実質的に独立しているヘアブラシであって、前記植毛領域は、
(i)前記毛のうち少なくとも70％は、5mm〜25mmの高さを有し、
(ii)前記植毛領域の高さ標準偏差と平均高さとの比率は、少なくとも0．075であり、
(iii)別々の毛の毛材の柔軟性のばらつきは、毛幅標準偏差と毛幅平均との比率が少なくとも0．07である場合に取得できる前記領域の平均高さである固定高さに対する毛の柔軟性のばらつきと同等であり、
(iv)前記植毛領域の毛のうち少なくとも80％は、少なくとも0．5mmの幅である幅特性と、
(v)前記毛のうち少なくとも60％が丸い端部を有する毛端部特性とを有するヘアブラシ。
【請求項８２】
請求項81に記載のヘアブラシであって、毛のうち少なくとも90％は、高さ5mm〜25mmであるヘアブラシ。
【請求項８３】
請求項81又は82に記載のヘアブラシであって、高さ標準偏差と前記植毛領域の平均高さは、少なくとも0．12であるヘアブラシ。
【請求項８４】
請求項81〜83の何れか1つに記載のヘアブラシであって、別々の毛内の毛材の柔軟性のばらつきは、毛幅標準偏差と毛幅平均との比率が少なくとも0．07である場合に取得できる前記領域の平均高さである固定高さに対する毛の柔軟性のばらつきと同等であるヘアブラシ。
【請求項８５】
請求項1〜84の何れか1つに記載のヘアブラシであって、前記植毛領域は、実質的に平らな表面に設けられるヘアブラシ。
【請求項８６】
請求項1〜84の何れか1つに記載のヘアブラシであって、前記植毛領域は、実質的に円筒状表面に設けられるヘアブラシ。
【請求項８７】
請求項1〜86の何れか1つに記載のヘアブラシであって、少なくとも、毛保持表面の毛で覆われた部分の少なくとも50％である被覆部の大部分は、1つ以上の不規則な又は準不規則な高さ特性、不規則な又は準不規則な幅特性、及び不規則な又は準不規則な材料の柔軟性特性とを有する植毛領域にて覆われているヘアブラシ。
【請求項８８】
請求項87に記載のヘアブラシであって、前記被覆部の大部分は、少なくとも60％、少なくとも70％、少なくとも90％、及び少なくとも95％から選択された大きさでの実質的に大部分であるヘアブラシ。
【請求項８９】
請求項1〜88の何れか1つに記載のヘアブラシであって、前記植毛領域において、前記領域の毛の最も丈のある20％がH1と示された平均高さとT1と示された平均太さとを有しており、前記領域の毛の最も丈のない20％は、H2と示された平均高さとT2と示された平均太さとを有しており、T1とT2との比率は少なくとも1．1であるヘアブラシ。
【請求項９０】
請求項89に記載のヘアブラシであって、T1とT2との比率は、少なくとも1．2であるヘアブラシ。
【請求項９１】
請求項89に記載のヘアブラシであって、T1とT2との比率は、少なくとも1．3であるヘアブラシ。
【請求項９２】
請求項1〜91の何れか1つに記載のヘアブラシであって、H1とH2との比率は、少なくとも1．3であり、及び／又は多くとも2であるヘアブラシ。
【発明の詳細な説明】
【技術分野】
【０００１】
関連出願の参照
本特許出願は、(i)2009年10月9日に出願された米国特許仮出願番号61／250，057、(ii)2010年1月24日に出願された米国特許仮出願番号61／297，814、(iii)2010年1月25日に出願された米国特許仮出願番号61／298，205、(iv)2010年1月26日に出願された米国特許仮出願番号61／298，398、(v)2010年7月25日に出願された米国特許仮出願番号61／367，447、(vi)2010年7月26日に出願された米国特許仮出願番号61／367，793、(vii)2010年10月11日に出願された英国特許番号1017114．8の利益を主張し、これらを参照することによりその全体が本願に組み込まれる。
本発明の実施形態は、ヘアブラシと、ヘアブラシの使い方と、ヘアブラシの製造方法に関連する。
【背景技術】
【０００２】
以下の発行された特許、及び公開特許公報は、潜在的に関連した背景資料を提供し、すべては参照することによりその全体が本願に組み込まれる。英国特許番号2，447，692、米国特許公開公報2005／055788、国際出願PCT／GB2008／000580、米国特許公開公報2005／210614、米国特許4，161，050欧州特許1，757，201、英国特許番号1，469，552、米国特許4，121，314、欧州特許1，078，585、ベルギー特許1007329、特許公開公報2003033226、欧州特許0904711、特許公開公報2003033226、米国特許216，408、米国意匠特許D166，124、米国意匠特許D166，086、米国意匠特許D168，916、米国意匠特許D168，917、米国意匠特許D169，131、米国特許6，226，811、米国特許公開公報2002／0004964、米国意匠特許D543，705、米国特許3，949，765、米国特許4，475，563、米国特許4，694，525、米国特許5，755，242、米国特許6，308，717、WO88／000446、米国特許4，500，939、米国特許2，889，567、米国特許2，607，064、米国特許4，287，898、及び米国特許公開公報2005／0210614。
【発明の概要】
【０００３】
本発明の実施形態は、人間又は動物の毛髪をほぐすヘアブラシに関連しており、このヘアブラシは、少なくとも100本の毛、又は少なくとも150本の毛、又は少なくとも200本の毛、又は少なくとも250本の毛を有する植毛領域を有しており、毛の高さは様々である。例えば、少なくとも5つの高さがあり、有意に互いに異なっている。植毛領域内の毛の高さ／長さは、(i)実質的に不規則にばらついており、(ii)毛保持面における毛の位置に対して実質的に独立している。
【０００４】
オプションとして、ある実施形態では、毛は均一な幅ではないことが好ましい。むしろ、毛の幅のばらつき(例えば、有意に互いに異なる3つ以上の異なる毛幅)が植毛領域にある。代わりに、又は、さらに追加して、その毛が様々な柔軟性の材料から作られてもよい。オプションとして、ある実施形態では、長い／丈のある毛は、平均して、丈のない毛よりも太く、及び／又は長い／丈のある毛は、丈のない毛よりも柔軟性のない材料で作られていることが好ましい。
【０００５】
本願にて開示される様々な特徴に基づく新規のヘアブラシは、従来の「対照基準(control)」ヘアブラシに照らして構成されまた試験された。特に、頭部の半分(すなわち、左半分又は右半分)の毛髪を新規のブラシを用いてほぐし、頭部の他の半分の毛髪は、対照基準ブラシを用いてほぐした。毛髪がほぐされる間、毛髪はユーザーの頭部から抜けた、又は引き抜かれた。従来の対照基準ブラシを用いて(すなわち、同等の大きさの毛髪の範囲をほぐすときに)抜けた毛髪は個別に集められて、抜けた毛髪の量が計測されて比較された。
【０００６】
ここで開示される特性を有する新規のヘアブラシは、人間の毛髪(濡れた毛髪、及び／又はコンディショナーで適切にいたわっていなかった毛髪であっても)を、驚くほど痛みのない方法で、及び／又は従来のヘアブラシを用いたときよりも驚くほど変化して著しく少ない痛みで、ほぐすことができることがわかった。さらに、新規のブラシを用いてほぐしたときに抜けた毛髪の量は、対照基準ブラシを用いてほぐしたとき(すなわち、再度述べると、同等の大きさの毛髪の範囲をほぐすとき)に抜けた毛髪の量よりも著しく少ないことがわかった。
【０００７】
これらのテスト／試験の間、ユーザーの実際の毛髪が、実際にほぐされていたことは注目すべきことである。つまり、ブラシのうちのいずれか一方が、ほぐすことなく、又は毛髪の一番外側の層だけをほぐすだけで、単に「ユーザーの毛髪をマッサージした」というような状況ではなかったということだ。
【０００８】
理論で制限されることは意図しないが、哺乳類の毛の1本1本は、均一の長さでもなく均一の太さでもないことは注目すべきことである。逆に、1人の人の頭部において(又は1匹の動物の胴体において)ある毛髪の1本1本は長く、別の毛髪の1本1本は短く、また、ある毛髪の1本1本は太く、別の毛髪の1本1本は細い。さらに、この毛髪の長さ、及び／又は毛髪の太さにおける空間的なばらつきは、いかなる識別可能な空間パターンにも従わない傾向にある。逆に、多くの人間の被験者又は動物の被験物においては、このばらつきは、おおよそ又は完全に不規則な／確率的なものであることが多い。
【０００９】
これら不規則な特性の少なくともいくつかを有するヘアブラシ(すなわち毛の長さ、及び／又は毛の太さ、及び／又は毛材の柔軟性が実質的に不規則にばらついている植毛領域を有するヘアブラシ)を用いることで、痛みを軽減した方法にて毛髪をほぐすことが可能になる。理論で制限されることは意図しないが、ここで見られる、痛みを軽減して毛髪をほぐすこと、及び／又は低減された抜け毛の量は、少なくとも部分的には、ヘアブラシの確率的な特性と、人間／哺乳類の毛髪の確率的な特性との機械的な「適合性」がある程度は存在するという事実によって引き起こされると仮定でき、結果、著しく軽減された痛み、及び／又はかなり少ない抜け毛量をなし得る毛髪をほぐす技術を提供できる。
【００１０】
毛の高さが実質的に不規則にばらつき、位置から実質的に独立してするような「植毛領域」でのそれぞれの毛は、独立して植設されていることは注目すべきことである。すなわちそれぞれの毛は、ヘアブラシの表面状で互いに離されて又は個々に植設されている。これら個々に植設された毛は、毛束、又は毛の房と対照をなしている。
【００１１】
本開示においては、毛の高さ、及び長さは、同意語として用いられる。
【００１２】
本開示においては、毛幅、及び毛の太さ同意語として用いられて、特徴的な幅寸法と呼ばれる。毛の断面が円状(すなわち実質的に円筒状の毛)を有する限定されない場合において、この幅は、円の直径である。
【００１３】
本開示においては、植毛領域の毛の高さ／長さが「毛保持面における毛の位置からは実質的に独立して実質的に不規則にばらつく」場合、(i)複数本の毛を一緒にして集団又は「領域」と見なすことができ、(ii)植毛領域の毛において視覚的に識別できる毛の長さ／高さのパターン(すなわち、不規則性以外のパターン)は存在しない。
【００１４】
毛保持面と、前記毛保持面に個々に植設された少なくとも100本の毛を有する植毛領域とを有しており、毛の高さは、実質的に不規則に互いに異なり、かつ前記毛保持面における毛の位置から実質的に独立するヘアブラシでが開示される。前記植毛領域は、(i)少なくとも5つの高さが有意に互いに異なる高さ特性、(ii)それぞれの毛が少なくとも0．5mmの幅を有する幅特性、及び(iii)毛の少なくとも60％が丸い端部を有する毛端部特性とを有する。
【００１５】
毛保持面と、前記毛保持面に個々に植設された少なくとも100本の毛を有する植毛領域とを有しており、前記植毛領域の毛の端部にて規定される先端部面は、ふぞろいにかつ実質的に不規則に形成されるヘアブラシである。前記植毛領域は、(i)少なくとも5つの高さが有意に互いに異なる高さ特性と、(ii)前記毛のそれぞれが少なくとも0．5mmの幅を有する幅特性と、(iii)前記毛のうち少なくとも60％が丸い端部を有する毛端部特性と、を有するヘアブラシ。
【００１６】
毛保持面と前記毛保持に個々に植設された少なくとも100本の毛を有する植毛領域とを有するヘアブラシであって、前記植毛領域の平均高さはHEIGHT＿AVGとして定義され、前記植毛領域の高さ標準偏差はHEIGHT＿SDとして定義されている。植毛領域が高さ特性、幅特性、及び毛端部特性を有しており、(i)前記幅特性に基づき、前記毛のそれぞれが少なくとも0．5mmの幅を有し、(ii)前記毛端部特性に基づき、前記領域内の毛のうち少なくとも60％が丸い端部を有し、(iii)前記高さ特性に基づいて、A)前記植毛領域が有意に互いに異なる少なくとも5つの高さを有しており、B)前記植毛領域は、前記植毛領域の合計の毛の本数のうち少なくとも10％である本数を有する少なくとも1つの高さ外れ値部分(HOS)を有しており、前記高さ外れ値部分HOSは、C)高さがHEIGHT＿AVGとHEIGHT＿SDとの合計を上回る毛からなる非常に丈のある毛(VTB)の部分と、D)高さがHEIGHT＿AVGとHEIGHT＿SDとの差異を下回る毛からなる非常に丈のない毛(VSB)の部分からなる群から選択されており、植毛領域全体への植設と少なくとも1つの高さ外れ値部分HOSへの植設との対比ができるように、かつ、前記植毛領域の毛全体が実質的に一定の密度にて前記毛保持面における特定区域SAに植設される一方で、前記高さ外れ値部分HOSの毛が前記特定区域SA内のふぞろいで非周期的な位置に散在するように、前記植毛領域の毛は前記毛保持面に個々に植設されるヘアブラシ。
【００１７】
ある実施形態では、i)前記植毛領域はさらに、毛幅標準偏差と毛幅平均との比率が少なくとも0．07となり、平均して、前記領域内の丈のある毛が丈のない毛よりも太くなるように前記植毛領域の毛に対して、毛の高さと毛の太さとの正相関がある幅のばらつき特性を有しており、ii)前記植毛領域の毛はそれぞれが、毛保持面の対応する局所平面に対して実質的に垂直に植設されるヘアブラシ。
【００１８】
ある実施形態では、植毛領域の毛は実質的に一定の密度で毛保持面に植設される。
【００１９】
ある実施形態では、植毛領域の高さの範囲は実質的に約3．5mm〜約16mmである。
【００２０】
ある実施形態では、前記植毛領域の毛は、実質的に、少なくとも4本の毛／cm2である一定の密度で毛保持面に植設される。
【００２１】
ある実施形態では、植毛領域の高さの範囲は、実質的に約3．5mm〜約16mmである。
【００２２】
ある実施形態では前記植毛領域はさらに、毛幅標準偏差と毛幅平均との比率が少なくとも0．07であり、前記植毛領域の毛に対して毛の高さと毛の太さとの正相関があり、平均して、前記植毛領域内の丈のある毛が丈のない毛よりも太くなるような幅のばらつき特性を有する。
【００２３】
ある実施形態では、前記植毛領域の毛がそれぞれ前記毛保持面における対応する局所平面に対して実質的に垂直に植設される。
【００２４】
ある実施形態では、植毛領域の毛が実質的に少なくとも4本の毛／cm2である一定の密度で植設される。
【００２５】
ある実施形態では、植毛領域の高さの範囲は、実質的に約3．5mm〜約16mmである。
【００２６】
ある実施形態では、高さ標準偏差と平均高さとの比率は、少なくとも0．075である。
ある実施形態では、その領域において平均の毛の太さは0．85mmを上回る。
【００２７】
ある実施形態では、その領域の毛の平均高さは、少なくとも約8．5mmである。
【００２８】
ある実施形態では、前記植毛領域の毛は多くとも12本の毛／cm2である密度にて植設される。
【００２９】
ある実施形態では、植毛領域の毛の平均高さは、多くとも約12mmである。
【００３０】
ある実施形態では、植毛領域の毛の平均高さは8mm〜14mmである。
【００３１】
ある実施形態では、前記植毛領域が特定区域内に設けられており、i)前記毛のうち少なくとも80％が一定の格子上に実質的に存在し、ii)前記領域の毛のうち少なくとも2％が前記格子から離れた位置に存在する。
【００３２】
ある実施形態では、毛が実質的に互いに平行になるように領域の毛が植設される。
【００３３】
ある実施形態では、i)前記植毛領域の平均高さはHEIGHT＿AVGとして定義され、前記植毛領域の高さ標準偏差はHEIGHT＿SDとして定義され、ii)前記植毛領域は、毛の高さがHEIGHT＿AVGとHEIGHT＿SDとの差異を下回る非常に丈のない毛(VSB)である毛部分を含み、iii)前記毛の非常に丈のない毛(VSB)である毛部分の毛の大部分が少なくとも5mmである高さ、及び／又は少なくとも0．33＊HEIGHT＿AVGである高さを有する。
【００３４】
ある実施形態では、植毛領域の毛のうち少なくとも10％が5mm〜9mmの高さを有しており、毛のうち少なくとも25％が9mm〜13mmの高さを有しており、毛のうち少なくとも10％が13mm〜18mmの高さを有している。
【００３５】
ある実施形態では、i)前記植毛領域のそれぞれの毛bは、最近接毛間距離と関連づけられており、前記最近接毛間距離は、毛bと、前記植毛領域の他のどの毛よりも前記毛bの近くに位置する前記植毛領域の別の毛bCLOSESTとの最短距離d CLOSEST (b)（=距離(b、bCLOSEST))）を示しており、これによって、前記植毛領域のそれぞれの毛bと前記最短距離d CLOSEST (b)との1対1のマッピングを確立して数字のセット(前記植毛領域の前記最短距離d CLOSEST (b)から構成されるCLOSEST＿BRISTLE＿DISTANCE)を形成し、ii)数字のセットCLOSEST＿BRISTLE＿DISTANCEの標準偏差と数字のセットCLOSEST＿BRISTLE＿DISTANCEの平均値とのSD／AVGの比率は、多くとも0．25である
【００３６】
ある実施形態ではSD／AVGの比率は多くとも0．2、及び／又は少なくとも0．075であり、及び／又はSD／AVGの比率は少なくとも0．1である。
【００３７】
ある実施形態ではi)前記植毛領域のそれぞれの毛bは、最近接毛間距離と関連づけられており、前記最近接毛間距離は、毛bと、前記植毛領域の他のどの毛よりも前記毛bの近くに位置する前記植毛領域の別の毛bCLOSESTとの個別の最短距離d CLOSEST (b)（=距離(b、bCLOSEST)）を示し、これによって、植毛領域のそれぞれの毛bと最短距離d CLOSEST (b)との1対1のマッピングを確立して数字のセット(前記植毛領域の前記最短距離d CLOSEST (b)からなるCLOSEST＿BRISTLE＿DISTANCE)を形成して、ii)濃度がCLOSEST＿BRISTLE＿DISTANCEの濃度の50％〜95％であるCLOSEST＿BRISTLE＿DISTANCEの第1部分の値は、すべて代表的な最短距離値RCDVに多くとも10％の許容誤差内で同等であり、Iii)濃度が少なくともCLOSEST＿BRISTLE＿DISTANCEの濃度の少なくとも10％であるCLOSEST＿BRISTLE＿DISTANCEの第2部分の値は、前記代表値RCDVからすべて少なくとも15％逸脱した最短距離値と関連づけられている。
ある実施形態では、毛はプラスチックにて構成される。
【００３８】
ある実施形態では、i)前記植毛領域は、前記毛保持表面の特定区域SA内に設けられた内側植毛領域であり、ii)ヘアブラシはさらに、前記特定区域SAの毛の外側で、前記特定区域の外周上に実質的に前記特定区域SAを囲むようにして設けられた外側植毛領域を有しており、iii)前記外側植毛領域は、A)前記内側領域の本数の少なくとも15％である毛の本数と、B)前記内側領域の毛の平均高さの多くとも30％である毛の平均高さと、の特性を有する。
【００３９】
ある実施形態では、植毛領域の毛のうち少なくとも80％は、少なくとも6mmの高さであり、多くとも18mmの高さを有する。
【００４０】
ある実施形態では、i)前記特定区域内に植設された毛の大部分は、実質的に規則的な格子上に配された位置に設けられ、ii)前記毛のうち少なくとも2％の少数部分は、前記規則的な格子にて規定される位置から離れている格子外位置に設けられる。
【００４１】
ある実施形態では、植毛領域の毛のうち少なくとも80％、又は少なくとも90％の高さは少なくとも6mmである。
【００４２】
ある実施形態では、領域の毛のうち少なくとも80％、又は少なくとも90％の高さは多くとも20mmである。
【００４３】
ある実施形態では、高さ標準偏差と平均高さとの比率は、少なくとも0．075である。
【００４４】
ある実施形態では、内側領域の毛の少なくとも80％、又は90％の太さは、少なくとも0．7mm、又は少なくとも0．8mm、又は少なくとも0．85mmである。
【００４５】
ある実施形態では、内側領域の毛の少なくとも70％、又は少なくとも80％、又は少なくとも90％、又は少なくとも95％の太さは、少なくとも0．75mm、及び／又は多くとも2．5mmである。
【００４６】
ある実施形態は、「パドル(paddle)」形状係数を有するヘアブラシ、及び／又は比較的平らなヘアブラシに関連する。ある実施形態は、「ファン型」のヘアブラシ、又は円筒形状のヘアブラシに関連する。ある実施形態は、人間用のヘアブラシに典型的な形状係数を有するヘアブラシに関連する。その他の実施形態は、ペット用ヘアブラシに典型的な形状係数を有するヘアブラシに関連する。
【００４７】
毛保持面と、前記毛保持面に植設された少なくとも100本の毛を有する植毛領域とを有し、前記毛の幅は、実質的に不規則にばらつき、前記毛保持面における前記毛の位置からは実質的に独立しているヘアブラシである。前記植毛領域は、(i)少なくとも5つの高さが有意に互いに異なる高さ特性と、(ii)毛幅標準偏差と毛幅平均との比率が少なくとも0．07である幅のばらつき特性と、(iii)前記植毛領域の毛のうち少なくとも80％が少なくとも0．5mmの幅を有する幅特性と、(iv)前記毛のうち少なくとも60％が丸い端部を有する毛端部特性とを有する。
【００４８】
ある実施形態では、植毛領域の毛において、平均して、前記領域の丈のある毛が丈のない毛よりも太くなるような毛の高さと毛の太さとに正相関がある。
【００４９】
ある実施形態では、植毛領域の毛が、それぞれ前記毛保持面の対応する局所平面に対して実質的に垂直に植設される。
【００５０】
ある実施形態では、植毛領域の毛が、それぞれ前記毛保持面の対応する局所平面に対して実質的に垂直に植設される。
【００５１】
ある実施形態では、毛のうち少なくとも80％は5mm〜20mmの高さである。
【００５２】
ある実施形態では、高さ標準偏差と植毛領域の平均高さとの間の比率は、少なくとも0．075である。
ある実施形態では、領域の平均の毛の太さは、0．85mmを超えている。
【００５３】
ある実施形態では、領域の毛のうち少なくとも80％は1mm〜2mmの太さを有している。
【００５４】
ある実施形態では、毛幅標準偏差と毛幅平均との比率は、少なくとも0．12である。
【００５５】
ある実施形態では、植毛領域の毛の大部分にとって、毛の長さと毛幅との比率は、少なくとも5で、多くとも10である。
【００５６】
ヘアブラシは、毛保持面と植毛領域少なくとも100本の毛に配備されている毛保持面ように。i)の毛のうち少なくとも80％の領域持っている1高さそれは9mmです〜13ミリメートル、ii)を含む高さ標準偏差と平均高さとの比率植の毛領域で少なくとも0．075iii)少なくとも毛sの20％が持っている高さ9ミリメートル〜13ミリメートル、iv)1毛の密度領域少なくとも3本の毛／平方センチメートルのためにと多くとも20本の毛／  CM2、v)の少なくとも1任意のベクトルvについて、Wordの長さのために、3と4から成るグループから選択マッピング物理的特性すなわち高さ、内側の半径のために2mmと外側の半径である近傍、定義輪近傍実質的に共線性毛許容誤差それは20度、少なくとも1大部分ですそのために、時計回りの順序方向に対して、12ミリメートルである環を定義する少なくとも植毛の50％領域の毛40のメンバーである  −  セットつまり、サブセット植の毛領域Nは1，2，3，4から成るグループから選択される整数であり、様々なレベルNを持つ40人のメンバーを持つと5。
【００５７】
ヘアブラシは、毛保持面とa植毛領域少なくとも100本の毛に配備されている毛保持面ように。i)の毛のうち少なくとも80％の領域持っている1高さそれは9mmです〜13ミリメートル、ii)を含む高さ標準偏差と平均高さとの比率植の毛領域少なくとも0．075、iii)は、少なくとも毛sの20％が持っている高さ9ミリメートル〜13ミリメートル、iv)1毛の密度領域少なくとも3本の毛／のために平方センチメートルと多くとも20本の毛／  CM2、v)の少なくとも1任意のベクトルvについて、Wordの長さ4のためのマッピング物理的特性すなわち高さ、近傍を席巻する環の内側の半径のためにそので2mmと外側の半径近傍実質的に共線性毛許容誤差それは20度、少なくとも1大部分つまり、少なくとも植の50％が毛のために、時計回りの順序方向に対して、12ミリメートルである環を定義する領域の毛40のメンバーである  −  セット、サブセット植の毛領域少なくともレベル2、様々なを持っている40人を有する。
【００５８】
ある実施形態では、1毛幅標準偏差と毛幅平均との比率植のために植毛領域は少なくとも0.07である。
【００５９】
ある実施形態では、高さ標準偏差と平均高さとの比率植の植毛領域は少なくとも0.012である。
【００６０】
ヘアブラシ毛保持面とa植毛領域少なくとも100本の毛毛保持面ように。i)の毛のうち少なくとも80％の領域持っている1高さ9mmです〜13ミリメートル、iiに展開されている)高さ標準偏差と平均高さとの比率植の毛領域で少なくとも0.075iii)少なくとも毛sの20％が持っている高さ9ミリメートル〜13ミリメートル、iv)1毛の密度領域少なくとも3本の毛/平方センチメートルのためにと多くとも20本の毛/ CM2、v)の1毛幅標準偏差と毛幅平均との比率のために植毛領域少なくとも0.07、VI)が少なくとも1任意のベクトルvのためであり、Wordの長さを選択グループからマッピング物理的特性すなわち幅/太さは、2mmおよび12mmである近傍の定義環の外側の半径である近傍を席巻する環の内側の半径のために、発注方向のためにそのために、3と4から成るセットは、つまり、サブセット植の毛領域こと - 実質的に共線性毛許容誤差それは20度、少なくとも1大部分つまり少なくとも50％の植毛領域の毛40のメンバーであるために、時計回りにNは1,2,3,4および5から成るグループから選択される整数であり、様々なレベルNを持っている40人。
【００６１】
ヘアブラシは、毛保持面とa植毛領域少なくとも100本の毛に配備されている毛保持面ように。i)の毛のうち少なくとも80％の領域持っている1高さそれは9mmです〜13ミリメートル、ii)を含む高さ標準偏差と平均高さとの比率植の植毛領域は少なくとも0.075、iii)は、少なくとも毛sの20％が持っている高さ9ミリメートル〜13ミリメートル、iv)1毛の密度領域少なくとも3本の毛/のために平方センチメートルと多くとも20本の毛/ CM2、v)の1毛幅標準偏差と毛幅平均との比率植のために植毛領域は少なくとも0.07、VI)が、少なくとも1の任意のベクトルvのためのものですWordの長さ4ののためのマッピング物理的特性、つまり幅/太さ、2mmと外側の半径時計回りの順序方向に対して、12ミリメートルである近傍の定義環のためのある近傍を席巻する環の内側の半径のために実質的に共線性毛許容誤差それは20です度、少なくとも1大部分つまりの少なくとも50パーセント植毛領域の毛40のメンバーである - セット、サブセット植の植毛領域は少なくともを持っていた40人そのLEVEL 2多様。
【００６２】
ある実施形態では、1毛幅標準偏差と毛幅平均との比率植のために植毛領域は少なくとも0.1である。
【００６３】
ある実施形態では、大部分で1実質的に大部分それが少なくとも70％である。
【００６４】
ヘアブラシは、構成毛保持面とa植毛領域少なくとも100本の毛ということです个々に植設されたの毛保持面ように。i)の毛のうち少なくとも領域の80％が持っている1高さそれは9mmです〜13ミリメートル、ii)1高さ標準偏差と平均高さとの比率植の植毛領域は少なくとも0.075、iii)は少なくとも毛sの20％が持っているが高さ9ミリメートル〜13ミリメートル、iv)1毛の密度領域のためにされている少なくとも3本の毛/平方センチメートルと多くとも20本の少なくとも1任意のベクトルvの毛/平方センチメートル、v)は、Wordの長さのために、3と4から成るグループから選択されたマッピング物理的特性すなわち高さ、2mmと外側の半径である近傍を席巻する環の内側の半径のための近傍では、時計回りの順序方向に対して、12ミリメートルである環を定義して実質的に共線性毛許容誤差20度、つまり、少なくとも1大部分つまりの少なくとも50パーセント植毛領域の毛40のメンバーである - セット、サブセット植の毛領域Nは1から成るグループから選択される整数であり、様々なレベルNを持つ40人のメンバーを持つ、2,3,4および5。
【００６５】
ヘアブラシは、構成毛保持面とa植毛領域少なくとも100本の毛ということです个々に植設されたの毛保持面ように。i)の毛のうち少なくとも領域の80％が持っている1高さそれは9mmです〜13ミリメートル、ii)1高さ標準偏差と平均高さとの比率植の植毛領域は少なくとも0.075、iii)は少なくとも毛sの20％が持っているが高さ9ミリメートル〜13ミリメートル、iv)1毛の密度領域のためにされている少なくとも3本の毛/平方センチメートルと多くとも20本の毛/ CM2、v)の少なくとも1任意のベクトルvの、長さ4の、マッピング物理的特性すなわち高さ、内側の半径のためのためのWordの2mmと外側の半径である近傍、定義輪近傍実質的に共線性毛許容誤差それは20度、少なくとも1大部分ですそのために、時計回りの順序方向に対して、12ミリメートルである環を定義する少なくとも植毛の50％領域の毛40のメンバーである - セットつまり、サブセット植の植毛領域は少なくともレベル2、様々なを持っている40人を有する。
【００６６】
ヘアブラシは、構成毛保持面とa植毛領域少なくとも100本の毛ということです个々に植設されたの毛保持面ように。i)の毛のうち少なくとも領域の80％が持っている1高さそれは9mmです〜13ミリメートル、ii)1高さ標準偏差と平均高さとの比率植の植毛領域は少なくとも0.075、iii)は少なくとも毛sの20％が持っているが高さ9ミリメートル〜13ミリメートル、iv)1毛の密度領域のためにされている少なくとも3本の毛/平方センチメートルと多くとも20本の毛/ CM2、v)の1毛幅標準偏差と毛幅平均との比率のために植毛領域少なくとも0.07、VI)が、少なくとも1の任意のベクトルvのためですWordの長さは、3と4から成るグループから選択されたマッピング物理的特性、それは幅/で太さは、2mmと近傍の定義環の外側の半径である近傍を席巻する環の内側の半径のために12ミリメートルであること、のために実質的に共線性毛許容誤差それは20度、少なくとも1大部分つまり少なくとも植毛の50％領域の毛40のメンバーである時計回りの順序方向のために - セットサブすなわち - セット植の毛領域Nは1,2,3,4および5から成るグループから選択される整数であり、様々なレベルNを持つ40人を有する。
【００６７】
ヘアブラシは、構成毛保持面とa植毛領域少なくとも100本の毛ということです个々に植設されたの毛保持面ように。i)の毛のうち少なくとも領域の80％が持っている1高さそれは9mmです〜13ミリメートル、ii)1高さ標準偏差と平均高さとの比率植の植毛領域は少なくとも0.075、iii)は少なくとも毛sの20％が持っているが高さ9ミリメートル〜13ミリメートル、iv)1毛の密度領域のためにされている少なくとも3本の毛/平方センチメートルと多くとも20本の毛/ CM2、v)の1毛幅標準偏差と毛幅平均との比率のために植毛領域少なくとも0.07、VI)が、少なくとも1の任意のベクトルvのためですWordで長さ4のためのマッピング物理的特性すなわち幅/太さは、2mmおよび12mmである近傍の定義環の外側の半径である近傍を席巻する環の内側の半径のために、発注方向にそのセットは、つまり、サブセット植の毛領域こと - 実質的に共線性毛許容誤差それは20度、少なくとも1大部分つまり少なくとも50％の植毛領域の毛40のメンバーであるために、時計回りに少なくともレベル2、様々なを持っている40人。
【００６８】
毛保持面と、前記毛保持面に個々に植設された少なくとも100本の毛を有する植毛領域とを有し、前記毛の高さが実質的に不規則にばらつき、前記毛保持面における毛の位置からは実質的に独立しているヘアブラシである。植毛領域は、(i)少なくとも5つの高さが有意に互いに異なる高さ特性と、(ii)前記植毛領域の毛のうち少なくとも80％は、少なくとも0．5mmの幅を有する幅特性と、(iii)前記毛のうち少なくとも60％が丸い端部を有する毛端部特性と有する特性を有する。
【００６９】
毛保持面と、前記毛保持面に個々に植設された少なくとも100本の毛を有する植毛領域とを有しており、前記植毛領域の毛の端部にて規定される先端部面は、ふぞろいで実質的に不規則な形状であるヘアブラシである。前記植毛領域は、(i)少なくとも5つの高さが有意に互いに異なる高さ特性と、(ii)前記植毛領域の毛のうち少なくとも80％は少なくとも0．5mmの幅を有する幅特性と、(iii)前記毛の少なくとも60％が丸い端部を有する毛端部特性との特性を有する。
【００７０】
毛保持面と、前記毛保持に個々に植設された少なくとも100本の毛を有する植毛領域とを有しており、前記植毛領域の平均高さはHEIGHT＿AVGとして定義され、前記植毛領域の高さ標準偏差はHEIGHT＿SDとして定義されるヘアブラシである。前記植毛領域は、高さ特性、幅特性、及び毛端部特性を有しており、(i)前記幅特性に基づき、前記領域の毛のうち少なくとも80％は、少なくとも0．5mmの幅を有しており、(ii)前記毛端部特性に基づき、前記領域内の毛のうち少なくとも60％が丸い端部を有しており、(iii)前記高さ特性に基づき、A)前記植毛領域は、有意に互いに異なる少なくとも5つの高さを有しており、B)前記植毛領域は、前記植毛領域の合計の毛の本数の少なくとも10％である本数を有する少なくとも1つの高さ外れ値部分(HOS)を含み、前記高さ外れ値部分HOSは、C)毛の高さがHEIGHT＿AVGとHEIGHT＿SDとの合計を上回る非常に丈のある毛(VTB)の毛部分と、D)毛の高さがHEIGHT＿AVGとHEIGHT＿SDとの差異を下回る非常に丈のない毛(VSB)の毛部分からなる群から選択されて、前記植毛領域全体への植設と少なくとも1つの高さ外れ値部分HOSへの植設との対比があるように、また、前記植毛領域の毛全体は実質的に一定の密度で前記毛保持面における特定区域SA内に植設される一方、前記高さ外れ値部分HOSの毛は、前記特定区域SA内のふぞろいで非周期的な位置に植設されるように、前記植毛領域の毛が前記毛保持面に個々に植設される。
【００７１】
ある実施形態では、毛は、毛保持面に個々に植設されている。
【００７２】
毛保持面と、前記毛保持面に植設された少なくとも100本の毛を有する植毛領域とを有しており、前記毛は、別々の柔軟性を有する様々な材料にて構成され、それぞれの毛は対応する材料にて構成され、それぞれの毛の毛材の柔軟性は実質的に不規則にばらついており、前記毛保持面における毛の位置からは実質的に独立しているヘアブラシである。前記植毛領域は、(i)前記毛のうち少なくとも70％は、5mm〜25mmの高さを有し、(ii)前記植毛領域の高さ標準偏差と平均高さとの比率は、少なくとも0．075であり、(iii)別々の毛の毛材の柔軟性のばらつきは、毛幅標準偏差と毛幅平均との比率が少なくとも0．07である場合に取得できる前記領域の平均高さである固定高さに対する毛の柔軟性のばらつきと同等であり、(iv)前記植毛領域の毛のうち少なくとも80％は、少なくとも0．5mmの幅である幅特性と、(v)前記毛のうち少なくとも60％が丸い端部を有する毛端部特性とを有する。
【００７３】
ある実施形態では、毛のうち少なくとも90％は、5mm〜25mmである高さを有する。
【００７４】
ある実施形態では、植毛領域の高さ標準偏差と平均高さとは少なくとも0．12である。
【００７５】
ある実施形態では、別々の毛内の毛材の柔軟性のばらつきは、毛幅標準偏差と毛幅平均との比率が少なくとも0．07である場合に取得できる前記領域の平均高さである固定高さに対する毛の柔軟性のばらつきと同等である。
【００７６】
ある実施形態では、少なくとも、毛保持表面の毛で覆われた部分の少なくとも50％である被覆部の大部分は、1つ以上の不規則な又は準不規則な高さ特性、不規則な又は準不規則な幅特性、及び不規則な又は準不規則な材料の柔軟性特性とを有する植毛領域にて覆われている。
【００７７】
ある実施形態では、被覆部の大部分は、少なくとも60％、少なくとも70％、少なくとも90％、及び少なくとも95％から選択された大きさでの実質的に大部分である。
【図面の簡単な説明】
【００７８】
【図１Ａ】図1Aは、ある実施形態に係わる例示的なヘアブラシを示す。
【図１Ｂ】図1Bは、ある実施形態に係わる例示的なヘアブラシを示す。
【図２Ａ】図2Aは、ある実施形態に係わる例示的なヘアブラシを示す。
【図２Ｂ】図2Bは、ある実施形態に係わる例示的なヘアブラシを示す。
【００７９】
【図３Ａ】図3Aは、ある実施形態における一対の毛の間の距離を示す。
【図３Ｂ】図3Bは、ある実施形態における一対の毛の間の距離を示す。
【００８０】
【図４Ａ】図4Aは、ある実施形態における図1A〜2Bのヘアブラシの様々な毛の位置を示す。
【図４Ｂ】図4Bは、ある実施形態における図1A〜2Bのヘアブラシの様々な毛の位置を示す。
【図４Ｃ】図4Cは、ある実施形態における図1A〜2Bのヘアブラシの様々な毛の位置を示す。
【図４Ｄ】図4Dは、ある実施形態における図1A〜2Bのヘアブラシの様々な毛の位置を示す。
【００８１】
【図５】図5は、高さヒストグラムである。
【００８２】
【図６】図6は、毛の太さ特性を示す。
【００８３】
【図７】図7は、最短毛間距離に関連したヒストグラムである。
【００８４】
【図８】図8は、ある実施形態におけるグリッド点を示す。
【００８５】
【図９Ａ】図9Aは、ある実施形態におけるファンブラシである。
【図９Ｂ】図9Bは、ある実施形態におけるファンブラシである。
【図９Ｃ】図9Cは、ある実施形態におけるファンブラシである。
【００８６】
【図１０Ａ】図10Aは毛の位置を示す。
【図１０Ｂ】図10Bは毛の位置を示す。
【図１０Ｃ】図10Cは毛の位置を示す。
【図１０Ｄ】図10Dは毛の位置を示す。
【図１０Ｅ】図10Eは毛の位置を示す。
【図１１】図11は、高さヒストグラムである。
【図１２Ａ】図12Aは、最短毛間距離に関連したヒストグラムである。
【図１２Ｂ】図12Bは、最短毛間距離に関連したヒストグラムである。
【図１２Ｃ】図12Cは、最短毛間距離に関連したヒストグラムである。
【図１２Ｄ】図12Dは、最短毛間距離に関連したヒストグラムである。
【図１３】図13は、毛の位置を示す。
【００８７】
【図１４】図14は、ヘアブラシの試験結果を示す。
【００８８】
【図１５】図15は、ある実施形態における実質的に共線性の毛のコンセプトを示す。
【００８９】
【図１６Ａ】図16Aを示して毛地区ある実施形態では。
【図１６Ｂ】図16Bを示して毛地区ある実施形態では。
【００９０】
【図１７】図17は、毛の組み合わせだから単語を形成し、部分の(の又は全部)が地域のためのルーチンを示しています。
【００９１】
【図１８】図18の順序を示して毛近傍ある実施形態では。
【発明を実施するための形態】
【００９２】
下記の請求項は、図面を参照して、例示した実施形態の本詳細な説明を参照することで、よりよく理解することができる。説明、実施形態、図面は、請求項の範囲を限定するものではない。今回開示する方法、及び装置のすべての特徴が、すべての実施に必要というわけではないことを理解する必要がある。また、工程又は方法が示される又は説明される今回の開示部分において、1つのステップが、最初に実行した別のステップに依存することが文脈から明らかではない場合、方法におけるそのステップはどの順序にて実行してもよく、又は同時に実行してもよいことを理解する必要がある。本願にて使われるとおり、「してもよい」の語句は、強制的な意味合い(すなわち「しなければならない」を意味する)よりは、許容的な意味合い(すなわち、「能力があること」を意味する)にて使われている。
【００９３】
明確にするために、他の実施形態の文脈にて説明される発明の特定の特徴は、1つの実施形態にて組み合わせて提供されてもよいことが理解できる。逆に、簡素化するために、1つの実施形態の文脈にて説明される発明の様々な特徴は、独立して又は適切な部分的な組み合わせ(sub-combination)により提供されてもよい。
【００９４】
毛の端部にて規定された「毛端部」の表面が、平らではない非周期性の特性(例えば、準不規則な又は不規則な特性)を有するヘアブラシを用いて、比較的「痛みが軽減された」又は「痛みのない」方法にて毛髪をほぐすことができる。本発明者の管理の下で実施されたテストでは、「痛みが軽減された」又は「痛みのない」ヘアブラシ(すなわち、本願にて開示される特徴に基づき構成されたものやその特徴の組み合わせにて構成されたもの)を使用することで、濡れた毛髪、及び／又はコンディショナーで適切にいたわっていなかった濡れた毛髪であっても、人間又は動物の毛(例えば、長い毛髪)をほぐすのに必要な時間の量を著しく減らすことや毛髪をほぐすことに関わる痛みの度合いを著しく減らすことが発見された。
【００９５】
図1A〜2Bは、そのような新規の「痛みを軽減してほぐす」ヘアブラシの限定することのない一例の図である。
【００９６】
特定の理論で制限されることは意図しないが、平均の毛髪長さは、頭部全体で、又は頭部のある範囲にて同一かもしれないという事実はあるにせよ、人間の毛髪の長さは一般に等しくなく、一般に、不規則な又は準不規則な感じでばらつくことは注目すべきことである。本発明者は、毛髪の長さ、及び／又は毛髪の太さの不規則な又は準不規則なばらつきに、少なくとも部分的に、ならった様式にて、ヘアブラシの毛保持面上で毛の長さ、及び／又は太さ、及び／又は材料の柔軟性を実質的に不規則に変化させることで、比較的痛みが軽減されて、及び／又は痛みなく毛髪をほぐすことが可能であると仮定した。
【００９７】
このように、この論理に基づいて、ヘアブラシ、及び特に先端部により規定される「毛端部」表面の形状が特定の度合いの無秩序又はエントロピーを有しているため、ほぐす対象の毛髪と「適合性」がある。さらに、この毛の形状・寸法(毛の長さが一定である状況、又はいくらか「秩序だった」感じでばらつくという状況とは逆である形状・寸法)が、毛髪をほぐすのに関連した応力又は引張力を分散させるのに役に立つと思われ、結果、あらゆる1つの位置における応力の量を減らしている。
【００９８】
文字、及び図面にわたり、多くのありうる特徴が開示されている。(i)すべての実施形態において、すべての特徴が必要なわけではないこと、及び(ii)特徴のいかなる組み合わせ(すなわち、全部の特徴、又は本文書に明示的に掲載されていない組み合わせも含む特徴のいかなる部分)が、特定の実施形態にて提供されうることは理解されるべきであろう。
【００９９】
図1A〜2Bは、本発明のある実施形態に係わるヘアブラシを示す。ヘアブラシ500は、ブラシ胴体部510と、ブラシ胴体部510の毛保持面530の範囲540に植設された毛とを有している。さらに、ブラシ胴体部は握り部520を有している。
【０１００】
範囲540の中心側部が560と示され、範囲540の「縁部」は570と示される。「内側植毛領域」は、この中心側部560内にあり、「外側植毛領域」は、縁部570内にある。
【０１０１】
図2を参照する。図2は、毛の先端部によって規定された「毛の端部面」(破線・点線にて示す)を示す。「毛の端部面」550は、毛以外のいかなる追加材料をも必要とせずに存在し、むしろ、この面は、毛の先端部を補間して形成された表面を示している。
【０１０２】
毛保持面530の中心側部560にあるこの毛の端部面550の1つの目立った特徴は、毛の端部面550が、いかなる識別可能な周期性をも実質的に持たず、また明らかに識別可能な確率的な／不規則な特性を有する、ふぞろいな形状にされていることである。
【０１０３】
理論で制限されることは意図しないが、毛髪の端部、及び／又は頭骨の表面から「一番高い」毛髪の1本1本の部分によって規定される「毛髪表面」は、毛髪自体に規定されてもよいと思われる。この「毛髪表面」(図示しない)も、特に毛髪をほぐすときに、特定のレベルの準不規則性又は不規則性又は無秩序又はエントロピーを有している。先端部面550は、(「毛髪表面」と同様の)これら非周期性の／準不規則な／不規則な特性を有するため、このことによりブラシの毛が毛髪表面に引張力又は応力を誘因せずに入り込むことができると仮定できる。
【０１０４】
図1B、及び2Aにみられるように、毛保持表面の縁部付近の範囲570においては、毛が中心側範囲560の毛に比べかなり短い。このオプションの「外側植毛領域」(毛を中心側範囲560に有する内側植毛領域とは対照的)のおかげで、ある実施形態では、内側領域の毛がユーザーの毛髪に比較的「なめらかに」入り込むことができる。例えば、多くのユーザーは、縁部付近のヘアブラシの外側の範囲570がブラシの内側の範囲560より先に毛髪にぶつかるように／接触するようにブラシを動かして、毛髪にブラシをかける。この場合、最初に、外側の範囲の丈のない毛が、最初に毛髪にまず接触し、(例えば、毛髪をほぐすための)より「積極的な」長い毛が直後に接触する。
【０１０５】
図1A〜2Bのヘアブラシの1つの目立った特徴は、ヘアブラシの「毛が植設された」又は「毛で覆われた」部分の大部分(図1A〜2Bの例においては、これは、範囲560と範囲570に相当する)は、ある種の不規則なパターンがこの「大部分」において支配的であるように構成されている。すなわち、ある種の不規則なパターンとは、実質的に不規則な高さパターン、及び／又は実質的に不規則な幅パターン、及び／又は実質的に毛材の柔軟性パターンのことである。図1Bの場合、外側領域570の区域が内側領域560の区域よりもかなり少ないため、この状態が実質的に大部分である。図9A〜9Cの場合、これが実質的に全体の区域である。他の実施形態において、「大部分」は、少なくとも60％、又は少なくとも70％、又は少なくとも80％、又は少なくとも90％、又は少なくとも95％、又は実質的に100％である実質的に大部分のことであってもよい。
【０１０６】
材料の柔軟性の多様性については、毛は、様々な柔軟性を有する材料によって構成される。例えば、ある毛は、1つのタイプの材料(例えば、1つのタイプのプラスチック)にて構成される。他の毛は、別の柔軟性を有する別のタイプの材料(例えば、別のタイプのプラスチック)により構成される。また、さらに他の毛は、さらに別の柔軟性を有する別のタイプの材料(例えば、別のタイプのプラスチック)により構成される。このように、少なくとも2つ、又は少なくとも3つ、又は少なくとも4つ、又は少なくとも5つ、又はどんな数の毛材をも使うことができる。
【０１０７】
本開示において、「内側植毛領域」の語は、ヘアブラシの表面に共に設けられている他の植毛領域の有無にかかわらず、どのような植毛領域をも示すことができる。このように、不規則な高さ特性を有する植毛領域は、他の毛とともに設けられるかもしれないし、設けられないかもしれない。
【０１０８】
図1A〜2Bのヘアブラシは、単に説明を意図したものであり、限定されることは意図していない。しかしながら、ある実施形態では、特定のヘアブラシが、図1A〜2Bのヘアブラシの1つ以上の(毛の長さ特性を示す特徴、及び／又は毛の幅特性を示す特徴、及び／又は毛の位置、及び毛の長さ、及び／又は幅の関係を示す特徴を非限定的に含む)共通の特徴を有してもよいと理解できる。
【０１０９】
以下は、図1A〜2Bの非限定例に関連するいくつかの物理的パラメーターの省略したリストを示す。リストは、中心範囲の植毛領域(「内側植毛領域」と呼ばれる)に特に関連している。定義のセクションの後に、他のリストが示される。特徴のいかなる組み合わせも提供しうると理解できる。
(i)毛の本数  図1A〜2Bの例において、内側植毛領域は、約300本の毛を有している。他の実施形態において、内側植毛領域(又は「不規則な高さ特性、及び／又は不規則な幅特性、及び／又は不規則な材料の特性を有する領域」)は、少なくとも50本の毛、又は少なくとも100本の毛、又は少なくとも150本の毛、又は少なくとも200本の毛、又は少なくとも250本の毛を有している。好ましくは、これらの毛のそれぞれが、少なくとも0．5mmの太さ(又は、実施形態によっては、少なくとも0．75mmの太さ、又は少なくとも0．85mmの太さ、又は少なくとも1mmの太さ)を有しており、及び／又は、これらの毛のそれぞれが、少なくとも5mmの高さ(又は、実施形態によっては、少なくとも4mmの高さ、又は少なくとも6mmの高さ、又は少なくとも7mmの高さ)を有している。
【０１１０】
(ii)毛の高さ  内側領域の毛(又は、「不規則な高さ特性、及び／又は不規則な幅特性、及び／又は不規則な材料の特性を有する領域」)は、毛の高さの多様性があり、有意に互いに異なる様々な高さの毛(すなわち少なくとも5、又は少なくとも8、又は少なくとも10、又は少なくとも12種類の高さの毛)が植設されていてもよい。ある実施形態では、実質的に不規則にばらついた高さである植毛領域の平均の毛の高さ(例えば、区域560における「内側領域」)は、1cmのオーダー(order of magnitude)であろう。例えば、7mm〜18mm、例えば、8．5mm〜15mm、又は8mm〜14mmである。「毛の高さ」の特徴のさらなる考察は、図5、7、10A〜12Dを参照にして以下に示される。
【０１１１】
以下に検討されるように、毛の高さに関連する様々な他の特性が提供される。例えば、「植毛領域」の毛に対する高さ分布機能(すなわち、不規則な高さ特性を有すること)に関連するものがある。図1〜2から(また、高さヒストグラムを示す図5から)明らかに読み取れるように、内側領域内の高さ(又は、「不規則な高さ特性、及び／又は不規則な幅特性、及び／又は不規則な材料の特性を有する領域内の高さ)は、決して均一ではない。むしろ、顕著で有意な高さの「値幅」が存在する。
【０１１２】
(iii)毛の太さ  ある実施形態では、内側領域(又は、「不規則な高さ特性、及び／又は不規則な幅特性、及び／又は不規則な材料の特性を有する領域)の毛の太さは、約1．2mmのオーダーである。例えば、0．8mm〜2mmである。しかしながら、実際の毛の太さは、使用される毛材によって決まる。「毛の太さ」の特徴のさらなる考察が、図6を参考にして以下に示される。
【０１１３】
(iv)毛の配向性  図面に見られるように、「内側領域」(又は「不規則な高さ特性、及び／又は不規則な幅特性、及び／又は不規則な材料の特性を有する領域」)の毛は、一般に「まっすぐに立っている」。すなわち、毛保持面530の局所平面に対して実質的に垂直に配向され、及び／又は実質的に毛の表面の局所法線と(例えば、30度、又は20度、又は10度の許容範囲内にて)共直線となる。
これは、毛保持面530のあらゆる形状／形の場合に対しても同じでありうる。例えば、平らな(図1A〜2Bに示されるように)、又は丸みを帯びた、又はさらには円筒状のファンブラシである。ある実施形態では、「不規則な高さ特性、及び／又は不規則な幅特性、及び／又は不規則な材料の特性を有する領域」の毛は実質的に互いに平行である(又は、局所的に互いに平行である)。
【０１１４】
(v)毛の形状の特徴  図面に見られるように、毛は全部実質的に(湾曲したりねじれたりするというよりは)直線状である。それに加え、内側植毛領域560、及び／又は外側植毛領域570(又は「不規則な高さ、及び／又は不規則な幅、及び／又は不規則な材料の柔軟性特性を有するあらゆる領域)の毛が実質的に丸い端部を有してもよい。例えば、「領域」の毛の実質的に大部分とは、少なくとも60％、又は75％、又は85％、又は90％のことである。このことは、ブラシの毛が頭皮に接触する場合に、より快適な効果を生むのに役に立つかもしれない。
【０１１５】
ある実施形態では、「内側領域」(又は、「特定区域」内のあらゆる領域)の毛のうち大部分、又は少なくとも60％、又は少なくとも70％、又は少なくとも80％、又は少なくとも90％である実質的に大部分が、実質的に直線状である。
【０１１６】
(v)毛の密度  図面にて識別できるように、ブラシの中心部内では、毛の密度が、(完全に一定ではないが)実質的に一定になる傾向がある。「実質的に一定の毛の密度」に関連した実施形態では、「内側領域」内には(又は、「不規則な高さ特性、及び／又は不規則な幅特性、及び／又は不規則な材料の特性を有する領域」には)、かなり大きな毛の植設されていない範囲は存在しない傾向にあり、又は他の範囲と比べて毛が明らかに「過密である」範囲も存在しない傾向にある。
【０１１７】
(vi)材料／取り付け手段  毛は、プラスチック材料から構成され、ブラシの毛保持面に取り付けられてもよい。毛が毛保持面に「取り付けられる」又は「植設される」一例としては、毛が「毛保持表面」の「ブラシの表面」に接着され、又は針でとめられたり、又は固定されたりすることである。他の例においては、毛がブラシの表面に一体的に形成されてもよい。例えば、ブラシの表面、及び毛が、同一材料で構成されてもよい。ブッシュ(bush)表面と毛の形状に適合する特別な型を製造してもよい。この型の形状特性にて、毛を有するブッシュの「長さ特性」、又は「太さ特性」、又は「毛の密度特性」、又はあらゆる他の形状特性を決めてもよい。この「一体に形成された」ブラシは、毛が毛保持表面に「取り付けられた」又は「植設された」他の例である。
【０１１８】
(vii)均一な局所平均高さ  図2Bから明らかに識別可能な1つの特徴は、「内側の範囲」内にて、個々の毛の高さにおいてかなりのばらつきがある場合でも、それぞれの毛の局所平均高さはかなり小さな範囲でばらつくかもしれないということである。ある実施形態では、「不規則な高さ特性、及び／又は不規則な幅特性、及び／又は不規則な材料の特性を有する領域」の範囲において、近傍の有意な毛(すなわち、有意な高さを有する近傍毛。例えば、少なくとも30％)のうちそれぞれの毛の局所平均した高さは、毛の高さ自体と比べてかなり小さな範囲にてばらつく。このように、先端側の毛の表面550が、近傍(例えば、約7．5mmの半径を有する近傍、及び／又は50％、又は40％、又は30％、又は20％、又は10％の許容誤差内の平均の毛の高さに等しい半径を有する近傍)にてなめらかである場合、「近傍がなめらかな」先端側の毛の表面は、実質的に一定であることが確認できるかもしれない。
【０１１９】
定義
便利にするため、本明細書における説明の文脈においては、様々な語が用いられる。本願のこの又は別の箇所において、明示的に、又は暗示的に定義が提示される限り、そのような定義は、当業者により定義された語句の使用法と一致していると理解されるべきである。さらに、そのような定義はそのような使用法と一致した可能な限り広い意味で解釈されるべきである。
【０１２０】
本発明の実施形態は、毛の高さが「毛保持面における毛の位置からは実質的に独立して実質的に不規則にばらつく」ように毛がヘアブラシの表面に植設されている植毛領域に関連している。
【０１２１】
本開示においては、植毛領域の毛の高さ／長さが「毛保持面における毛の位置からは実質的に独立して実質的に不規則にばらつく」場合、(i)複数本の毛を一緒にして、1つの集団(coherent unit)又は「領域」と見なすことができる(ii)植毛領域の毛において、視覚的に識別できる毛の長さ／高さのパターン(すなわち、不規則性以外のパターン)は存在しない、(iii)このように、植毛領域の毛が「実質的に不規則な」高さパターンを有することが、視覚的に明らかである。
【０１２２】
前の段落で説明された「植毛領域」の毛の視認可能な「実質的に不規則な」高さパターンをあいまいにしたり打ち消したりしないさらなるオプションの物体又は特徴が提供されうると理解できる。一例においてヘアブラシの形状は、図1A〜2Bに示された平らな形状以外のものであってもよい。
【０１２３】
他の例においては、「植毛領域」に、それを超えて、少なくとも100本の毛、又は少なくとも150本の毛、又は少なくとも200本の毛、又は少なくとも250本の毛があってもよく、例えば、外側領域又は毛保持面上のそのほかのあらゆる位置に植設されてもよい。ある特定の例においては、追加の毛は「不規則な高さ特性」を有する内側領域の毛よりも実質的に長さの短い「丈のない」毛、又は「細い」毛であってもよく、又はあらゆる他の形状寸法を有していてもよい。しかしながら、実質的に不規則な高さ特性を有する実施形態において、これらさらなるオプションの物体又は特徴は、毛の視認可能な「実質的に不規則な」高さパターンをあいまいにしたり打ち消したりすることはない。
【０１２４】
このように、図1A〜2Bにおける縁部570の外側領域の毛は、「不規則な高さ特性」を有しているかもしれないし、有していないかもしれない。しかしながら、それらの毛の存在(又は、あらゆる位置のその他のあらゆる「追加の」毛の存在)は、「内側領域」にて識別可能な不規則な高さ特性をあいまいなものにしないことは明らかである。
【０１２５】
「実質的に不規則な」という語は、上述されたこれら可視のパターンが存在する限りは、高さパターン(又は、幅又は柔軟性パターン)が厳密に数学的に不規則なパターンである必要はないことを意味している。
【０１２６】
不規則な高さ、及び／又は不規則な幅、及び／又は不規則な材料の硬さ特徴を有する「植毛領域」(又は、他の毛の群(group)又は植毛領域)の物理的、及び／又は統計的特性が考察される場合、これは、「不規則な高さ特性」を有する植毛領域を言及するのみで、他の追加の毛を言及しないことは明らかである。そのような物理的、及び／又は統計的特性は、毛の密度、又は高さ、又は太さ、又は材料、又はあらゆる他の特性に関連しうる。図1A〜2Bの「植毛領域」ヘアブラシの特定の計測された物理的、及び／又は統計的特性について、様々な図面を参照にして考察する。
【０１２７】
本発明の実施形態は、識別可能な高さ、及び／又は太さ、及び／又は材料の柔軟性パターンを有する「植毛領域」の毛が「個々に植設された」場合に関連しており、房、又は複数本の毛、又は毛束として植設された場合には関連していない。むしろ、毛は毛保持面に個々に植設されている。すなわち、それぞれの毛が離されて毛保持面に植設されている。
【０１２８】
このように、図1A〜2Bに示されたように、毛、及び／又は毛の「ベース部／下部／基端部」は互いに離間され、従来技術での「毛束」又は「毛の房」として知られるような「一緒に束」にはなっていない。むしろ、それらはそれぞれが、図面に示されたように「個別に」植設されている。
【０１２９】
房又は束として植設されていない毛(むしろ、独立して植設されている毛)の他の目立った特徴は、毛が互いに平行になっていてもよいという事実である。ある実施形態では、母集団の毛の大部分又はほとんど(すなわち少なくとも70％、又は少なくとも80％、又は少なくとも90％)が、すべて「局所的に平行」である。すなわち、母集団のすべての近傍毛に平行である。例えば、毛の母集団のすべての毛が、1cmよりも近くにあり、又は0．5cmよりも近くにある。このように、円筒状ブラシに植設された毛の場合であっても、房又は束状に植設されていないこれらの毛は、局所的に平行といえるであろう。
【０１３０】
先端側の毛の表面が「実質的に不規則にばらつく」形状である場合、これは、毛の先端表面に視覚的に識別できる(すなわち、不規則性以外の)パターンが存在しないという状況を意味している。再度記述すると、（確率的な高さ特性を有するかもしれないし、有していないかもしれない)追加の毛が、毛の先端表面を形成する「領域の毛」とは別に存在するかもしれない。例えば、この追加の毛とは、先端側の毛の表面の「大部分の不規則な又はふぞろいな又は非周期性の」部分の領域の毛よりもかなり丈のない毛かもしれない。しかしながら、追加の毛は、毛の先端表面550(又はその一部分)の明らかに識別可能で不規則な感じの、又はふぞろいな表面形状パターを打ち消すことはない。
【０１３１】
ある実施形態は、多くの様々な高さ(すなわち少なくとも5つ、又は少なくとも8つ、又は少なくとも10つ、又は少なくとも12種類の高さ)が「有意に互いに異なる」状態にて植毛領域に設けられる又は配置される場合に関連している。毛の「有意に異なる」高さという語は、毛髪のブラッシング機能に照らして用いられており、例えば、製造工程を原因とした微少な(例えば、顕微鏡レベルの)高さのばらつきとは異なる。これらの有意に異なる高さは、ユーザーが裸眼にてブラシを見れば、はっきりと視認することができる(図1A〜2B参照)。図1A〜2Bに関連した例にて(そして、内側領域の高さヒストグラムである図5を参照して詳細に考察されるように)、実質的に互いに異なる少なくとも5つの高さの「値幅」というのは、少なくとも数mmのオーダーである。
【０１３２】
毛が「実質的に硬い」とされる場合、毛がほぼ硬いという場合であっても、例えば、ブラッシングを痛みが軽減されたものにするための、少しの柔軟性がまだありうることを意味している。このように、「実質的に硬い」という語は、「目的(毛髪の範囲内に入り込み、毛髪をほぐすこと)を果たすために十分に硬い」ことを意味している。
【０１３３】
「毛」は十分な太さがあり、この目的を果たすための材料で作られている。ある実施形態においては、毛が少なくとも0．5mmである太さ／幅(すなわち、プラスチックの場合)を有している。
【０１３４】
なお、図3A〜3Bを参照して、「毛と毛の間の距離」(図3A〜3Bにおいて、毛B1と毛B2との間の距離(B1、B2)として示される)は、毛のそれぞれの「毛の下部／ベース部／根本部／基端部」におけるセントロイド(centroid)間のヘアブラシの表面530に沿った距離のことである。
【０１３５】
毛の「位置」は、ブラシの表面上の毛の中心／セントロイド(すなわち、局所的なブラシの表面からの「高さ」が「ゼロ」)の位置を示す。「毛間の距離」とは、中心と中心との間の距離を示す。
【０１３６】
「毛保持面」の語は、特定のタイプの表面に限定されることを意図しておらず、逆に、毛が植設された表面の名称を提示することを単に意図している。
【０１３７】
本開示においては、植毛領域の毛幅／太さが「毛保持面における毛の位置からは実質的に独立して実質的に不規則にばらつく」場合、(i)複数本の毛を一緒にして集団又は「領域」と見なすことができ、(ii)植毛領域の毛において視覚的に識別できる毛の長さ／高さのパターン(すなわち、不規則性以外のパターン)が存在せず、そして(iii)このように、植毛領域の毛は「実質的に不規則な」高さパターンを有していることが視覚的に明らかである。
【０１３８】
以下に示したリストは、内側植毛領域560の毛によって提供されうる特徴を示した「特徴のタイプ」により区分された様々な特徴である。「外側領域」が存在するか否かに関わらず、「内側植毛領域」に関連するいかなる特徴は、1つ以上の実施形態において、不規則な高さ、及び／又は不規則な幅、及び／又は不規則な材料の柔軟性特性を有する植毛領域に関連してもよい。他の実施形態において、特徴のいかなる組み合わせを有してもよい。
【０１３９】
図4の考察  本数の特徴と密度の特徴
図4Aは、図1A〜2Bの限定しないヘアブラシの毛の位置のマップである。図4B〜4Dは、図4Aのマップの特定の部分的な範囲を示す。図4Aに見られるとおり、図1A〜2Bの例において内側植毛領域560(図1A〜2Bの特有な場合であるが、不規則な毛の長さパターンが識別される毛の「特定区域」を示す)は、約300本の毛を有している。これは、単に1つの特定のベース部のことであり、「特定区域」内においても、これよりも多くのまたは少ない本数の毛が植設されてもよい。
【０１４０】
他の実施形態において、不規則な毛の長さパターンが識別されうる毛の「特定区域」における毛の本数は、少なくとも、少なくとも100本、又は少なくとも150本、又は少なくとも200本、又は少なくとも250本の毛である。
【０１４１】
少なくとも100本の毛、又は少なくとも150本の毛、又は少なくとも200本の毛、又は少なくとも250本の毛は、特定の特性を有してもよい。例えば、(i)少なくとも0．5mm、又は少なくとも0．7mm、又は少なくとも0．8mm、又は少なくとも0．9mmであるこれらの毛の太さ／幅／直径を有してもよく、及び／又は(ii)少なくとも3mm、又は少なくとも5mm、又は少なくとも7mmである毛の高さを有してもよく、及び／又は(iii)多くとも25mm、又は多くとも22mm、又は多くとも20mm、又は多くとも18mm、又は多くとも16mmである毛の高さを有してもよい。
【０１４２】
ある実施形態では、「特定区域」内のすべての毛のうち、少なくとも50％、又は少なくとも70％、又は少なくとも80％、又は少なくとも90％、又は少なくとも95％の毛が、少なくとも、少なくとも0．8mm、又は少なくとも0．9mm、又は少なくとも1mmの太さを有している。
【０１４３】
図4A〜4Dにて識別できるであろう他の目立った特徴は、毛が、「実質的に一定の密度」にて内側の範囲内に植設されていることである。ある実施形態では、密度が厳密に一定にならないほうが好ましいかもしれないが、毛の密度には比較的小さなばらつきを許容している(又は、むしろ好ましい)。
【０１４４】
例えば、内側領域には、毛の植設されていない(又は、かなりの低密度の毛を有する)比較的小さな範囲1020があってもよい。また、内側領域には、比較的高密度である比較的小さな範囲1024があってもよい。しかしながら、これらのばらつきは比較的小さく、「内側領域」の毛の全体的な「実質的に一定の密度」パターンを打ち消すものではなく、及び／又は「不規則な高さ、及び／又は不規則な幅、及び／又は不規則な材料の柔軟性パターンを有する領域」を打ち消すものでもない
【０１４５】
ある実施形態では、少なくとも100本、又は少なくとも150本、又は少なくとも200、又は少なくとも250本の毛を有した植毛領域が、約20〜100cm2の大きさ(例えば、約30〜約50cm2の大きさ)のヘアブラシの毛保持面530の区域に設置されており、以下に検討されるように、「内側領域」(又は他の不規則な特性を有する領域)の毛に対して様々な毛密度や様々な幅が用いられてもよい。
【０１４６】
上述のとおり、ある実施形態においては、毛の密度のある程度の空間的なばらつき(すなわち、「内側領域」の毛、及び／又は高さが、少なくとも4mm、又は少なくとも5mm、又は少なくとも6mm、又は少なくとも7mm、又は少なくとも8mmである少なくとも最小高さの毛、及び／又は太さが、少なくとも0．5mm、又は少なくとも0．7mm、又は少なくとも0．85mm、又は少なくとも1mm、又はそれ以上である少なくとも最小太さの毛)が許容されうるし、又は望ましいこともある一方で(図4における範囲1024や範囲1020参照)、内側領域の毛の全体的な密度が実質的に一定であることも望ましいこともあることが図4から明らかである。
【０１４７】
図5の考察  高さの特徴
図1A〜2Bの特定の例において、内側植毛領域(すなわち範囲560)における毛の高さの統計的特性が算出された。表1は、この高さ分布をまとめた統計表である。
【０１４８】
【表１】
2013507199.tif 000003
【０１４９】
内側領域が296本の毛を有する図1A〜2Bの特定の例において、平均の毛の高さは11．3mm、高さ標準偏差は2．34mmである。図1A〜2Bの例において、高さ標準偏差と平均高さとの比率(すなわち高さSD／平均高さの比率)は0．21である。
【０１５０】
図5は、特定の「ビン(bin)」内にある高さの値の頻度を示す「高さヒストグラム」である。
【０１５１】
すべての高さが同一とは限らないことは、図5から明らかである。むしろ、一定の高さの「値幅」があり、高さのばらつきもある。他の実施形態において(図5に見られるように)、「有意に互いに異なる」多くの高さ(すなわち、少なくとも5、又は少なくとも8、又は少なくとも10、又は少なくとも12、又は少なくとも15、又は少なくとも20種類の高さ)がある。毛の「有意に異なる」高さという語は、毛髪のブラッシング機能に照らして用いられており、例えば、製造工程を原因とした微少な(例えば、顕微鏡レベルの)高さのばらつきとは異なる。これらの有意に異なる高さは、ユーザーが裸眼にてブラシを見れば、はっきりと視認することができる。
【０１５２】
他の実施形態において、内側領域の毛は、「最小長さ」又は「最大長さ」を有している(これは、内側領域の毛にのみ関連しており、内側以外の領域の追加の毛は、他のどんな長さであってもよい)。理論で制限されることはないが、丈のない毛が「最小長さ」を有する場合、毛髪を離す／ほぐす機能を果たすことができない。理論で制限されることはないが、長い毛が「最大長さ」である場合、毛髪をほぐす工程の「邪魔」になり、及び／又は痛みの量を増加させ、及び／又はプラスのほぐし機能として役に立たない。
【０１５３】
ある実施形態では、内側領域(又は、あらゆる「不規則な特性の領域」)の毛のうち、少なくとも50％、又は少なくとも60％、又は少なくとも70％、又は少なくとも80％、又は少なくとも90％、又は少なくとも95％、又は少なくとも99％(いかなる組み合わせも可能)の毛は、少なくとも6mm、又は少なくとも7mm、又は少なくとも8mm、又は少なくとも9mmとなる最小長さを有してもよく、及び／又は多くとも20mm、又は多くとも19mm、又は多くとも18mm、又は多くとも17mm、又は多くとも16mm、又は多くとも15mmとなる最大長さを有してもよい。いかなる組み合わせも可能であり、例えば、少なくとも60％の毛が少なくとも7mmの長さを有し、少なくとも80％の毛が多くとも16mmの長さ、又はあらゆる他の組み合わせを有してもよい。
【０１５４】
図5は、区域560内の毛の高さ範囲が、約7mm〜約16mmである状況を示す。他の実施形態において、区域560内の毛の高さ範囲は、約3．5mm〜約16mm(ある実施形態では約6mm〜約16mm)であってもよく、例えば、この結果、ある実施形態では、実質的にすべての(例えば、少なくとも80％、又は少なくとも90％の)毛がこの高さ範囲におさまる。すなわち、実質的にすべての毛が、以下の(a)3．5mm〜16mm、(b)3．5mm〜18mm、(c)6mm〜16mm、及び(d)6mm〜18mmの4つの高さ範囲内におさまる。
【０１５５】
毛の高さ分布が厳密に均一ではない場合であっても、高さ分布は均一な高さ分布のいくつかの特性を有するかもしれないことは、図5から明らかである。例えば、ある実施形態では、内側領域の毛の母集団のうちの第1部分(例えば、少なくとも5％、又は少なくとも10％、又は少なくとも15％、又は少なくとも20％)が、比較的「丈のない」範囲(高さ範囲1)におさまる高さを有する「丈のない毛」であり、内側領域の毛の母集団のうち第2部分(例えば、少なくとも5％、又は少なくとも10％、又は少なくとも15％、又は少なくとも20％、又は少なくとも25％)が、比較的「中間の高さ」範囲(高さ範囲2)におさまる高さを有する「中間の高さの毛」であり、内側領域の毛の母集団のうち第3部分(例えば少なくとも5％、又は少なくとも10％、又は少なくとも15％、又は少なくとも20％)が、比較的「丈のある高さ」範囲(高さ範囲3)におさまる高さを有する「丈のある毛」である。これら割合のいかなる組み合わせを用いてもよい。
【０１５６】
一例において、比較的丈のない毛は、内側領域の毛の5mm〜9mm(高さ範囲S1)の高さを有し、「中間の高さ」毛は、9mm〜13mm(高さ範囲M1)の高さを有し、「丈のある毛」は、13mm〜18mm(高さ範囲T1)の高さを有している。これは、「比較的平らなブラシ」に対しても当てはめてもよい。ファンブラシに対しては、高さの数値が10〜20％高くてもよい。(S1は、「丈のない」の1つ目のバージョンであり、M1は、「中間の」の1つ目のバージョンであり、T1は、「丈のある」1つ目のバージョンであり、S2は、「丈のない」の2つ目のバージョンであり、M2は、「中間の」の2つ目のバージョンであり、T2は、「丈のある」の2つ目バージョンである。
【０１５７】
他の例においては、比較的丈のない毛は、内側領域の毛の5mm〜9．5mm(高さ範囲1)の高さを有し、「中間の高さ」毛は、9．5mm〜12．5mm(高さ範囲2)の高さを有し、「丈のある毛」は、12．5mm〜18mm(高さ範囲3)の高さを有している。
【０１５８】
ある実施形態では、内側領域(又は、「不規則な」特性を有する領域)において、S1、及び／又はM1、及び／又はT1、及び／又はS2、及び／又はM2、及び／又はT2(いかなる組み合わせも用いられうる)の高さ範囲にある毛の本数は、少なくとも10本の毛、及び／又は少なくとも20本の毛、及び／又は少なくとも30本の毛、及び／又は少なくとも40本の毛(いかなる組み合わせも用いられうる)である。
【０１５９】
本数(S1)の語は、内側領域(又は、「不規則な」特性を有する領域)内にある高さがS1高さ範囲である毛の本数である。これは、S1、M1、T1、S2、M2、及び／又はT2に関連してもよい。
【０１６０】
他の実施形態において、比率(比率のいかなる組み合わせ、又は上限／下限のいかなる組み合わせ)には、本数(S1)と本数(M1)との比率、及び／又は本数(S2)と本数(M2)との比率、及び／又は本数(T1)と本数(M1)との比率、及び／又は本数(T2)と本数(M2)との比率がある。この比率は、少なくとも0．2、又は少なくとも0．3少なくとも0．4、又は少なくとも0．6、又は少なくとも0．7、又は少なくとも0．8、及び／又は多くとも2、又は多くとも1．5、又は多くとも1．2、又は多くとも1、又は多くとも0．8、又は多くとも0．6、又は多くとも0．4、又は多くとも0．3、又は多くとも0．2Lである。いかなる組み合わせも用いることができる。
【０１６１】
この比較的「均一な」毛の高さ分布は、「特定区域」560内の毛髪をほぐすための「意味のある高さ」を有する毛の母集団に当てはまるかもしれない。他の実施形態において、「ほぐすための意味のある高さ」を有し、かつ特定区域内に植設された毛は、前のセクションにて検討した最小本数を有しており、少なくとも100本、又は少なくとも150本、又は少なくとも200本、又は少なくとも250本の毛、及び／又は少なくとも0．5mm、又は少なくとも0．7mm、又は少なくとも0．8mm、又は少なくとも0．9mmとなる最小太さの毛を有している。「ほぐすための意味のある高さ」の毛は、2．5mm、又は3mm、又は3．5mm、又は4mm、又は4．5mm、又は5mmである最小高さを有して、17．5mm、又は21mm、又は20mm、又は19mm、又は18mm、又は17mmである最大高さを有すると定義される。これら数字のいかなる組み合わせも可能である。
【０１６２】
他の実施形態において、内側領域(又は、特定区域内に配置された「不規則な特性」有する他の領域)の毛の高さSD／平均高さの比率は、少なくとも0．05、又は少なくとも0．075、又は少なくとも0．1、又は少なくとも0．125、又は少なくとも0．15、又は少なくとも0．2、及び／又は多くとも0．6、又は多くとも0．5、又は多くとも0．4、又は多くとも0．3、又は多くとも0．25である。再度になるが、これは、「高さの値幅」を示す。
【０１６３】
他の実施形態において、内側領域(すなわち例えば、約2．5mm〜約17．5mmとなる「意味のある高さ」の範囲内)の毛の平均高さは、少なくとも6mm、又は少なくとも7mm、又は少なくとも8mm、又は少なくとも8．5mm、及び／又は多くとも16mm、又は多くとも15mm、又は多くとも14mm、又は多くとも13mm、又は多くとも12mmである。これら値のいかなる組み合わせもどの実施形態でも用いることができる。
【０１６４】
他の実施形態において、内側領域の毛に対して、内側領域内の毛の母集団の高さ標準偏差は、少なくとも1mm、又は少なくとも1．5mm、又は少なくとも2mm、及び／又は多くとも5mm、又は多くとも4mm、又は多くとも3mmであってもよい。
【０１６５】
明らかに、高さ標準偏差最小のいかなる組み合わせ、高さ標準偏差最大のいかなる組み合わせ、及び／又は高さ平均であってもよい。
【０１６６】
ある実施形態では、植毛領域は、「特定区域」(例えば、図2〜3における範囲560)内の実質的にすべての毛(すなわち少なくとも70％、又は少なくとも80％、又は少なくとも90％、又は少なくとも95％、又は少なくとも99％)であり、この区域の高さはあらゆる高さの特徴又は本願で開示される特徴の組み合わせを有し、及び／又はこの区域の幅はあらゆる幅の特徴又は本願で開示される特徴の組み合わせを有している。
【０１６７】
毛幅の特徴  図6の考察
上述のとおり、毛は少なくとも0．5mmの幅を有する。例えば、この幅の値は、(ヘアブラシが一般に作られるほとんどの材料、例えば、ほとんどのプラスチック、にとって)、毛が「個々別々で」束にならなくてもよいための閾値である。この値において、「房になっていない」毛や「束になっていない」毛(すなわち個々に植設された毛)は、毛髪の範囲に入り込んで毛髪をほぐすのに有効な程度に十分に太いといえる。
【０１６８】
他の実施形態において、内側領域の毛は、「最小太さ」又は「最大太さ長さ」を有している(これは、内側領域の毛にのみ関連しており、内側以外の領域の追加の毛は他のどんな長さであってもよい)。
【０１６９】
ある実施形態では、内側領域(又はあらゆる「不規則な特性の領域」)の毛のうち少なくとも50％、又は少なくとも60％、又は少なくとも70％、又は少なくとも80％、又は少なくとも90％、又は少なくとも95％、又は少なくとも99％(いかなる組み合わせも可能)の毛は、少なくとも0．5mm、又は少なくとも0．7mm、又は少なくとも0．85mm、又は少なくとも0．9mm、又は少なくとも1mm、又は少なくとも1．1mm、又は少なくとも1．2mmの太さ長さを有してもよく、及び／又は多くとも3mm、又は多くとも2．5mm、又は多くとも2mm、又は多くとも1．8mm、又は多くとも．5mm、又は多くとも1．3mm(いかなる組み合わせも可能)の最大太さを有してもよい。
【０１７０】
さらに、本発明の実施形態は、幅(又は材料の柔軟性)にばらつきのあるヘアブラシに関連する。ある実施形態において、すべての毛が同一幅(又は同一材料の柔軟性)を有するわけではなく、有意に互いに異なる毛の幅のばらつき(例えば、少なくとも2、又は少なくとも3、又は少なくとも4、又は少なくとも5種類の幅)を有することができる。
【０１７１】
図6は、図1A〜2Bの限定されない場合(すなわち、範囲560内の内側領域、又は不規則な高さ又は不規則な幅又は不規則な材料の柔軟性特性を有する他の植毛領域)における、毛の高さ(x軸)の関数として毛幅(y軸)を示す。図6から、以下の事が明らかである。
(i)有意に互いに異なる複数種類の幅がある。図6の例においては、内側領域のある毛は約1の幅を有しており、内側領域のある毛は、約1．2の幅を有しており、内側領域のある毛は約1．4の幅を有しており、内側領域のある毛は、約1．6の幅を有している。
(ii)毛の高さと毛の太さとには、明らかな相関性がある。すなわち丈のある毛は、太くなる傾向にある。
【０１７２】
この代わりとして、又はさらに追加して、丈のある毛は、柔軟性のない材料で構成されてもよい。
【０１７３】
一般的に、長い毛は、丈のない毛よりもより柔軟であることは注目すべきことである。理論で制限されることは意図しないが、比較的丈のある毛と比較的丈のない毛との両方が、内側領域(又は「不規則な特性の領域」)に存在する場合、比較的長くて丈のある毛が、比較的丈のない毛よりも大きな程度の柔軟性を有しているといえる。この作用を和らげるために(又は、他の理由のために)、ヘアブラシを以下のように構成すると便利である。つまり、丈のある毛をより太く「補強」する一方で(その代わりに、又はさらに追加して、柔軟性のない材料にて構成してもよい)、丈のない毛を細くなるように構成し、又はより柔軟な材料で構成して、丈のない毛の「硬すぎる」傾向を相殺するのである。
【０１７４】
このことで、毛の硬さが、見た目よりもあまりばらつかない状況、及び／又は毛の硬さが実質的に一定となる状況を作ることができる。
当業者は、1つの意味における「材料の硬さ」」や「材料の柔軟性」と、もう1つの意味における「毛の硬さ」や「毛の柔軟性」との違い(すなわち、少なくとも、材料の柔軟性／硬さ、毛の高さや毛の太さの組み合わせによって違いがでること)を理解している。
【０１７５】
本発明の実施形態は、毛の高さは実質的に不規則にばらつき、毛保持面における毛の位置からは実質的に独立するように毛が毛保持面に植設される状況に関連する。毛の高さと毛の太さとに明らかな相関性がある実施形態において(例えば、図6に示されるように、丈のある毛が太くなる場合)、毛の太さ(又はその代わりに、材料の柔軟性)が毛保持面における毛の位置からは実質的に独立して実質的に不規則にばらつくことは明らかである。
【０１７６】
他の実施形態において、「内側植毛領域」(又は、「不規則な特性」を有するあらゆる植毛領域)は、以下の特徴を1つ以上有している。
(i)平均の毛の太さは、少なくとも0．85mm、又は少なくとも1mm、又は少なくとも1．15mm、又は少なくとも1．25mmであってもよい。
【０１７７】
(ii)平均の毛の太さは、多くとも2．5mm、又は多くとも2mm、又は多くとも1．75mm、又は多くとも1．5mm、又は多くとも1．4mmであってもよい。
(iii)太さの標準偏差、毛の太さの標準偏差が、平均の毛の太さの少なくとも3％、又は少なくとも5％、又は少なくとも7％、又は少なくとも10％、又は少なくとも12％、又は少なくとも15％であるような太さのばらつきが与えられている。
(iv)ある実施形態では、毛の太さの標準偏差は、平均の毛の太さの多くとも50％、又は多くとも40％、又は多くとも30％、又は多くとも20％である。
(v)毛の太さと毛の高さとには「正相関」があり、平均して、丈のある毛は太く、丈のない毛は細い。図6を参照のこと。図6では、「x」軸は毛の高さ(mmの単位)で、「y」軸は毛の太さ(mmの単位)である。図6から、丈のある毛は太くなる傾向があり、これが、様々な毛の柔軟性を混在させることに便利であることが明らかである。
(vi)この「正相関」(図6参照)に関連するある実施形態では、毛の母集団のうちの最も丈のある20％は、H1で示された平均高さを有しており、T1で示された平均太さを有している。毛の母集団のうち最も丈のない20％は、H2で示された平均高さと、T2で示された平均太さを有している。この例においては、T1とT2との比率は、少なくとも1．1、又は少なくとも1．2、又は少なくとも1．3、又は少なくとも1．4、又は少なくとも1．5である。
【０１７８】
(vii)一例では(すなわち、一般の高さの文脈において、又は「高さと幅との正相関」の文脈において)、H1とH2との比率は、少なくとも1．1、又は少なくとも1．3、又は少なくとも1．4、又は少なくとも1．5、及び／又は多くとも3、又は多くとも2．5、又は多くとも2、又は1．75、又は多くとも1．5であってもよい。
【０１７９】
(viii)内側領域560における毛母集団の内のいくつかの毛、又はほとんどの毛、又はすべての毛は、いくぶんか、又は実質的に硬くなる傾向がある。
【０１８０】
ある実施形態では、植毛領域は、「特定区域」(例えば、図2A〜3Bの範囲560)内の実質的にすべての毛(すなわち少なくとも70％、又は少なくとも80％、又は少なくとも90％、又は少なくとも95％、又は少なくとも99％)を意味する。「特定区域」の毛の高さは、高さの特徴、又は本願で開示される特徴の組み合わせを有しており、及び／又は「特定区域」の毛幅は、幅の特徴、又は本願で開示される特徴の組み合わせを有している。
【０１８１】
ある実施形態では、大部分にとって(又は、毛のうち少なくとも60％、又は少なくとも70％、又は少なくとも80％、又は少なくとも90％、又は少なくとも95％となる実質的に大部分にとって)、毛の長さと毛幅との比率は、少なくとも2．5、又は少なくとも3、又は少なくとも4、又は少なくとも5、及び／又は多くとも30、又は多くとも25、又は多くとも20、又は多くとも15、又は多くとも10である。
【０１８２】
最近接毛のヒストグラム  図7の考察
ヘアブラシの表面に植設されたN本の毛(Nは正の整数)がある領域において、領域内の毛は、｛b1、b2、・・・bN｝として表される。k番目の毛bkに対しては、植毛領域には、N−1個のセットの｛距離(b1、bk)、距離(b2、bk)・・・距離(bk−1、bk)、距離(bk＋1、bk)・・・距離(bN、bk)｝が得られる。このN−1個の距離セットのうちの最小値は、毛bkと「最短距離」にある他の毛との距離である。このように、それぞれの毛bk(kは、1からNまでの正の整数である)は対応する「最短毛間距離」と関連づけられている。
【０１８３】
これらの数字は、図1A〜2Bの例における「内側植毛領域」用に算出されたものである。これら数字のヒストグラムは図7に示される。統計のパラメーターは、以下に示したとおりである。
平均 3．892409525
標準誤差 0．034380749
中央値 4．235575522
最頻値 4．242640687
標準偏差 0．600433964
標本分散 0．360520945
尖度 0．234056063
歪度 −1．350398162
変動幅 2．252640687
最小 1．99
最大 4．242640687
合計 1187．184905
本数 305
このように、「内側領域」の毛、及び／又は不規則な特性を有する領域にとって、最も近傍毛の平均値は3．89、標準偏差は0．6である。標準偏差と平均との比率は0．15である。他の実施形態において、この比率は、少なくとも0．05、又は少なくとも0．075、又は少なくとも0．1、又は多くとも0．5、又は多くとも0．4、又は多くとも0．3、又は多くとも0．25、又は多くとも0．2である。
【０１８４】
他の実施形態において、内側領域内の毛の最近接毛の平均値は、少なくとも2mm、及び／又は少なくとも2．5mm、及び／又は少なくとも3mm、及び／又は多くとも7mm、及び／又は多くとも6mm、及び／又は多くとも5mm、及び／又は多くとも4mmであってもよい。
【０１８５】
他の実施形態において、(内側領域の毛の平均高さがHAVGの場合)内側領域の毛の最近接毛の平均値は、少なくとも0．15＊HAVG、及び／又は少なくとも0．2＊HAVG、及び／又は少なくとも0．25＊HAVG、及び／又は少なくとも0．3＊HAVG、及び／又は多くとも0．7＊HAVG、及び／又は多くとも0．6＊HAVG、及び／又は多くとも0．5＊HAVG、及び／又は多くとも0．4＊HAVG、及び／又は多くとも0．3＊HAVGであってもよい。
【０１８６】
他の実施形態において、「内側領域」(又は、不規則な毛の特性を有する他の領域)の毛のうち少なくとも50％、又は少なくとも60％、又は少なくとも70％、又は少なくとも90％、又は少なくとも95％のそれぞれの毛は、対応する「最近接毛」の値を有している。この「最近接毛」の値は、「内側領域」(又は、不規則な特性を有する他の植毛領域)内にある最も近傍毛を説明しており、少なくとも2mm、及び／又は少なくとも2．5mm、及び／又は少なくとも3mm、及び／又は多くとも7mm、及び／又は多くとも6mm、及び／又は多くとも5mm、及び／又は多くとも4mmであってもよい。
【０１８７】
他の実施形態において、「内側領域」の毛(又は、不規則な毛の特性を有する他の領域)のうち少なくとも50％、又は少なくとも60％、又は少なくとも70％、又は少なくとも90％、又は少なくとも95％のそれぞれの毛は、対応する「最近接毛」値を有してもよい。この「最近接毛」値は、「内側領域」(又は、不規則な特性を有する他の植毛領域)にある最も近傍毛であり、(内側領域の毛の平均高さがHAVGである)内側領域の最も近傍毛でもあり、少なくとも0．15＊HAVG、及び／又は少なくとも0．2＊HAVG、及び／又は少なくとも0．25＊HAVG、及び／又は少なくとも0．3＊HAVG、及び／又は多くとも0．7＊HAVG、及び／又は多くとも0．6＊HAVG、及び／又は多くとも0．5＊HAVG、及び／又は多くとも0．4＊HAVG、及び／又は多くとも0．3＊HAVGであってもよい。
ある実施形態では、i)植毛領域(すなわち内側領域又は「不規則な特性」の領域)のそれぞれの毛bは、対応する最近接毛間距離と関連づけられている。対応する最近接毛間距離は、この毛bと同一植毛領域にある他の毛とのそれぞれの最短距離を示している。ii)毛の母集団Pにおける最近接毛間距離の標準偏差と、毛の母集団Pにおける最近接毛間距離の平均との比率は、多くとも0．25、又は多くとも0．2である(図8Aの例においては、比率は0．15である)。
【０１８８】
図8の1つの目立った特徴は、内側領域の毛の大部分の部分が、おおよそピーク値又は「代表的な最短距離」(すなわち、5％、又は10％、又は15％の許容誤差内)である「最短距離値」を有することである。このピーク値は、許容誤差内にある「ピーク値」又は「近い」値の頻度により定義される。しかしながら、領域の毛の追加の部分は、少なくとも5％、又は少なくとも10％、又は少なくとも15％、又は少なくとも20％、又は代表値RCDVの「許容誤差」の少なくとも1．2倍、又は少なくとも1．4倍、又は少なくとも1．5倍、又は少なくとも1．倍、又は少なくとも2倍だけ代表値RCDVからはずれる「偏差値」を有している。
【０１８９】
グリッド値  図8の考察
ある実施形態では、「内側領域」の範囲560(又は不規則な特性(例えば、高さ、又は太さ、又は材料の柔軟性)を有する領域が「設置」される他の範囲)の毛の密度ばらつきを、次のように説明することができる。(i)まず、「設置範囲」560(図8A参照)に1mm×1mmの正方形のグリッドを設ける。ここで、垂直線が互いに交差する交差点を「グリッド点」とする。
【０１９０】
それぞれのグリッド点に対して、内側領域(又は、不規則な特性を有するあらゆる領域)内において、図4A〜4Dを参考にして定義される「毛間」距離を用いてグリッド点に近い(すなわち「閾値距離」未満の)毛の本数を数えることができる。閾値距離とは、例えば、1cm以内、又は7．5mm以内、又は6．5mm以内、及び／又はHAVG(参考までに、「不規則な特性を有する領域」の毛の平均高さがHAVGである)となる距離以内、又は0．9＊HAVG以内、又は0．8＊HAVG以内、又は0．7＊HAVG以内、又は0．6＊HAVG以内、又は0．5＊HAVG以内である。これらの距離は、限界「閾値距離」とよばれる。
【０１９１】
図1A〜2Bの場合、7．5mmである閾値距離が用いられ、内側領域の「含有範囲」又は「設置範囲」内のグリッド点の数は3490であった。これは、約35cm2の区域を意味している。それぞれの特定のグリッド点は、様々な各々の「近傍毛」値と関連づけられており、この様々な各々の「近傍毛」値は、特定のグリッド点からそれぞれの「閾値距離」未満にある内側領域(又は不規則な特性を有する領域)内の毛の数を示している。このように、3490グリッド点を有する図1A〜2Bの例に対しては「近傍毛の本数」に対する3490個の値が算出された。統計は、これら3490個の値を基に算出された。
【０１９２】
平均的なグリッド点は、グリッド点からの距離が「閾値」距離未満である10．13本の毛を有している。(「閾値距離」に用いられうる定義については、前の段落を参照のこと。図1A〜2Bの例では、閾値距離は7．5mmであった)。グリッド点間の「平均値」は10．13本の毛であり、標準偏差は、1．31だけであった。
【０１９３】
0．13である比較的小さなSD／平均の比率もまた、内側植毛領域が実質的に一定の密度であることを示している。他の実施形態において、この値は、0．3未満、0．25未満、又は0．2未満、又は0．15未満であってもよく、及び／又は0．03を上回る、又は0．05を上回る、又は0．07を上回る、又は0．1を上回ることがあってもよい。
【０１９４】
また、7．5mmの閾値に対して、毛の平均本数は10．13であった。このことは、内側領域(又は他の不規則な特性の植毛領域)が、10．13／(3．14＊0．75cm＊0．75cm)=約5．7本の毛／cm2の密度にて設けられていることを示している。
【０１９５】
他の実施形態において、内側領域(又は他の「不規則な特性を有する植毛領域)の毛の密度(又は、実質的に一定の密度)は、少なくとも2本の毛／cm2、又は少なくとも3本の毛／cm2、又は少なくとも4本の毛／cm2、又は少なくとも5本の毛／cm2、及び／又は多くとも30本の毛／cm2、又は多くとも20本の毛／cm2、又は多くとも15本の毛／cm2、又は多くとも12本の毛／cm2、又は多くとも10本の毛／cm2、又は多くとも8本の毛／cm2、又は多くとも7本の毛／cm2であってもよい。いかなる組み合わせも可能である。これら内側領域の毛は、不規則な高さ、及び／又は不規則な太さ、及び／又は不規則な材料の柔軟性の特性を有してもよい。ある実施形態では、これらの毛の大半(すなわち少なくとも50％、又は少なくとも60％、又は少なくとも70％、又は少なくとも80％、又は少なくとも90％)が、すべて少なくとも0．5mm、又は少なくとも0．7mm、又は少なくとも0．85mmとなる毛の太さを有してもよく、及び／又は少なくとも5mm、又は少なくとも6mm、又は少なくとも7mm、又は少なくとも8mmとなる毛の高さ／長さを有してもよい。
【０１９６】
ある実施形態では、少なくとも100本、又は少なくとも150本、又は少なくとも200本、又は少なくとも250本の毛が植設された内側植毛領域(又は「不規則な特性」を有する植毛領域)は、ヘアブラシの毛保持面530の区域に設けられており、この区域の大きさは、約20〜100cm2(例えば、約30〜約50cm2)である。以下に検討されるように、「内側領域」(又は他の不規則な特性を有する領域)の毛は、様々な毛密度及びその幅を有することができる。
【０１９７】
他の実施形態において、1つ以上の毛の位置に関連した以下の特徴(すなわち、毛の位置に関連した以下の特徴のいかなる組み合わせ)が用いられてもよい。
(i)この内側領域の毛は、おおよそ4本の毛／cm2〜12本の毛／cm2の範囲内(例えば、許容誤差が50％の範囲内で約7本の毛／cm2)の密度にて毛保持面530に植設される。ある実施形態では、この密度は、少なくとも2本の毛／cm2、少なくとも3本の毛／cm2、又は少なくとも4本の毛／cm2であってもよい。ある実施形態では、この密度は、多くとも20本の毛／cm2、又は多くとも12本の毛／cm2、又は多くとも10本の毛／cm2、又は多くとも8本の毛／cm2であってもよい。
(ii)大部分の毛、又は有意の大部分(例えば、少なくとも80％、又は少なくとも90％、又は少なくとも98％)の毛も一定の格子に存在するように内側植毛領域は、配置されている。しかしながら、少数部分(例えば、少なくとも2％、又は5％、又は10％)の毛は、格子で規定される位置からは離れた位置にある。1つのモデルにおいて、内側植毛領域には、約1080の「近傍毛間」距離を規定する約300本の毛があり、約1080の「近傍毛間」距離において、近傍毛は、6．5mm未満で離れている毛のことを意味する。このモデルにおいては、これら毛間距離のおおよそ40％が、ちょうど第1値(例えば、6mm(数パーセント又はさらに2％、又は1％の許容誤差範囲内))である。また、これら毛間距離のおおよそ40％がちょうど第2値である。第2値は、第1値から少なくとも1mm、又は2mm、又は少なくとも10％、又は20％、又は30％(例えば、4．25mm)だけ異なる値である。しかしながら、他の毛間距離は別の値である。
(iii)それぞれの特定の毛が、最短の近傍毛間距離(これはその特定の毛がヘアブラシ上の最近接毛に関連している)と関連してもよい。ある実施形態では、少なくとも大部分又は少なくとも実質的に大部分(毛のうち少なくとも75％)が、「最短の近傍毛間」距離を有しており、この距離は、少なくとも1mm、又は少なくとも1．5mm、又は少なくとも2mm、又は少なくとも2．5mmである。限定されることはないが、これは毛が「独立して植設されている」(すなわち、毛の根本が「束状」である房、又は「毛束」ではない)特徴に関連してもよい。このように、図7の例においては、ほとんどの毛が約4．5の「最短の近傍毛間距離」を有している。
【０１９８】
(iv)それぞれの特定の毛は、「少なくとも5mm距離の高さを有する、最近傍毛」への距離と関連づけられていてもよい。これは、(すなわち、高さが少なくとも5mmである毛の中において)特定の毛からヘアブラシ上の最近接毛に関連している。ある実施形態では、少なくとも大部分、又は少なくとも実質的に大部分(毛のうち少なくとも75％)が「少なくとも5mm距離の高さを有する最近傍毛」への距離を有しており、この距離は、少なくとも1mm、又は少なくとも1．5mm、又は少なくとも2mm、又は少なくとも2．5mmである。
【０１９９】
(v)ある実施形態では、「内側領域」(又は「不規則な特性を有する領域」)の毛の大部分又は実質的に大部分(少なくとも60％、又は少なくとも70％、又は少なくとも80％、又は少なくとも90％)は、「平均最近傍毛値」の50％、又は40％、又は30％以内である「最短の近傍毛間」距離を有している。図7の例においては、ほとんどの毛は、約4．5mmの「最近傍毛値」を有している。ある実施形態では、少なくとも有意な少数部分(例えば、少なくとも2％、又は少なくとも5％、又は少なくとも10％)は、平均距離、及び／又は最もよくある「最近傍距離」から著しく(例えば、少なくとも5％、又は少なくとも10％、又は少なくとも15％、又は少なくとも20％にて)乖離するような「最近接毛間距離」を有している。
【０２００】
図9の考察
図面の例は、毛が植設される、実質的に平らな毛の表面を有するブラシの特有な場合に関連していることは注目すべきことである。ある実施形態では、毛の表面が湾曲していてもよい。一例において、認識できる程度に湾曲していたとしても、毛の表面はやはり大部分は平らである。(例えば、いわゆる「ファンブラシ」、又は「ヘアローラー」(図9A〜9C参照)、又は他のブラシに関連する)他の例においては、毛の表面は丸みのある形状を有してもよく、又は、実質的に円筒形状で、毛の高さは大部分は、ヘアブラシの円筒状の又は丸みのある表面に沿って、不規則であってもよい(又は、本願で開示される他の高さの特徴を有してもよい。
【０２０１】
ある実施形態では、ブラシは、どのような形状係数を有してもよく、その形状係数は、(例えば、プラスチック製の毛を有する)ペット用のブラシ(図示しない)の形状係数をを含むがこれに限定されない。
【０２０２】
図10A〜10Eの考察
図10Aは、図1A〜2Bの例の毛の位置のグラフ(mmの単位)である。図10Aから明らかなとおり、「よりまばらな」毛の密度の比較的小さな範囲1020や「より濃密な」毛の密度である比較的小さな範囲が存在するが、全体で見れば、内側領域が設置される「設置範囲」(この場合560)全体での毛の密度は実質的に一定であることは明らかである。
【０２０３】
「内側植毛領域」(又は不規則な感じの特性を有するあらゆる他の領域)における平均の毛の長さ／高さは、HAVG又はHEIGHT＿AVG(どちらも同等であり、記号が少し異なるだけである)として定義される。毛の長さ／高さの標準偏差は、HEIGHT＿SDと表される。植毛領域(例えば、範囲560)の毛を4つの高さの部分に定義することができる。(i)高さがHEIGHT＿AVGとHEIGHT＿SDとの合計を上回る毛からなる「非常に丈のある部分」(VTB)、(ii)高さがHEIGHT＿AVGを上回るが、HEIGHT＿AVGとHEIGHT＿SDとの合計を下回る毛からなる「丈のある部分」(TB)、(iii)高さがHEIGHT＿AVGを下回り、HEIGHT＿AVGとHEIGHT＿SDとの合計を上回る毛からなる「丈のない部分」(SB)、(iv)高さがHEIGHT＿AVGとHEIGHT＿SDとの差異を下回る毛からなる「非常に丈のない部分」(VSB)。
最初と最後の部分は、高さが平均高さから比較的「大きな」ずれを有するため、「高さ外れ値部分」と呼ばれる。
【０２０４】
ある実施形態では、それぞれの部分の濃度(cardinality)は「有意」であり、例えば、「植毛領域」の全濃度の少なくとも7％、又は少なくとも10％、又は少なくとも12％、又は少なくとも15％である。
【０２０５】
「領域全体として」の「毛の配置」と、様々な部分母集団の「毛の配置」とにおける以下の対比を識別できる。植毛領域の全体では、毛が、毛保持面の特定の「設置」区域SA560内にて実質的に一定の密度で植設されている。前述の部分(VTB、TB、SB、VSB)のうちいずれか1つの、又は2つの、又は3つの、又は4つの(すなわちいかなる組み合わせ)の毛が、植毛領域全体への植設と、少なくとも1つの高さ外れ値部分HOSの植設との対比ができるように、また、高さ外れ値部分HOSの毛が特定区域SA内でふぞろいで非周期的な位置に散在している状態で、毛保持面に個々に植設されている。
【０２０６】
この対比は、毛の高さ分布がいくつかの点で不規則な又は準不規則な高さ分布に類似しているという事実によるものかもしれない。
【０２０７】
図11の考察
「内側植毛領域」(又は他の「不規則な特性領域」)において、「内側領域」のそれぞれの毛を、「それぞれの毛」からの距離が閾値最大距離未満である「近傍毛」を有する個別の群と関連づけることが可能である。例えば、閾値最大距離とは、1cm以内、又は7．5mm以内、又は6．5mm以内、及び／又は特定の距離以内である。特定の距離とは、HAVG以内(参考までに、「不規則な特性を有する領域」の毛の平均高さがHAVGである)、又は0．9＊HAVG以内、又は0．8＊HAVG以内、又は0．7＊HAVG以内、又は0．6＊HAVG以内、又は0．5＊HAVG以内、及び／又はオプションとして最短距離(すなわち、少なくとも1mm、及び／又は少なくとも1．5mm、又は少なくとも2mm)よりも大きい距離である。
【０２０８】
それぞれの毛の高さは、「近傍毛」(すなわち、最大閾値未満で、オプションとして最小閾値を上回るような距離の毛)にて平均化されうる。7．5mmの(そして、最小ではない)値の場合、これは上記に該当する。標準偏差の間、「局所平均高さ」は、「内側領域」(及び／又は不規則な特性を有する領域)の毛の平均高さと、おおよそ同一になる傾向があることは注目すべきことである。
生成されるヒストグラムが図11に示される。得られる統計的特性は、下記に一覧で示した。
平均 11．33401815
標準誤差 0．049109417
中央値 11．27
最頻値 11
標準偏差 0．844910352
標本分散 0．713873503
尖度 −0．625787516
歪度 0．14288207
変動幅 3．99
最小 9．25
最大 13．24
合計 3354．869372
本数 296
標準偏差が高さの約0．21(すなわちSD／平均高さの比率=0．21)の「全体的な領域」と対比して、「局所的に平均化された」場合、標準偏差は高さの約0．06であった。このことは、図5に比べて図11の「より集中した」ピークにて、はっきりとわかる。他の実施形態において、
(i)内側領域の毛、及び／又は不規則な特性の領域(図11参照)の「局所平均の場合」におけるSD／平均の比率に対する、
(ii)「オリジナルの場合」におけるSD／平均の比率の比率は、多くとも0．5、又は多くとも0．4、又は多くとも0．3、又は多くとも0．2である。
【０２０９】
このように(LAは「局所的に平均された」の略記である)、ある実施形態では、半径R=7．5mmにて、内側領域において、(i)母集団Pのすべての毛bの平均高さは、内側領域のすべての毛b(すなわち、特定の範囲、例えば560内のすべての毛)に対して、実質的に局所平均高さLA(b，7．5)［半径=7．5mm］に等しく、(ii)局所平均高さLA(b，7．5)の標準偏差は、母集団Pのすべての毛bの高さ分布の標準偏差よりもかなり低い(例えば、局所平均高さLA(b，7．5)の標準偏差と母集団Pのすべての毛bの高さ分布の標準偏差との比率は、多くとも0．6、又は多くとも0．5、又は多くとも0．4である)。
【０２１０】
このことは、高さ分布は内側の範囲において比較的同質であることを示す。これは、不規則な又は準不規則な高さ分布を示し、また比較的「高い」エントロピーも示している。
【０２１１】
図12A〜12Dの考察
母集団中のそれぞれの特定の毛について、母集団の中の特定の毛と母集団の中の他の毛(すなわち、母集団の中で最も近くにある「他の」毛)との個別の最短距離は、「母集団内最近接毛間距離」である。図7において、(図1A〜2Bの特定の例における)最もよくある「最短距離」値は、約4．5cmであることは明らかである。
【０２１２】
あらゆる部分母集団のそれぞれの特定の毛において、母集団の特定の毛と部分母集団の他の毛(すなわち、部分母集団のうち、最も近くにある「他の」毛)との個別の距離が、「部分母集団内最近接毛間距離」である。
【０２１３】
母集団(又は部分母集団)のそれぞれの毛に、対応する「最近接毛間距離」に割り当てられうるため、母集団又は部分母集団に対して統計的特性を算出することが可能である。図12A〜12Dにおいて、(すなわち、母集団、又は部分母集団に対する)「最短距離の平均値」と(すなわち、母集団、又は部分母集団に対する)「最短距離の標準偏差」とは両者ともに算出されて提供される。母集団又は部分母集団の1つの指標は、標準偏差を平均で割った商にて定義されるSD＿AVG(CLOSEST＿BRISTLE)指標である。小さな値のSD＿AVGは、ブラシの毛保持面上に比較的規則的に分布する(母集団又は部分母集団の)毛であることを示している。大きな値のSD＿AVGは、ブラシの毛保持面上にあまり規則的ではなく分布する(母集団又は部分母集団の)毛であることを示している。
【０２１４】
ある実施形態では、母集団全体のSD＿AVG(CLOSEST＿BRISTLE)は、0．3未満、又は0．25未満、又は0．2未満、又は0．175未満である。
【０２１５】
図12A〜12Dの例においては、(i)母集団全体にとって、SD＿AVGは0．15に等しく、(ii)図10B(図12A参照)の部分母集団にとって、SD＿AVGは0．37に等しく、(iii)図10C(図12B参照)の部分母集団にとって、SD＿AVGは0．28に等しく、(iv)図10D(図12C参照)の部分母集団にとって、SD＿AVGは0．34に等しく、(v)図10E(図12D参照)の部分母集団にとって、SD＿AVGは0．35に等しい。
【０２１６】
ある実施形態では、(i)部分母集団のうちいずれか1つ、又はいずれか2つ、又はいずれか3つ、又は4つすべて(すなわち、「非常に丈のない部分母集団」、「丈のない部分母集団」、「非常に丈のある部分母集団」、及び「丈のある部分母集団)からなる群のうち少なくとも1つの、又は少なくとも2つの又は少なくとも3つの、又は4つすべての部分母集団)のためのSD＿AVG(CLOSEST＿BRISTLE)パラメーターの(ii)母集団全体のためのSD＿AVG(CLOSEST＿BRISTLE)パラメーターに対する比率は、少なくとも1．3、又は少なくとも1．5、又は少なくとも1．7、又は少なくとも2である。このことは、部分母集団を示す。この比率がこれら値のうちの1つを上回る場合、部分母集団が、母集団全体よりも特定区域(例えば、「内側領域の区域」)において「あまり規則的ではなく」分散されていることを意味しうる。
【０２１７】
母集団又は部分母集団のそれぞれの特定の毛のための検証されうる他のパラメーターとして、以下のようなものがある。特定の毛が「特定区域」内にあり母集団又は部分母集団の一部である場合、その特定の毛から特定の距離(例えば1．2cm、又は1cm、又は7．5mm、又は6．5mm)内に存在する毛の本数がパラメーターになる。この指標の統計を母集団又は部分母集団に対して算出することが可能であり(図9パラメーター)、平均値や標準偏差を決定できる。
【０２１８】
図8に関連するさらなる考察
母集団又は部分母集団のそれぞれの特定の毛に対して、母集団又は部分母集団の毛がどれだけ「規則的に」特定区域に分散されているのかを示す「図8パラメーター」に関連した指標は、SD＿AVG(LOCAL＿BRISTLES，7．5mm)、又はSD＿AVG(CLOSEST＿BRISTLE，6．5mm)、又はSD＿AVG(CLOSEST＿BRISTLE，1cm)などである。
【０２１９】
ある実施形態(すなわち、図9のパラメーターに関連した実施形態)では、母集団全体に対するSD＿AVG(LOCAL＿BRISTLE，7．5)は、0．3未満、又は0．25未満、又は0．2未満、又は0．175未満、又は0．15未満である。
【０２２０】
ある実施形態では、(i)いずれか1つ、又はいずれか2つ、又はいずれか3つ、又は4つすべての部分母集団(「非常に丈のない部分母集団」、「丈のない部分母集団」、「非常に丈のある部分母集団」、「丈のある部分母集団」からなる群のうちのすなわち少なくとも1つの、又は少なくとも2つの又は少なくとも3つの、又は4つすべての部分母集団)のためのSD＿AVG(LOCAL＿BRISTLES，7．5mm)、又はSD＿AVG(LOCAL＿BRISTLES，65mm)、又はSD＿AVG(LOCAL＿BRISTLES，1mm)パラメーターの(ii)母集団全体のSD＿AVG(LOCAL＿BRISTLES，7．5mm)、又はSD＿AVG(LOCAL＿BRISTLES，65mm)、又はSD＿AVG(LOCAL＿BRISTLES，1mm)パラメーターに対する比率は、少なくとも1．5、又は少なくとも1．75、又は少なくとも2、又は少なくとも2．5、又は少なくとも3、又は少なくとも3．5である。この比率がこれら値の1つを上回る場合、部分母集団が、母集団全体よりも特定区域又は特定区域(例えば、「内側領域」の区域)内において「あまり規則的ではなく」分散されていることを示しているかもしれない。
【０２２１】
ある実施形態では、母集団全体に対するより規則的な分散のパターンや、部分母集団に対するあまり規則的ではない分散は、「内側領域」560にのみ対して広く用いられる。ある実施形態では、外側領域570には高さのばらつきがあまりない。
【０２２２】
ある実施形態では、内側領域560、及び／又は外側領域570の毛は、実質的に互いに平行である。ある実施形態では、内側領域560、及び／又は外側領域570の毛は、実質的に直線状であり、及び／又は毛保持表面の局所平面に対して実質的に垂直に植設される。
【０２２３】
ある実施形態では、(i)毛の高さは(すなわち、特定区域内の毛、例えば、内側領域内の毛に対しては)、実質的に不規則であり、実質的に毛の位置から独立してもよく、(ii)毛の太さと毛の高さとの正相関があってもよいということは注目すべきことである。このように、本発明のある実施形態は、毛の太さは実質的に不規則であり、実質的に毛の位置から独立している状況に関連している。ある実施形態では、このようにして、ヘアブラシが1つ以上の「エントロピーの特徴」又は「不規則性の特徴」を提示してもよい。
【０２２４】
図13の考察
図13は、「外側植毛領域」の位置を示しており、例えば、「外側領域」は、「内側領域」の外周のうちほとんどの部分の周辺にある比較的細い又は小さな範囲の周りに位置するか、及び／又はその周辺に限られて存在している。
【０２２５】
ある実施形態では、「外側植毛領域」が設けられており、「外側植毛領域」は以下の特徴を有している。
(i)外側植毛領域570は、内側植毛領域560の外周上の区域において、毛が実質的に一定の密度となるように植設されており、毛保持面530上の内側植毛領域を実質的に囲んでいる(しかし、必ずしも完璧に囲んでいるとは限らない)。一例において、この密度は、内側領域560の毛の密度に実質的に等しいか、これよりも大きくてもよい。
(ii)「外側植毛領域」570の毛の平均高さは、内側植毛領域560の毛の平均高さの、例えば、多くとも50％、又は多くとも40％、又は多くとも30％、又は多くとも20％、又は多くとも15％である。
(iii)「外側植毛領域」570は、内側植毛領域の「実質的に不規則な高さ」の特徴を欠いている。
(iv)外側植毛領域の毛の本数は、内側植毛領域の毛の本数の少なくとも15％、又は20％、又は30％である。
(v)ある実施形態では、外側植毛領域の毛の太さのばらつきはより少ない(又は、かなり少ない)。このように、平均太さは約1mmでもよく、しかし標準偏差は、多くとも0．1、又は多くとも0．05mm(又はこれよりも少なくてもよい)であってもよい。例えば、内側領域の毛の太さの標準偏差の多くとも30％でもよい。
【０２２６】
(vi)ある実施形態では、外側植毛領域は、実質的に毛が植設されていない範囲(例えば、図1A、1B参照)により実質的に囲まれている。
【０２２７】
(vii)ある実施形態では、「外側領域」(又は、「特定区域」内のあらゆる領域)の毛の大部分、又は実質的に大部分(少なくとも60％、又は少なくとも70％、又は少なくとも80％、又は少なくとも90％)は、実質的に直線状である。
【０２２８】
毛髪・ブラシ間力の測定のための「インビトロ(In-vitro)」技術
本発明者は、(i)ある実施形態に係わるヘアブラシ(例えば、図1A〜2B参照)と、(ii)「対照基準」としての従来のヘアブラシとの両者を用いて、かつらの毛髪をほぐす試験を現在行っている。これら試験によれば、毛髪をほぐしている時のヘアブラシによりかつらの毛髪に加えられる力を計測することができる。両方のブラシを用いてかつらの毛髪をほぐすときには、本発明の実施形態による新規のブラシにて加えられる力は、従来のブラシにて加えられる力よりも小さいことが先行試験からわかってる。
【０２２９】
臨床試験結果
本発明者はモデルヘアブラシを有しており、そのモデルヘアブラシ(「ブラシB」)を従来技術の「通常の」ヘアブラシに照らして、おおよそ25名の長髪の女性(図14参照)のために構成して試験をした。
【０２３０】
ブラシBは、従来技術のブラシであり、ブラシAは本発明のある実施形態に基づいて作られた。
【０２３１】
図14から明らかなように、「本発明」のブラシは一貫して高性能であった。つまり、毛髪の抜けが少なく(すなわち50％未満)、かなり速い「ブラッシング時間」(1分33秒に対して45秒)であった。ブラッシング時間は、被験者が頭部の毛髪をほぐすのに要した時間の量を示している。つまり、ヘアブラッシング時間が長くなるのは、一般に、ほぐすときにより大きな痛みを伴うからである。毛髪をほぐすときの痛みが軽減されるのであれば、ブラッシングを速くすることができる。
【０２３２】
実質的に共線性の毛／毛のブロッキング
3本の毛(B1、B2、及びB3)を示す図15を参照する。B1はB3よりもB1に近い。図15には、2つのベクトル(B1−B2とB1−B3)が示されている。B1−B2とB1−B3とがなす角度は、シータ(θ)である。ある実施形態では、シータが許容誤差範囲(多くとも30度、又は多くとも25度、又は多くとも20度、又は多くとも15度、又は多くとも10度、又は多くとも5度)内にてゼロに等しい場合、毛B1−B2−B3は、「実質的に共線的」とされる。この許容誤差は、「実質的に共線性の毛の許容誤差」とよばれる。実施形態においてあらゆる許容誤差が用いられうるが、明記しない限りは、デフォルトの「実質的に共線性の毛の許容誤差」は20度である。
【０２３３】
ある実施形態にて、B2がB3と比べてB1に近い場合、かつ、B1−B2−B3が実質的に共線的であるとされる場合、B3がB2により(毛B1に対して)「ブロックされた」ととらえられる。ある実施形態では、毛B3をブロックするためには、B2は「実質的に共線的となる要件」に加えて、さらに他の要件を満たす必要があるかもしれない。例えば、毛B3を「ブロック」するためには、B2は、どのような範囲であれ特定の高さ、及び／又は幅(例えば、本願にて開示される範囲)を有する必要があるかもしれないし、B2が毛B1から最短距離である必要があるかもしれない。
【０２３４】
マッピングの手紙への毛の高さ、太さ又は材料の柔軟性によると、
ある実施形態では、それは分類することが可能であるそれぞれの毛のいずれかのセット毛のs(例えば、の "内側領域"又は任意の他の毛セット展示不規則な高さ又は不規則な太さ又は不規則な材料の柔軟性特性の)異なる高さのカテゴリ又は異なる太さのカテゴリに分類によると、 "分類体系"
【０２３５】
"高さ四分位数"に、例えば - 第1のマッピングスキームに従って、それは高さ互いに持つ毛sのs、および4つに毛sを分割する高さのカテゴリを比較することが可能です。 
ウィキペディアは四分位数について書いているようにと理解できること "を説明する統計では、四分位数は、第4の配布のサンプリングされた母集団。これは、変位のタイプです。表す、4つの等しいグループsの一つである"ときに、複数の毛厳密に同一の長さ/高さがあります(又は時合計の毛の本数毛sのセットにすると、4で割り切れない)、4つのグループsの "四分位数"は必ずしもなりません厳密に同一サイズのその - 一般的に、彼らはおおよそ同一サイズになります。
【０２３６】
このように、によると、 "第1のマッピング方式では、"毛のは、4つの高さのカテゴリに分かれています - 上位四分位数( "文字"に関連付けられている)、上部中央の四分位数( "文字B"に関連付けられている)低中央の四分位数( "文字C"に関連付けられている)と。それぞれの毛であるそれぞれの文字にマップPED又は手紙B又はCの文字又は文字D。限定のためにすることのない例示の( "文字D"に関連付けられている)下位四分位数"内側領域"とは、その高さ分布ヒストグラムを持つ高さ13.3ミリメートルを超える場合は、 "上位四分位点高さ"又は "A"毛の、毛の考えることができる図5、毛sで示される図1A〜2Bのヘアブラシのその高13.3ミリメートルにさです。未満又は等しいと、その高さ11.3ミリメートルを超える場合は高さ11.3ミリメートルの未満又は等しい "アッパーミドル四分位数高さ"又は "B"毛の、毛の考慮されるかもしれないと、その高さ9.3ミリメートルが "低中四分位数高さ"又は "C"毛の考慮されるかもしれないを超えると、高さです。未満又は9.3ミリメートルに等しい毛sは "下四分位数の毛の高さと考えられるかもしれません"又は" D "の毛、
別のマッピングスキームに従って、(すなわち1 "第2のマッピング方式")、毛sは同様に4幅のカテゴリに分かれています - 例えば、 "上位四分位太さ"、 "アッパーミドル四分位太さ"、 "中央下四分位数太さ "、および"下四分位数太さ。 "ヘアブラシのために、その太さ特性sは図6に図示されている、太さ約1.6mmの毛を持つのである図1A〜2Bの"毛 "、太さ毛のとの太さ約1.42ミリメートルのさ "B太さ毛の、"と毛の太さ約1.2mmのさ "C太さ毛sとした毛の太さ約1mmの。
【０２３７】
{A、B、C、D} 3-Quaniles "は3文字のアルファベットに関連付けられている - それは四分位数がちょうど一例quanile四分位数の(又は4-quaniles)" 4文字のアルファベット "に関連付けられていることに留意されたい
" -  {A、B、C} 5 Quanilesが関連付けられている。" 5つの文字のアルファベット " -  {A、B、C、D、E}。
【０２３８】
セットの毛の(例えば、 "内側領域"又は他のセットの毛の)ここで、それぞれの毛です。マップPEDそれぞれの文字のベース部dに物理的特性のために毛文字のマッピングを定義することが可能です。すなわち高さ又は幅又は材料の柔軟性私たちを定義以下の記号。
マッピング(物理的特性、N}ここで、 "物理的特性"から選択されている "高さ"又は "太さ"又は "材料の柔軟性"と "N"は正のquanileの整数の定義数 - このように、N = 5この5 Quanilesに関連する場合、N = 3この、3 quanile、N = 4この4 quanilesに関連する場合(又は四分位)に関連する場合。
【０２３９】
の3つの "quanile国境"がある "第1のマッピングスキーム"(これもマッピング(高さ4と呼ばれることもある))のために -  N quanileのための "quanile境界線"は、どのデバイスから別のqunaileの値に関係セット毛sの図5の(すなわち内側領域) -  11.3ミリメートル、11.3ミリメートルと9.3ミリメートルこのように、1マッピングスキームマッピング(物理的特性、N}は、一般的に、提供するN- 1 "B秩序だった。"
【０２４０】
非網羅的なリストが含まれていと考えられるかもしれませんが、これらに限定されていないマッピングスキームの
【０２４１】
例えば、いかなる特徴の組み合わせのいずれかの制限のセット毛の本明細書に開示さ(すなわち、明示的に組み合わせ又は任意の他の開示の - これらマッピング方式は、毛の任意のセット毛のは、本明細書に開示を含むいずれかの "セットマップPED"に適用されるかもしれませんの組み合わせ)。
【０２４２】
語 "マップPEDセット"毛のだが、彼については、任意の物理的限界を意味するものではありません毛の全く(すなわち物理的特性毛sの、及び/又はそれらの分布又は他の特徴毛の) - の代わりに、語 "マップPEDセット毛マッピング "毛sの数学的構造を記述するために使用されます"。 "
【０２４３】
すべてのセット本明細書に開示があるかもしれない "マップPEDセット。" A "マップPEDセット"の毛sが提供された特徴又は本願で開示される特徴の組み合わせ - これら特徴の又は特徴の組み合わせを含むことができるが、これらに限定されない任意の高さの特徴(S)組み合わせ、及び/又は、任意の材料の柔軟性特徴(S)、及び/又は、任意の幅の特徴(S)、及び/又は密度特徴(S)密度毛の展開を記述します。そのような特徴だが含まれますが、高さの特徴の、特徴sはsが展開されている密度いる毛で、毛の本数特徴の、毛幅の特徴の、毛の形状の特徴、他のある特徴又は組み合わせに係るこれらに限定されない
その。
【０２４４】
さらに、代わりに 又は 追加して、ある実施形態では、 「マップped セット
毛のsは1つ以上の以下の特徴のsを含めることができます。
(i)少なくとも 60％、又は 少なくとも 70％、又は 少なくとも 80％、又は 少なくとも 90％、又は 少なくとも 99％ of  毛s have a 高さ that is above a 最小 高さ− 例えば、少なくとも 3mm、又は 少なくとも 4mm、又は 少なくとも 5mm、又は 少なくとも 6mm、又は 少なくとも 7mm、及び／又は
(ii)少なくとも 60％、又は 少なくとも 70％、又は 少なくとも 80％、又は 少なくとも 90％、又は 少なくとも 99％ of  毛s have a 高さ that is below a 最大 高さ 値 − 例えば、多くとも 25mm、又は 多くとも 22mm、又は 多くとも 20mm、又は 多くとも 18mm、又は 多くとも 17mm、又は 多くとも 16mm、又は 多くとも 15mm。
【０２４５】
(iii)少なくとも 60％、又は 少なくとも 70％、又は 少なくとも 80％、又は 少なくとも 90％、又は 少なくとも 99％ of  毛s have a 太さ that is above a 最小 太さ − 例えば、少なくとも 0．3mm、又は 少なくとも 0．4mm、又は 少なくとも 0．5mm、又は 少なくとも 0．6mm、又は 少なくとも 0．7mm、又は 少なくとも 0．85mm、又は 少なくとも 1mm、及び／又は
(iv)少なくとも 60％、又は 少なくとも 70％、又は 少なくとも 80％、又は 少なくとも 90％、又は 少なくとも 99％ of  毛s have a 高さ that is below a 最大 高さ 値 − 例えば、多くとも 25mm、又は 多くとも 22mm、又は 多くとも 20mm、又は 多くとも 18mm、又は 多くとも 17mm、又は 多くとも 16mm、又は 多くとも 15mm。
【０２４６】
毛地区の考察
ある実施形態では、任意の "特定の毛b"との任意のセット毛のBrSet(すなわち含むセットすべてのの毛ヘアブラシに又はいくつかのいかなる部分毛sの - 任意のセット本明細書に開示させいかなる組み合わせ特徴(s)の本明細書に開示される - 例えば、毛sの任意の "マップPEDセット")、それは又はいかなる組み合わせ(明示的に列挙された組み合わせの又は任意の他の組み合わせ)を含む、以下の "毛近傍"の毛、任意の基準にbaccordingリストEDを定義することが可能ですその。
【０２４７】
(i)"近傍毛"条件 "最大距?よりも近い"を満たすために必要になることがあります - すなわち毛を持つ距?毛ビス未満1最大距?からの - 例えば、未満1.5ミリメートル、又は未満1.25センチメートル、又は未満1センチメートル、又は未満7.5ミリメートル、6.5ミリメートル又は未満、又は未満5ミリメートル、又は未満の1.5倍の平均の毛の高さセットBrSet(AH_BrSetとして示される)のために、又は未満の1.2倍又は未満の1.1倍又は未満1.0倍又は未満0.9倍又は未満の0.8倍又は未満の0.7倍又は未満の0.6倍又は未満0.5時間AH_BrSet、及び/又は 
(ii)"近傍毛"条件 "最短距?よりさらに"を満たすために必要になることがあります - すなわち毛のその距?毛bexceeds 1最短距?から - 例えば、少なくとも1.5ミリメートル、又は少なくとも2ミリメートル、又は少なくとも2.5ミリメートル、又は少なくとも3mmの又は少なくとも10％、又は少なくとも15％、又は少なくとも20％の倍AH_BrSet、及び/又は
(iii) "近傍毛" "ランク付け毛の基準"を満たすために必要になることがあります - すなわち、Nは正の整数、それは毛セットbrestと "特定のに対する"近傍のメンバーシップを "制限することが可能かもしれませんされている場所を毛の "b N番目の最近接毛sの毛bwhere Nされている任意の正の整数(例えば、2又は3又は4、又は5、又は6又は7又は8又は9又は10、又は他の整数) - このどちらかです、絶対番目の最近接毛の又はN番目の最近接毛を持つ距?bから上の任意の最短距離リスト編を超えるの。
【０２４８】
セットBrSetをすることができ、任意のセット毛本明細書に開示され、及び/又はしたいかなる特徴の組み合わせ(例えば、の毛の "内側領域)を含むが高さの特徴の、展開密度特徴S、などにlimtedはありません。一例においての、BrSetは、セットのすべての毛の1特定の範囲を提供いかなる本願で開示される特徴の組み合わせである - 例えば、すべての毛を有する任意の最小高さ、及び/又は、任意の最小太さ、及び/又は、任意の最大高。例えば、少なくとも100本、又は少なくとも150本、又は少なくとも200本、又は少なくとも250本 - さ、及び/又は、任意の最大太さ本明細書に開示さ个体数BrSetのは、任意の "毛の本数"は、本明細書中で開示される場合があります。
【０２４９】
1つの特定の例は、環状、形状にされて範囲内の毛のように "近傍毛"を定義することが可能である - すなわち距離を超える場合、任意の "最短距?"(すなわち内側の半径環の)であり、また未満、任意の"最大距?(環の半径すなわち外側)。
【０２５０】
図15を参照すると、それは注意されているオプションとしては、近傍毛B1は、任意の毛B3ここで、(i)はB2が近傍毛B1ののメンバーである、及び(ii)B2 "ブロック"毛から排除することが可能かもしれませんB3  - 例えば、B1-B2-B3です。 "実質的に共線的"
【０２５１】
上述のとおり、毛間の距離は局所表面に沿ったものであるが、(毛保持面が平坦ではない場合)必ずしもデカルト距離でなくてもよい。
【０２５２】
環状の一例において、環状の "内側のradiu"范囲に等しい1.5ミリメートル、又は2ミリメートルに等しい、又は2.5ミリメートルに等しい、又は等しいで3mmの及び/又は "外側radiu"范囲15ミリメートルに等しい、又は12ミリメートル、又は、1センチメートル等しい又は8ミリメートルに等しい、又は等しい7.5ミリメートル、又は6ミリメートルに相当します。いかなる組み合わせも可能。
【０２５３】
環状の一例において、環状の "内側のradiu"范囲に等しい5％、又は10％、又は15％、又は20％、又は25％、AH_BrSetの又は30％、及び/又は "外側radiu"范囲150％に等しい、又は120％又は100％、又は90％、又は80％、又は70％、又は60％、又は50％、又はAH_BrSetの40％。いかなる組み合わせも可能。
【０２５４】
図16Aは、1つを示していますそのような毛近傍r1が "内側annuluの半径"とr2である毛B7の "環の外側の半径。"
【０２５５】
1一部毛sの図16Aの図16Billustrates  -  "ソース・デスティネーション・ベクトル"図16Billustratesコンセプトの図16Bにおいて、B7からB2へのベクトルが近傍B7のでB2の "ソース・デスティネーション・ベクトル"ですが、B3のB7は、近傍B7のでB3の "ソース・デスティネーション・ベクトル"、 
近傍 "特定の毛"の(図16の "特定の毛" B7である)、それぞれに関連付けられている "ソース・デスティネーションベクター。"内のすべての毛
【０２５６】
近傍毛のオーダー
ある実施形態では、それは近傍ように最近接毛近傍である "第1の毛"の近傍、第2の最近接毛の近の傍である "第2の順に毛ののことが可能です毛 "近の傍などがあります。のイベントでは"タイ、タイブレーカー "として"任意のベクトルVを "それは利用することが可能かもしれない" "vからより小さい角度でその毛は(時計回り方向)ですので、"以前の順番に "vから大きな角度で毛より。距?(B7、B8)が=距?(B7、B11)、B8は、近傍毛B7のための近傍ために、以前のだろうこので例、たとえ。(オーダーSCHEME 1)
他の例においては(スキーム2オーダー)、それはで近傍。スキーム2、オーダの毛の順序を計算するために、"特定の毛"(図16このB7である)から距?を利用する必要はありません。それぞれの毛近の傍秩序だった唯一の"任意のベクトル"とそれぞれのソース・デスティネーションベクターとの間の角度によると、"角度が時計回り方向に毛のソース・デスティネーションベクターに任意のベクトルから取られてい−。毛が有する低級角度値(すなわち任意のベクトルと毛"ソース・デスティネーションベクターとの間)である特定のより低いスコア本の毛有する高級角度値。
【０２５７】
このように、ソース・ベクタB7−B4は、低い値のベクトルB7−B8より(とこのように特定の1が望ましい又はより高い順位になります)しています。B7−B3が同一方向として任意のベクトルで同一直線上にあるので、それは"角度のゼロ"を持っており、特定のほとんどの好みであろう。
【０２５８】
"秩序だった近傍の周り毛B7リスト毛はの"図16Aのために、ためにannulu内の"秩序だった"時計回りの方法の相対的に以下の順序を生成するために、任意のベクトルVのかもしれません。｛B3、B4、B8、B12、B11、B10、B6とB2｝毛の(図17のステップ919を参照してください)。
【０２５９】
B3は、第1の上にリストするため角度との間の出発点と到着点ベクトルB7−B3この場合であるゼロ度。B7−B8"出発点と到着点ベクトルとの間の角度、"出発点と到着点ベクトル"B7−B4について"と任意のベクトルは45度です。’出発点と到着点ベクトル"B7−B4、角度B7−B8の間には、"出発点と到着点ベクトル"と任意のベクトルは90度です。
【０２６０】
マッピング毛の言葉に近傍の中で毛のオーダー、近傍の選択を使用する
図17は、語形成のためのルーチンを示しています。
【０２６１】
ある実施形態では、のためにセット毛のBrSet(これ自体は任意の基準を使用して、毛セット又は植毛領域Sは、本明細書に開示のいずれかの特性の必要があります選択することができるの−例えば密度、高さ、太さ又は任意の他の特性を)と任意のベクトルVと方向(すなわち時計回り又は本数erclockwie−は方向が指定されていない場合、デフォルトはの前のセクション)、それはマップそれぞれの毛のセットのことが可能であるで議論されたように"時計回り"されている次のように各ワードに毛のBrSet：
(i)第1の1近傍毛のセットBrSet相対(図17のステップS911を参照してください−他の"近傍の選択が技?用いることができる)、本明細書に開示され、任意の技?を使用して決定されます。
(ii)オプションとして、冗長な毛の(図15参照)から排除される近傍使用して、任意の"実質的に共線性の毛の許容誤差"(図17のステップS915参照)；
(iii)近傍秩序だった、任意の基準に従ってされている−例えば、任意のベクトルVと方向(デフォルトはの時計回り)からの相対パス−ステップS919を参照してください。
【０２６２】
毛Bベース部、正intergerN(例えば、N=2、又は3、又は4、又は5、又は6又は7又は他の値)この秩序だった配列bfirt＿neighbor、becond＿neighborが得られますために・・・bNth＿neighbor
ステップS923で、任意の毛文字(毛)の文字が記載されたマッピング方式を使用して計算されるかもしれません前のセクションと題し、"マッピングによると、手紙に毛の高さ、太さ又は材料の柔軟性"(マッピング(高さ、N｝又はマッピング(幅、N｝又はマッピング(Nは任意の整数ですpoitivbe材料＿flexibilty、N｝。
【０２６３】
bfirt＿neighborの文字は、文字(bfirt＿neighbor)である場合、bfirt＿neighborの文字は文字(becond＿neighbor)であり、その上で、それはどちらかとしてワード内のワードの(bベース部)を計算するために図17のステップS923で実現することができます：
(i)の秩序以下の手紙。手紙のだった連結(Bベース部)、手紙(bfirt＿neighbor)。手紙(bNthneighbor)(このSETPS923でもある"INCLUDEベース部POLICY"である)、又は 
(ii)秩序だっ以下の手紙。手紙(bfirt＿neighbor)のた連結。先頭に文字(bNthneighbor)(ない文字(Bベース部)を含む)(このは"OMMITベース部POLICY")。
【０２６４】
図18を参照すると、それは注意されているオプションとして(図17のステップS915参照)、それは排除することが可能である"角度、実質的に冗長近傍毛の。"このように、2つの毛が存在する場合その"ソース先"ベクトルが未満30度である又は未満20度又は未満15度、それは遠くに失格することが可能である2本の毛。例においては図19に、それは(S915、ステップに応じて可能かもしれないB21が閉じて、角度のソースと宛先の間にベクトルである未満、30度又は未満20度又は未満15度、又は未満れているため))毛B21の賛成で毛B22を(すなわち。"の秩序だった近傍B7の周りを排除する10度。
【０２６５】
図16A"2毛秩序だった隣接さ"毛B7に(すなわち図16A内の任意のベクトルに対して)｛B7、B3｝が(つまり以降のN毛常に含まれています"特定の毛になる他の毛のある"閉じる"第1として彼の毛の秩序だった近傍3毛秩序だった近傍毛B7用等、｛B7、B3、B4｝である。
【０２６６】
それぞれの毛(それぞれの文字にPEDマップかもしれませんA、B、C又はDベース部dの高さ又は太さ／幅又は材料の柔軟性)は、このように、それは近傍Nのことが可能である本の毛"特定の毛"を中心に特定の毛とその近隣諸国からN＋1文字の単語を作る(すなわち、他の"秩序だった近傍)の場合高さ毛B7の手紙は"毛B3の"、高さの手紙"B"があり、高毛B4のさの文字が"D"である場合は、近傍の3文字の単語は"ABD"です。
【０２６７】
秩序だった言葉に関連付けられている組合せの考察
上述したように、フレーズ"毛は内に配備されている特定区域ように毛の高さは実質的に不規則にされ、実質的に独立して位置変化する"(いずれかの毛の高さ又は幅／太さ又はを材料の柔軟性)が表示され識別可能なパターン("不規則な"パターン)毛の高さは1植毛領域(例えば、"内側領域"のための位置の関数である以外での不足を指しますブラシ図1A〜2Bの)。
【０２６８】
この定義を制限することなく、それが可能かもしれないが、ある実施形態では、実質的にDIS秩序だった又は実質的に不規則なばらつきの高さS(又は太さ又は材料の柔軟を特徴付ける数学的な定義のいくつかの並べ替えを提供する性の)。
【０２６９】
1つの目立った特徴ある実施形態されている特定のセットの毛の(例えば、内側領域又はいずれかのセットBrSet又は任意のセット本明細書に開示さを有する任意の特徴又は特徴の組み合わせ)"高さのWord"(のためにすなわちで提供されるマッピング(高さ、N｝は、ステップS923で使用されている)時の言葉が形成され、及び／又は"幅ワード"(マッピング(毛つまり、N｝は、ステップS923で使用されている場合すなわち言葉が形成される)、及び／又は"材料の柔軟性ワード"(すなわち言葉が形成されたときにマッピング(材料＿柔?性、N｝が非常に繰り返すことはできません)、ステップS923で使用されています。このエントロピー度の高い指標となるかもしれ又は不規則性。
【０２７０】
4文字の3ワードの場合は、4＾3=64"秩序だった"3つの言葉を作ることができます。
【０２７１】
4文字の4ワードの場合は、4＾4=256"秩序だった"4言葉をすることが可能である。
【０２７２】
4文字の5ワードの場合は、4＾5=1024"秩序だった"10の言葉をすることが可能である。
【０２７３】
この低繰り返し特徴5このように示す準不規則な又は不規則な高さ又は幅又は材料の柔軟性ばらつき。
【０２７４】
For特有な場合ofマッピング(高さ，4｝、forヘアブラシof図1A〜2B、for「内側領域」where毛have高さ分布of図5、numberofditinctWOrdina範囲of「内側領域」wacomputed。reultof「3−letterneighborhood」for約300本の毛of図3areindicatedinAppendixBfor特有な場合where「高さ」i物理的特性ofletterマッピングfunction。reultof「4−letterneighborhood」for約300本の毛of図3areindicatedinAppendixCfor特有な場合where「高さ」i物理的特性ofletterマッピングfunction。
【０２７５】
もし高さ又は幅又は柔軟性の分布秩序だったし、ほとんどの単語が繰り返され、単語のみの比較的"小さい"番号がセットより大きいにも思われるでしょう。
【０２７６】
それに留意されたいヘアブラシ図1A〜2B(すなわち"結果"が付録に示されている)のヘアブラシ長さS(又は幅の又は材料の柔軟性)が持っているかもしれ不規則な又は準不規則な特性のための(すなわち数学的に不規則な)−"繰り返し言葉"としてそのような、比較的少数がありそうです。
【０２７７】
例えば、4文字の3ワードのために、セットの300本の毛が(全体の"語彙"が64ワードです)可能な単語の多くを含むかもしれません−例えば、少なくとも30個別の単語又は少なくとも40個別の単語又は少なくとも50の異なる言葉又は少なくとも55の異なる言葉。このいずれにも本当かもしれない物理的特性のためのマッピング(物理的特性＿、4｝。
【０２７８】
例えば、少なくとも150個別の単語又は少なくとも175個別の単語又は少なくとも200−例えば、4文字の4ワード、セット300のための本の毛は(全体の"語彙"は256ワードです)可能な単語の多くを含めることができ個別の単語又は少なくとも225の異なる言葉。
【０２７９】
このように、もし毛の持っている数学的に不規則な特性の、そこにいくつか繰り返されるでしょう、そして、"別個の単語"の数は語彙のサイズの大きさのオーダーである可能性があります。
【０２８０】
また、30を分析することが可能かもしれない、又は40は、毛のいずれかの一部の"毛セット"を有するいかなる本願で開示される特徴の組み合わせ−例えば、サブセット実質的に一定の毛の密度で配置することができますブラシの表面上に。
【０２８１】
組合せ特徴"秩序だったローマ"に関連するの
語2ワードは、2文字の言葉を指し語3ワードは、3文字の言葉を指し語4ワードは、4文字の言葉などを指します。
【０２８２】
一例において、30の毛すべての毛セット、マッピング関数を使用してマッピング(物理的＿特性、4｝の一部の、3つの言葉のために、40の少なくとも10又は少なくとも15又は少なくとも17のまったく異なる3ワードがあるかもしれません毛一部、任意のための物理的特性。
【０２８３】
マッピング(物理的特性＿、4｝(すなわち高さ又は幅又は材料の柔軟性)および"Wordの長さ"3、任意のベクトルV、およびポリシーの("INCLUDEベース部政策への"デフォルトでは)のであり、?容?差(すなわち図15と図17のステップS915のために−20度であるデフォルトのための"実質的に共線性の毛の許容誤差")、および発注方向のために(デフォルトの時計回り)と、近傍選択ポリシー(ステップS911を参照してください−このアニュラスの内側と外側の半径を定義して含まれることがあります)、セット、40本の毛(例えばそれを参照している毛セット)の一部です。40として−セット"実質的に変化するセットの出力ワードの"40の少なくとも10又は少なくとも15又は少なくとも17のまったく異なる3ワード又は少なくとも22の異なる又は少なくとも25種類の3ワードがあるかどうかを持っていると見なされます毛一部の任意の物理的特性(すなわち高さ又は幅又は材料の柔軟性)。少なくとも1任意のベクトルvに対して、少なくとも10個の3ワードがある場合は、この"アルファベットの3ワードのLEVEL1品種であるへの物理的特性。点4文字から4文字のアルファベットの3ワードのLEVEL2品種"少なくとも15の異なる3ワードがある場合は、このは"。"少なくとも17のまったく異なる3ワードがある場合は、このです。"4文字のアルファベットの3語のレベル3VARIETY"少なくとも22の異なる3ワードがある場合は、この"4文字のアルファベットの3ワードのレベル4VARIETY"です。がある場合は少なくとも25種類3つまり、この"4文字のアルファベットの3ワードのレベル5VARIETY"です。語"様々な"40の中で、さまざまな言葉を指します−毛一部。
【０２８４】
このまた、R(インナー)とR(外側)の半径に関してかもしれない"neighbrohood自己定義環。"
【０２８５】
マッピング(物理的特性＿、4｝(すなわち高さ又は幅又は材料の柔軟性)および"Wordの長さ"4、および任意のベクトルV、およびポリシーの("INCLUDEベース部政策への"デフォルトでは)のであり、?容?差(すなわち図15と図17のステップS915のために−20度であるデフォルトのための"実質的に共線性の毛の許容誤差")、および発注方向のために(デフォルトの時計回り)と、近傍選択ポリシー(ステップS911を参照してください−このアニュラスの内側と外側の半径を定義して含まれることがあります)、セット、40本の毛(例えばそれを参照している毛セット)の一部です。40として−セット"実質的に変化するセットの出力ワードの"40の少なくとも10又は少なくとも15又は少なくとも20の異なる3ワード又は少なくとも25種類又は少なくとも30の異なる3ワードがあるかどうかを持っていると見なされます毛一部の任意の物理的特性(すなわち高さ又は幅又は材料の柔軟性)。少なくとも1任意のベクトルvに対して、少なくとも10個の4ワードがある場合は、この"アルファベットの4ワードのLEVEL1品種であるへの物理的特性。点4文字から4文字のアルファベットの4ワードのLEVEL2品種"少なくとも15の個別の4ワードがある場合は、このは"。"少なくとも20の異なる4ワードがある場合は、このです。"4文字のアルファベットの4ワードのLEVEL3VARIETY"少なくとも25の異なる4ワードがある場合は、この"4文字のアルファベットの4ワードのレベル4VARIETY"である。少なくとも30の異なる4が存在する場合つまり、この"4文字のアルファベットの4ワードのレベル5VARIETY"です。語"様々な"40の中で、さまざまな言葉を指します−毛一部。
【０２８６】
このまた、R(インナー)とR(外側)の半径に関してかもしれない"近傍を席巻する環。"
【０２８７】
ある実施形態では、a植毛領域(例えば、include少なくとも100本、又は少なくとも150本、又は少なくとも200本、又は少なくとも250本の毛)haany特性dicloedhereinmayincludemultipleditinct一部of40−britel、eachofwhichmay離されてhavealevelofvarietywithina近傍(例えば，、definedbyR(inner)andR(outer))。
【０２８８】
いくつかの実施形態では、剛毛のフィールド(例えば、少なくとも100、または少なくとも150、少なくとも200、または少なくとも250毛を含む)は、5月には、ばらばらの毛40のサブ・セットとは限らない任意の数を持って、それぞれの可能性個別には、近傍内の様々なレベル(例えば、R(インナー)とR(外側)で定義されている)を持っています。
【０２８９】
もしセットセット＿COVERED(例えば、内側領域)"実質的に覆われた"40で一部の(すなわち物理的特性、近傍の定義スキームには、Wordの文字の数、文字の数値を基準にして)です。し、少なくとも40％、又は少なくとも50％、又は少なくとも60％、又は少なくとも70％、又は少なくとも80％、又は毛のうち少なくとも90％のセット＿COVEREDは、40のサブセット、任意の特性に開示したというメンバーであるここに。
【０２９０】
さらなる考察 
又は特徴現在のセクションのいずれかの結果は、少なくとも1任意のベクトルV(このは任意ですが、図面。16，19"任意のベクトル"が上向きに指摘されている)です。ある実施形態では、すべての結果(すなわち多くのに関連する真の相対的な可能性があります異なる言葉が)4任意のベクトルの90度の間隔で、単位円上に配置された(又は、すべての4又は少なくとも3)。ある実施形態においては、すべての結果(すなわち多くの個別の単語に関連する)可能性の少なくとも2に該当している可能性があり独立に真である大部分(又は1実質的に大部分少なくとも60％、又は少なくとも70％、又は少なくとも90％)のセット36の任意のベクトルは10度間隔で、単位円上に配置された。
【０２９１】
この"異なる3ワードの最小数特徴(各3から40毛母集団Pの一部の、少なくとも10があるかもしれない、又は少なくとも15、又は異なる少なくとも173ワード40の毛一部の場合のワード"秩序だった近傍"は、それぞれの毛の周り)40毛のサブセット母の集団)は独立して少なくとも2の"繰り返し"することができ、又は少なくとも3又は少なくとも4、又は少なくとも5つの異なったためにマップの40−毛一部の毛のの母集団P各40−独立して少なくとも2のそれぞれの少なくとも10又は少なくとも15又は少なくとも17のまったく異なる3ワードを発揮する毛一部独立して展示"低近傍繰り返し属性"、又は少なくとも3又は少なくとも4、又は少なくとも5つの異なった40−。毛一部の毛の母集団Pある実施形態では、少なくとも40％、又は少なくとも50％、又は少なくとも60％、又は少なくとも70％、又は少なくとも80％、又は少なくとも90％のすべての毛の"母集団毛の"の内側領域(すなわち、"特定区域"の内のブラシの表面)されているメンバー1つ以上のそのような40−毛一部の独立した"の高さの低繰り返し秩序だった近傍"の3語のパラグラフ(3文字の、すなわち。言葉)を提示彼で説明しています。
【０２９２】
この"個別の4ワードの最小数特徴40−40毛一部母集団Pのの、少なくとも10があるかもしれない又は少なくとも25、又は異なる少なくとも304ワード40の毛一部の場合の毛のサブセットの母集団)は独立して少なくとも2、又は少なくとも3又は少なくとも4、又は少なくとも5つの異なった40の"繰り返し"することができる−毛一部の毛の母集団P各40−毛一部独立して独立して少なくとも2、又は少なくとも3のそれぞれの少なくとも25又は少なくとも30の異なる4ワード(各4ワードマップの"秩序だった近傍"に、それぞれの毛程度)、展示する展示は、"低近傍繰り返し属性"又は少なくとも4、又は少なくとも5つの異なった40−。毛一部の毛の母集団Pある実施形態では、少なくとも40％、又は少なくとも50％、又は少なくとも60％、又は少なくとも70％、又は少なくとも80％、又は少なくとも90％のすべての毛の"母集団の毛"の内側領域(すなわち、"特定区域"の内のブラシの表面)は、メンバーが1つ以上のそのような40−毛一部の独立した"低繰り返し高さの秩序だった近傍"グラフ4−Wordの語の(すなわち、4文字の。ワード)でパラを提示する彼で説明しています。
【０２９３】
100の場合のために毛一部の母集団P、少なくとも40があるかもしれない、又は少なくとも50又は少なくとも60又は少なくとも70又は少なくとも100の80の異なる4ワード毛一部。
【０２９４】
この明確な言葉の語で議論に対比の高さだろう"秩序だった近傍繰り返し特徴の不足"−"Wordは"自分自身を繰り返すことパターンEDブラシES、
いくつかのemboldenであって、任意の固定ベクタに特定の特性の相対を持っヘアブラシ500に関連しています。
特定区域SA含む毛保持面530を含む1)1ヘアブラシ胴体部510と、 
B)複数の少なくともN本の毛内にある特定区域SA、个体数それは少なくとも100で、平均の毛の太さを持つ値0．85ミリメートル〜2ミリメートルされており、平均の毛の高を持つ複数のさ、その値8ミリメートル〜14ミリメートル、とある高さ標準偏差を持つ値である少なくとも0．1倍平均の毛の高さ、それぞれの毛、複数のマップされてpable高さ、表現の文字に従ってマッピングそれぞれの文字に4文字のアルファベット=｛Q1、Q2、Q3、Q4｝Q1のようにの毛の上部の高さ四分位数は、上部中央の高さ四分位数、中央下高さ四分位数、又はより低い高さ毛分布の四分位数はそれぞれマップの、Q2、Q3、Q4又は、前記毛が特定区域ように内に配備されています。
i)はそれぞれの特定の毛複数のGBが関連付けられているそれぞれの環状・形状にされて近傍の範囲neighb＿范囲(GB)アニュラスの内側の半径が未満4ミリメートルに等しいと環の1．5ミリメートルと外側の半径を超えている6ミリメートルを超え、未満12ミリメートルです。
ii)特定の毛GBは1に関連付けられているつ以上のN−メンバー隣人が近傍に存在する複数の毛の設定の範囲neighb＿范囲(GB)、nは正の整数。
iii)特定の毛ギガバイト近傍の範囲neighb＿范囲(GB)は度異なる、角度毛セットどこにすべてのソースと宛先ベクトルの互いに異なる少なくとも20であるために関連付けられているN−メンバー隣人毛セットの少なくとも一つは、2より大きい。
のIV)それぞれの毛複数の、それぞれの代表的な秩序だったN−メンバーの隣人セット毛、複数のは秩序だったDISTINCT−角度N−メンバー毛セットそれぞれの環状・形状にするために、任意のベクトルに対して相対的に定義されますされて近傍の範囲を有する1最小反時計回り−角度偏差の集計値は任意のベクトルに対して相対的に秩序だった時計回り角度偏差昇順に。
v)のそれぞれの特定の毛であるマップにpableそれぞれの近傍−から派生した高さ、わかりやすいN＋1文字Wordの毛の高さの特定の毛とその代表的な秩序だったN−メンバー隣人セット、近傍−高さ−の連結されて説明する。
)1近Wordの各位置が表す文字に対応する長さNの傍をWordによると、高さ−代表的な文字マップには、対応する位置代表的な秩序だったN−のメンバー隣人内でセットし、
B)を表す文字高さの特定の毛高さ代表の文字マップによると。
【０２９５】
−異なる4ワード特徴40の毛のサブセット母集団(ここで4のこの"最小番号：母集団会は少なくとも又は少なくとも2つの又は3又は4又は複数のサブ−40−毛セット−設定されるようにそれを含める単語はそれぞれの毛(すなわちによって高さのようにそれぞれの毛マップの4文字のいずれか)のそれぞれの地域を分析することによって導出されるのサブセット−。私は、電子任意"から時計回りに"で記述された順序に従ってベクターは、"少なくとも20の異なる単語又は少なくとも25種類の言葉かもしれません。
【０２９６】
"異なる3ワードの最小数特徴40の毛のサブセット母集団(ここで、4−母集団1を含めることができつ以上の2つの又は3又は4又は40以上の母集団のようなそれの毛セット・セットワードは、それぞれの毛(すなわち高さでそのそれぞれの毛マップの4文字のいずれかにある)それぞれの地域を分析することによって導出されるのサブセット−。I、E"から時計回りに"で記述された順序に従って任意のベクトルは"少なくとも12種類の言葉かもしれない又は少なくとも17のまったく異なる言葉又は少なくとも22の異なる言葉。この複数のために繰り返されるかもしれない"一部のテストをしている人の。
【０２９７】
付録A
以下の表は、毛の高さのための図1A〜2Bの例。限定のためにすることのない例示表1の約300に関連する本の毛を持つ位置は図4にマップPEDです 
毛"は"約300の"上部高さ四分位数"の本の毛300約ための内側領域のブラシ、毛の"B"はである標識された"アッパーミドル高さ四分位数"の本の毛内?にあるラベルの領域ブラシで、毛のラベルは"B"の約300本の毛の内側領域ブラシのと、"C"というラベルの付いた毛がに"下中央の高さ四分位数"であるために"高さ四分位数アッパーミドル"である約300本の毛の内側領域のブラシと、"D"とラベルされた毛は約300の"下高さ四分位数"にある本の毛内側領域ブラシので、
第1のカラム306に関連する"毛数"である本の毛の内側領域図4参照。第2のカラムに"毛の高さ"ミリメートルインチ第3の列が関連する"高さ四分位数。"
【０２９８】
11 1 7．5 D
23 1 7．5 D
54 1 7．5 D
71 1 7．5 D
95 1 7．5 D
108 1 7．5 D
115 1 7．5 D
135 1 7．5 D
188 1 7．5 D
258 1 7．5 D
88 1 7．8 D
103 1 7．8 D
134 1 7．8 D
157 1 7．8 D
211 1 7．8 D
253 1 7．8 D
256 1 7．8 D
260 1 7．8 D
279 1 7．8 D
299 1 7．8 D
35 1 8．1 D
60 1 8．1 D
68 1 8．1 D
84 1 8．1 D
127 1 8．1 D
169 1 8．1 D
193 1 8．1 D
197 1 8．1 D
232 1 8．1 D
285 1 8．1 D
9 1 8．4 D
106 1 8．4 D
117 1 8．4 D
152 1 8．4 D
159 1 8．4 D
180 1 8．4 D
212 1 8．4 D
230 1 8．4 D
266 1 8．4 D
278 1 8．4 D
33 1 8．7 D
67 1 8．7 D
128 1 8．7 D
130 1 8．7 D
139 1 8．7 D
158 1 8．7 D
196 1 8．7 D
229 1 8．7 D
244 1 8．7 D
293 1 8．7 D
12 1 9 D
22 1 9 D
37 1 9 D
90 1 9 D
111 1 9 D
160 1 9 D
183 1 9 D
222 1 9 D
251 1 9 D
294 1 9 D
17 1．2 9．1 D
21 1．2 9．1 D
30 1．2 9．1 D
36 1．2 9．1 D
204 1．2 9．1 D
214 1．2 9．1 D
246 1．2 9．1 D
247 1．2 9．1 D
46 1 9．3 D
50 1 9．3 D
77 1 9．3 D
79 1 9．3 D
131 1 9．3 D
168 1 9．3 D
213 1 9．3 D
268 1 9．3 D
302 1 9．3 D
303 1 9．3 D
42 1．2 9．4 C
56 1．2 9．4 C
86 1．2 9．4 C
123 1．2 9．4 C
191 1．2 9．4 C
216 1．2 9．4 C
245 1．2 9．4 C
254 1．2 9．4 C
259 1．2 9．4 C
7 1 9．7 C
57 1 9．7 C
142 1 9．7 C
145 1 9．7 C
239 1 9．7 C
255 1 9．7 C
274 1 9．7 C
280 1 9．7 C
296 1 9．7 C
5 1．2 9．8 C
16 1．2 9．8 C
112 1．2 9．8 C
114 1．2 9．8 C
167 1．2 9．8 C
171 1．2 9．8 C
181 1．2 9．8 C
199 1．2 9．8 C
298 1．2 9．8 C
2 1．2 10．1 C
85 1．2 10．1 C
166 1．2 10．1 C
225 1．2 10．1 C
228 1．2 10．1 C
233 1．2 10．1 C
257 1．2 10．1 C
264 1．2 10．1 C
289 1．2 10．1 C
27 1．2 10．4 C
63 1．2 10．4 C
94 1．2 10．4 C
149 1．2 10．4 C
172 1．2 10．4 C
203 1．2 10．4 C
249 1．2 10．4 C
305 1．2 10．4 C
306 1．2 10．4 C
41 1．2 10．8 C
45 1．2 10．8 C
66 1．2 10．8 C
76 1．2 10．8 C
126 1．2 10．8 C
155 1．2 10．8 C
178 1．2 10．8 C
221 1．2 10．8 C
292 1．2 10．8 C
8 1．45 10．9 C
29 1．45 10．9 C
32 1．45 10．9 C
104 1．45 10．9 C
189 1．45 10．9 C
195 1．45 10．9 C
215 1．45 10．9 C
284 1．45 10．9 C
49 1．2 11．2 C
78 1．2 11．2 C
113 1．2 11．2 C
141 1．2 11．2 C
161 1．2 11．2 C
201 1．2 11．2 C
236 1．2 11．2 C
270 1．2 11．2 C
281 1．2 11．2 C
3 1．45 11．3 C
18 1．45 11．3 C
24 1．45 11．3 C
64 1．45 11．3 C
81 1．45 11．3 C
122 1．45 11．3 C
154 1．45 11．3 C
207 1．45 11．3 C
265 1．45 11．3 C
13 1．2 11．7 B
52 1．2 11．7 B
102 1．45 11．7 B
138 1．2 11．7 B
140 1．45 11．7 B
205 1．45 11．7 B
209 1．45 11．7 B
218 1．2 11．7 B
226 1．45 11．7 B
238 1．2 11．7 B
243 1．2 11．7 B
261 1．2 11．7 B
269 1．45 11．7 B
272 1．45 11．7 B
295 1．2 11．7 B
297 1．45 11．7 B
304 1．2 11．7 B
14 1．45 12．1 B
20 1．45 12．1 B
116 1．45 12．1 B
170 1．45 12．1 B
179 1．45 12．1 B
192 1．45 12．1 B
223 1．45 12．1 B
276 1．45 12．1 B
290 1．45 12．1 B
51 1．45 12．5 B
58 1．45 12．5 B
107 1．45 12．5 B
137 1．45 12．5 B
148 1．45 12．5 B
162 1．45 12．5 B
175 1．45 12．5 B
194 1．45 12．5 B
288 1．45 12．5 B
4 1．6 12．7 B
25 1．6 12．7 B
43 1．6 12．7 B
110 1．6 12．7 B
129 1．6 12．7 B
133 1．6 12．7 B
190 1．6 12．7 B
271 1．6 12．7 B
277 1．6 12．7 B
39 1．45 12．9 B
74 1．45 12．9 B
83 1．45 12．9 B
105 1．45 12．9 B
119 1．45 12．9 B
235 1．45 12．9 B
273 1．45 12．9 B
283 1．45 12．9 B
300 1．45 12．9 B
15 1．6 13．1 B
31 1．6 13．1 B
121 1．6 13．1 B
124 1．6 13．1 B
202 1．6 13．1 B
210 1．6 13．1 B
220 1．6 13．1 B
252 1．6 13．1 B
267 1．6 13．1 B
55 1．45 13．3 B
61 1．45 13．3 B
89 1．45 13．3 B
125 1．45 13．3 B
174 1．45 13．3 B
219 1．45 13．3 B
227 1．45 13．3 B
241 1．45 13．3 B
286 1．45 13．3 B
1 1．6 13．5 A
10 1．6 13．5 A
109 1．6 13．5 A
136 1．6 13．5 A
143 1．6 13．5 A
156 1．6 13．5 A
198 1．6 13．5 A
200 1．6 13．5 A
250 1．6 13．5 A
34 1．45 13．7 A
47 1．45 13．7 A
69 1．45 13．7 A
72 1．45 13．7 A
91 1．45 13．7 A
151 1．45 13．7 A
164 1．45 13．7 A
240 1．45 13．7 A
263 1．45 13．7 A
6 1．6 14 A
19 1．6 14 A
53 1．6 14 A
92 1．6 14 A
146 1．6 14 A
153 1．6 14 A
176 1．6 14 A
206 1．6 14 A
234 1．6 14 A
26 1．6 14．5 A
44 1．6 14．5 A
48 1．6 14．5 A
75 1．6 14．5 A
82 1．6 14．5 A
150 1．6 14．5 A
177 1．6 14．5 A
182 1．6 14．5 A
275 1．6 14．5 A
40 1．6 15 A
87 1．6 15 A
118 1．6 15 A
163 1．6 15 A
217 1．6 15 A
231 1．6 15 A
248 1．6 15 A
262 1．6 15 A
287 1．6 15 A
301 1．6 15 A
59 1．6 15．4 A
73 1．6 15．4 A
93 1．6 15．4 A
132 1．6 15．4 A
147 1．6 15．4 A
173 1．6 15．4 A
224 1．6 15．4 A
237 1．6 15．4 A
282 1．6 15．4 A
291 1．6 15．4 A
28 1．6 15．8 A
62 1．6 15．8 A
65 1．6 15．8 A
70 1．6 15．8 A
80 1．6 15．8 A
120 1．6 15．8 A
144 1．6 15．8 A
165 1．6 15．8 A
208 1．6 15．8 A
242 1．6 15．8 A
【０２９９】
付録B
1 ACB
2 CDC
3 CCD
4 BDC
5 CDD
6 AAD
7 CDB
8 CCA
9 DCC
10 ADB
11 DBD
12 DAC
13 BAA
14 BDC
15 BDC
16 CCD
17 DDA
18 CDA
19 AAD
20 BBA
21 DDC
22 DBD
23 DCB
24 CBC
25 BCD
26 ADC
27 CCD
28 ABA
29 CDA
30 DDD
31 BCD
32 CDB
33 DCA
34 AAD
35 DCC
36 DDD
37 DBD
38 DDD
39 BDB
40 AAC
41 CAC
42 CDD
43 BBA
44 ABC
45 CAD
46 DCC
47 AAB
48 ABA
49 CBB
50 DCA
51 BCD
52 BAC
53 AAC
54 DCA
55 BCA
56 CBB
57 CAB
58 BAA
59 ABD
60 DAC
61 BCC
62 ABC
63 CBD
64 CAD
65 ABD
66 CAB
67 DCD
68 DCA
69 AAA
70 ACA
71 DDC
72 ADA
73 AAA
74 BDA
75 AAD
76 CDA
77 DBA
78 CAB
79 DDC
80 ACD
81 CCD
82 ADA
83 BAD
84 DCA
85 CAA
86 CDB
87 ADC
88 DCD
89 BCA
90 DDA
91 ADA
92 ACD
93 AAD
94 CAA
95 DCD
96 DDD
97 DDD
98 DDD
99 DDD
100 DDD
101 DDD
102 BDC
103 DAB
104 CBD
105 BDA
106 DCC
107 BBA
108 DBC
109 ADB
110 BBD
111 DCB
112 CDB
113 CBB
114 CDD
115 DCC
116 BAB
117 DBD
118 ABD
119 BCC
120 ACD
121 BCC
122 CCB
123 CCD
124 BDD
125 BDA
126 CAB
127 DAB
128 DDB
129 BDC
130 DBB
131 DAB
132 ACB
133 BDD
134 DBD
135 DDD
136 ADD
137 BCD
138 BCA
139 DAD
140 BDA
141 CAA
142 CCB
143 AAB
144 ABD
145 CDB
146 ABC
147 ACA
148 BAA
149 CAC
150 ACA
151 ADB
152 DAB
153 ABC
154 CCD
155 CAD
156 ADA
157 DAB
158 DBC
159 DAD
160 DCA
161 CAA
162 BDD
163 ADD
164 ADD
165 ACB
166 CCA
167 CAB
168 DAA
169 DCC
170 BCD
171 CCB
172 CDB
173 ABB
174 BCC
175 BCA
176 AAA
177 ABB
178 CAA
179 BCA
180 DAA
181 CCB
182 ADC
183 DDA
188 DCA
189 CCC
190 BBD
191 CDB
192 BAC
193 DCA
194 BBD
195 CDC
196 DDC
197 DCB
198 ABC
199 CDB
200 ACD
201 CBA
202 BCB
203 CDB
204 DCD
205 BAD
206 ACA
207 CAC
208 ADC
209 BBC
210 BBC
211 DAB
212 DBA
213 DBB
214 DCA
215 CBD
216 CDC
217 ABD
218 BBD
219 BAD
220 BCC
221 CCB
222 DCC
223 BBA
224 ABB
225 CBD
226 BCB
227 BDC
228 CDD
229 DCA
230 DBC
231 ACB
232 DCB
233 CDA
234 ADD
235 BCD
236 CDA
237 AAC
238 BAA
239 CAB
240 AAB
241 BBA
242 ACB
243 BBA
244 DAA
245 CDB
246 DDD
247 DDD
248 ACC
249 CDD
250 ADC
251 DDC
252 BCC
253 DDD
254 CDA
255 CAB
256 DCA
257 CAD
258 DDB
259 CBD
260 DBC
261 BDC
262 ABD
263 ACC
264 CCA
265 CBD
266 DCB
267 BDD
268 DDB
269 BBA
270 CBB
271 BCC
272 BBD
273 BDB
274 CBA
275 ACB
276 BBD
277 BAD
278 DBC
279 DBD
280 CAB
281 CBB
282 ABC
283 BAC
284 CBD
285 DBD
286 BDA
287 ACC
288 BCA
289 CAC
290 BCD
291 ADB
292 CBA
293 DAB
294 DCB
295 BBA
296 CAB
297 BCD
298 CCA
299 DDB
300 BBC
301 ABB
302 DCD
303 DDB
304 BBA
305 CAD
306 CDD
【０３００】
付録C
1 ACDB
2 CDDC
3 CBCD
4 BDCA
5 CDCD
6 AABD
7 CDAB
8 CCAB
9 DCCB
10 ADDB
11 DCBD
12 DAAC
13 BCAA
14 BDCB
15 BDCD
16 CCDD
17 DDAC
18 CDDA
19 ABAD
20 BCBA
21 DDBC
22 DCBD
23 DCBB
24 CBCD
25 BACD
26 ADCB
27 CACD
28 ABBA
29 CDAA
30 DDDD
31 BCDD
32 CBDB
33 DCAB
34 ABAD
35 DDCC
36 DDBD
37 DBDA
38 DDDD
39 BADB
40 AACD
41 CDAC
42 CDDD
43 BCBA
44 ADBC
45 CAAD
46 DCCB
47 AADB
48 ADBA
49 CBAB
50 DCAB
51 BCDC
52 BADC
53 AAAC
54 DCAB
55 BDCA
56 CBBD
57 CABB
58 BDAA
59 ABDC
60 DACA
61 BCCA
62 ABCC
63 CABD
64 CACD
65 ABDA
66 CABA
67 DCAD
68 DCCA
69 AAAD
70 ACAA
71 DDCB
72 ADDA
73 AAAC
74 BDAD
75 AADC
76 CDAC
77 DBAD
78 CABA
79 DDCA
80 ACDB
81 CACD
82 ACDA
83 BADC
84 DCAC
85 CBAA
86 CDBD
87 ADCA
88 DCCD
89 BDCA
90 DDAA
91 ABDA
92 ACDD
93 AADC
94 CAAD
95 DCAD
102 BDCA
103 DADB
104 CBDD
105 BDAC
106 DBCC
107 BBAC
108 DCBC
109 ADBB
110 BBDC
111 DDCB
112 CBDB
113 CBDB
114 CBDD
115 DCBC
116 BDAB
117 DBBD
118 ABDC
119 BCCD
120 ACBD
121 BDCC
122 CDCB
123 CCDB
124 BCDD
125 BDDA
126 CDAB
127 DABB
128 DDCB
129 BDDC
130 DDBB
131 DABC
132 ACBC
133 BBDD
134 DABD
135 DDDB
136 ABDD
137 BCDC
138 BCAB
139 DADC
140 BCDA
141 CAAB
142 CBCB
143 AADB
144 ABDC
145 CCDB
146 AABC
147 AACA
148 BDAA
149 CAAC
150 ACCA
151 ADBA
152 DCAB
153 AABC
154 CCAD
155 CDAD
156 ADDA
157 DACB
158 DBCA
159 DADC
160 DACA
161 CADA
162 BADD
163 ACDD
164 ADCD
165 ADCB
166 CCAA
167 CAAB
168 DBAA
169 DCCC
170 BCCD
171 CACB
172 CBDB
173 ABBD
174 BACC
175 BACA
176 AAAB
177 ACBB
178 CDAA
179 BCAB
180 DAAC
181 CACB
182 ADDC
183 DDAA
188 DCBA
189 CCCC
190 BBCD
191 CCDB
192 BAAC
193 DCCA
194 BCBD
195 CDBC
196 DDCC
197 DCDB
198 ABBC
199 CDAB
200 ACCD
201 CBAA
202 BCAB
203 CDBB
204 DBCD
205 BADD
206 ACDA
207 CADC
208 ABDC
209 BBCD
210 BBBC
211 DACB
212 DCBA
213 DBAB
214 DBCA
215 CBBD
216 CDDC
217 ADBD
218 BBAD
219 BDAD
220 BBCC
221 CCBB
222 DACC
223 BBCA
224 ABDB
225 CBDD
226 BCDB
227 BDDC
228 CBDD
229 DCCA
230 DBAC
231 ABCB
232 DCCB
233 CDAC
234 ADAD
235 BACD
236 CDCA
237 AAAC
238 BBAA
239 CCAB
240 AABC
241 BBBA
242 ABCB
243 BABA
244 DAAD
245 CDBB
246 DDDD
247 DDDC
248 ACCB
249 CBDD
250 ADCD
251 DDCC
252 BCDC
253 DDCD
254 CDDA
255 CABC
256 DDCA
257 CAAD
258 DDCB
259 CBCD
260 DBDC
261 BCDC
262 ACBD
263 ACDC
264 CCAD
265 CCBD
266 DCCB
267 BDBD
268 DDBB
269 BBBA
270 CBBC
271 BCCB
272 BBCD
273 BDCB
274 CABA
275 ACBC
276 BBCD
277 BADC
278 DBCA
279 DBDB
280 CBAB
281 CBAB
282 ABBC
283 BDAC
284 CBCD
285 DBAD
286 BDAC
287 ACCC
288 BCDA
289 CACC
290 BCDD
291 ADBB
292 CBBA
293 DABB
294 DCCB
295 BBDA
296 CABC
297 BCAD
298 CCAD
299 DDDB
300 BBDC
301 ACBB
302 DCCD
303 DDCB
304 BCBA
305 CABD
306 CDDD
【０３０１】
このように上記の例示的な実施形態を説明したが、当業者が、以下に示される請求項の範囲や精神から逸脱することなくこの実施形態の様々な均等物、変更例、変形例、改良例が可能であることは明らかである。特に、別の実施形態において、本願にて開示されたものとは異なる特徴の組み合わせにしてもよい。よって、請求項は、上記の考察に限定されない。
【図１Ａ】
2013507199.tif 000004
【図１Ｂ】
2013507199.tif 000005
【図２Ａ】
2013507199.tif 000006
【図２Ｂ】
2013507199.tif 000007
【図３Ａ】
2013507199.tif 000008
【図３Ｂ】
2013507199.tif 000009
【図４Ａ】
2013507199.tif 000010
【図４Ｂ】
2013507199.tif 000011
【図４Ｃ】
2013507199.tif 000012
【図４Ｄ】
2013507199.tif 000013
【図５】
2013507199.tif 000014
【図６】
2013507199.tif 000015
【図７】
2013507199.tif 000016
【図８】
2013507199.tif 000017
【図９Ａ】
2013507199.tif 000018
【図９Ｂ】
2013507199.tif 000019
【図９Ｃ】
2013507199.tif 000020
【図１０Ａ】
2013507199.tif 000021
【図１０Ｂ】
2013507199.tif 000022
【図１０Ｃ】
2013507199.tif 000023
【図１０Ｄ】
2013507199.tif 000024
【図１０Ｅ】
2013507199.tif 000025
【図１１】
2013507199.tif 000026
【図１２Ａ】
2013507199.tif 000027
【図１２Ｂ】
2013507199.tif 000028
【図１２Ｃ】
2013507199.tif 000029
【図１２Ｄ】
2013507199.tif 000030
【図１３】
2013507199.tif 000031
【図１４】
2013507199.tif 000032
【図１５】
2013507199.tif 000033
【図１６Ａ】
2013507199.tif 000034
【図１６Ｂ】
2013507199.tif 000035
【図１７】
2013507199.tif 000036
【図１８】
2013507199.tif 000037
【手続補正書】
【提出日】平成24年6月13日(2012.6.13)
【手続補正１】
【補正対象書類名】明細書
【補正対象項目名】全文
【補正方法】変更
【補正の内容】
【発明の詳細な説明】
【技術分野】
【０００１】
関連出願の参照
本特許出願は、(i)2009年10月9日に出願された米国特許仮出願番号61/250,057、(ii)2010年1月24日に出願された米国特許仮出願番号61/297,814、(iii)2010年1月25日に出願された米国特許仮出願番号61/298,205、(iv)2010年1月26日に出願された米国特許仮出願番号61/298,398、(v)2010年7月25日に出願された米国特許仮出願番号61/367,447、(vi)2010年7月26日に出願された米国特許仮出願番号61/367,793、(vii)2010年10月11日に出願された英国特許番号1017114.8の利益を主張し、これらを参照することによりその全体が本願に組み込まれる。
本発明の実施形態は、ヘアブラシと、ヘアブラシの使い方と、ヘアブラシの製造方法に関連する。
【背景技術】
【０００２】
以下の発行された特許、及び公開特許公報は、潜在的に関連した背景資料を提供し、すべては参照することによりその全体が本願に組み込まれる。英国特許番号2,447,692、米国特許公開公報2005/055788、国際出願PCT/GB2008/000580、米国特許公開公報2005/210614、米国特許4,161,050欧州特許1,757,201、英国特許番号1,469,552、米国特許4,121,314、欧州特許1,078,585、ベルギー特許1007329、特許公開公報2003033226、欧州特許0904711、特許公開公報2003033226、米国特許216,408、米国意匠特許D166,124、米国意匠特許D166,086、米国意匠特許D168,916、米国意匠特許D168,917、米国意匠特許D169,131、米国特許6,226,811、米国特許公開公報2002/0004964、米国意匠特許D543,705、米国特許3,949,765、米国特許4,475,563、米国特許4,694,525、米国特許5,755,242、米国特許6,308,717、WO88/000446、米国特許4,500,939、米国特許2,889,567、米国特許2,607,064、米国特許4,287,898、及び米国特許公開公報2005/0210614。
【発明の概要】
【０００３】
本発明の実施形態は、人間又は動物の毛髪をほぐすヘアブラシに関連しており、このヘアブラシは、少なくとも100本の毛、又は少なくとも150本の毛、又は少なくとも200本の毛、又は少なくとも250本の毛を有する植毛領域を有しており、毛の高さは様々である。例えば、少なくとも5つの高さがあり、有意に互いに異なっている。植毛領域内の毛の高さ/長さは、(i)実質的に不規則にばらついており、(ii)毛保持面における毛の位置に対して実質的に独立している。
【０００４】
オプションとして、ある実施形態では、毛は均一な幅ではないことが好ましい。むしろ、毛の幅のばらつき(例えば、有意に互いに異なる3つ以上の異なる毛幅)が植毛領域にある。代わりに、又は、さらに追加して、その毛が様々な柔軟性の材料から作られてもよい。オプションとして、ある実施形態では、長い/丈のある毛は、平均して、丈のない毛よりも太く、及び/又は長い/丈のある毛は、丈のない毛よりも柔軟性のない材料で作られていることが好ましい。
【０００５】
本願にて開示される様々な特徴に基づく新規のヘアブラシは、従来の「対照基準(control)」ヘアブラシに照らして構成されまた試験された。特に、頭部の半分(すなわち、左半分又は右半分)の毛髪を新規のブラシを用いてほぐし、頭部の他の半分の毛髪は、対照基準ブラシを用いてほぐした。毛髪がほぐされる間、毛髪はユーザーの頭部から抜けた、又は引き抜かれた。従来の対照基準ブラシを用いて(すなわち、同等の大きさの毛髪の範囲をほぐすときに)抜けた毛髪は個別に集められて、抜けた毛髪の量が計測されて比較された。
【０００６】
ここで開示される特性を有する新規のヘアブラシは、人間の毛髪(濡れた毛髪、及び/又はコンディショナーで適切にいたわっていなかった毛髪であっても)を、驚くほど痛みのない方法で、及び/又は従来のヘアブラシを用いたときよりも驚くほど変化して著しく少ない痛みで、ほぐすことができることがわかった。さらに、新規のブラシを用いてほぐしたときに抜けた毛髪の量は、対照基準ブラシを用いてほぐしたとき(すなわち、再度述べると、同等の大きさの毛髪の範囲をほぐすとき)に抜けた毛髪の量よりも著しく少ないことがわかった。
【０００７】
これらのテスト/試験の間、ユーザーの実際の毛髪が、実際にほぐされていたことは注目すべきことである。つまり、ブラシのうちのいずれか一方が、ほぐすことなく、又は毛髪の一番外側の層だけをほぐすだけで、単に「ユーザーの毛髪をマッサージした」というような状況ではなかったということだ。
【０００８】
理論で制限されることは意図しないが、哺乳類の毛の1本1本は、均一の長さでもなく均一の太さでもないことは注目すべきことである。逆に、1人の人の頭部において(又は1匹の動物の胴体において)ある毛髪の1本1本は長く、別の毛髪の1本1本は短く、また、ある毛髪の1本1本は太くであり、別の毛髪の1本1本は細い。さらに、この毛髪の長さ、及び/又は毛髪の太さにおける空間的なばらつきは、いかなる識別可能な空間パターンにも従わない傾向にある。逆に、多くの人間の被験者又は動物の被験物においては、このばらつきは、おおよそ又は完全に不規則な/確率的なものであることが多い。
【０００９】
これら不規則な特性の少なくともいくつかを有するヘアブラシ(すなわち毛の長さ、及び/又は毛の太さ、及び/又は毛材の柔軟性が実質的に不規則にばらついている植毛領域を有するヘアブラシ)を用いることで、痛みを軽減した方法にて毛髪をほぐすことが可能になる。理論で制限されることは意図しないが、ここで見られる、痛みを軽減して毛髪をほぐすこと、及び/又は低減された抜け毛の量は、少なくとも部分的には、ヘアブラシの確率的な特性と、人間/哺乳類の毛髪の確率的な特性との機械的な「適合性」がある程度は存在するという事実によって引き起こされると仮定でき、結果、著しく軽減された痛み、及び/又はかなり少ない抜け毛量をなし得る毛髪をほぐす技術を提供できる。
【００１０】
毛の高さが実質的に不規則にばらつき、位置から実質的に独立してするような「植毛領域」でのそれぞれの毛は、独立して植設されていることは注目すべきことである。すなわちそれぞれの毛は、ヘアブラシの表面状で互いに離されて又は個々に植設されている。これら個々に植設された毛は、毛束、又は毛の房と対照をなしている。
【００１１】
本開示においては、毛の高さ、及び長さは、同意語として用いられる。
【００１２】
本開示においては、毛幅、及び毛の太さ同意語として用いられて、特徴的な幅寸法と呼ばれる。毛の断面が円状(すなわち実質的に円筒状の毛)を有する限定されない場合において、この幅は、円の直径である。
【００１３】
本開示においては、植毛領域の毛の高さ/長さが「毛保持面における毛の位置からは実質的に独立して実質的に不規則にばらつく」場合、(i)複数本の毛を一緒にして集団又は「領域」と見なすことができ、(ii)植毛領域の毛において視覚的に識別できる毛の長さ/高さのパターン(すなわち、不規則性以外のパターン)は存在しない。
【００１４】
毛保持面と、前記毛保持面に個々に植設された少なくとも100本の毛を有する植毛領域とを有しており、毛の高さは、実質的に不規則に互いに異なり、かつ前記毛保持面における毛の位置から実質的に独立するヘアブラシでが開示される。前記植毛領域は、(i)少なくとも5つの高さが有意に互いに異なる高さ特性、(ii)それぞれの毛が少なくとも0.5mmの幅を有する幅特性、及び(iii)毛の少なくとも60％が丸い端部を有する毛端部特性とを有する。
【００１５】
毛保持面と、前記毛保持面に個々に植設された少なくとも100本の毛を有する植毛領域とを有しており、前記植毛領域の毛の端部にて規定される先端部面は、ふぞろいにかつ実質的に不規則に形成されるヘアブラシである。前記植毛領域は、(i)少なくとも5つの高さが有意に互いに異なる高さ特性と、(ii)前記毛のそれぞれが少なくとも0.5mmの幅を有する幅特性と、(iii)前記毛のうち少なくとも60％が丸い端部を有する毛端部特性と、を有するヘアブラシ。
【００１６】
毛保持面と前記毛保持に個々に植設された少なくとも100本の毛を有する植毛領域とを有するヘアブラシであって、前記植毛領域の平均高さはHEIGHT＿AVGとして定義され、前記植毛領域の高さ標準偏差はHEIGHT＿SDとして定義されている。植毛領域が高さ特性、幅特性、及び毛端部特性を有しており、(i)前記幅特性に基づき、前記毛のそれぞれが少なくとも0.5mmの幅を有し、(ii)前記毛端部特性に基づき、前記領域内の毛のうち少なくとも60％が丸い端部を有し、(iii)前記高さ特性に基づいて、A)前記植毛領域が有意に互いに異なる少なくとも5つの高さを有しており、B)前記植毛領域は、前記植毛領域の合計の毛の本数のうち少なくとも10％である本数を有する少なくとも1つの高さ外れ値部分(HOS)を有しており、前記高さ外れ値部分HOSは、C)高さがHEIGHT＿AVGとHEIGHT＿SDとの合計を上回る毛からなる非常に丈のある毛(VTB)の部分と、D)高さがHEIGHT＿AVGとHEIGHT＿SDとの差異を下回る毛からなる非常に丈のない毛(VSB)の部分からなる群から選択されており、植毛領域全体への植設と少なくとも1つの高さ外れ値部分HOSへの植設との対比ができるように、かつ、前記植毛領域の毛全体が実質的に一定の密度にて前記毛保持面における特定区域SAに植設される一方で、前記高さ外れ値部分HOSの毛が前記特定区域SA内のふぞろいで非周期的な位置に散在するように、前記植毛領域の毛は前記毛保持面に個々に植設されるヘアブラシ。
【００１７】
ある実施形態では、i)前記植毛領域はさらに、毛幅標準偏差と毛幅平均との比率が少なくとも0.07となり、平均して、前記領域内の丈のある毛が丈のない毛よりも太くなるように前記植毛領域の毛に対して、毛の高さと毛の太さとの正相関がある幅のばらつき特性を有しており、ii)前記植毛領域の毛はそれぞれが、毛保持面の対応する局所平面に対して実質的に垂直に植設されるヘアブラシ。
【００１８】
ある実施形態では、植毛領域の毛は実質的に一定の密度で毛保持面に植設される。
【００１９】
ある実施形態では、植毛領域の高さの範囲は実質的に約3.5mm〜約16mmである。
【００２０】
ある実施形態では、前記植毛領域の毛は、実質的に、少なくとも4本の毛/cm2である一定の密度で毛保持面に植設される。
【００２１】
ある実施形態では、植毛領域の高さの範囲は、実質的に約3.5mm〜約16mmである。
【００２２】
ある実施形態では前記植毛領域はさらに、毛幅標準偏差と毛幅平均との比率が少なくとも0.07であり、前記植毛領域の毛に対して毛の高さと毛の太さとの正相関があり、平均して、前記植毛領域内の丈のある毛が丈のない毛よりも太くなるような幅のばらつき特性を有する。
【００２３】
ある実施形態では、前記植毛領域の毛がそれぞれ前記毛保持面における対応する局所平面に対して実質的に垂直に植設される。
【００２４】
ある実施形態では、植毛領域の毛が実質的に少なくとも4本の毛/cm2である一定の密度で植設される。
【００２５】
ある実施形態では、植毛領域の高さの範囲は、実質的に約3.5mm〜約16mmである。
【００２６】
ある実施形態では、高さ標準偏差と平均高さとの比率は、少なくとも0.075である。
ある実施形態では、その領域において平均の毛の太さは0.85mmを上回る。
【００２７】
ある実施形態では、その領域の毛の平均高さは、少なくとも約8.5mmである。
【００２８】
ある実施形態では、前記植毛領域の毛は多くとも12本の毛/cm2である密度にて植設される。
【００２９】
ある実施形態では、植毛領域の毛の平均高さは、多くとも約12mmである。
【００３０】
ある実施形態では、植毛領域の毛の平均高さは8mm〜14mmである。
【００３１】
ある実施形態では、前記植毛領域が特定区域内に設けられており、i)前記毛のうち少なくとも80％が一定の格子上に実質的に存在し、ii)前記領域の毛のうち少なくとも2％が前記格子から離れた位置に存在する。
【００３２】
ある実施形態では、毛が実質的に互いに平行になるように領域の毛が植設される。
【００３３】
ある実施形態では、i)前記植毛領域の平均高さはHEIGHT＿AVGとして定義され、前記植毛領域の高さ標準偏差はHEIGHT＿SDとして定義され、ii)前記植毛領域は、毛の高さがHEIGHT＿AVGとHEIGHT＿SDとの差異を下回る非常に丈のない毛(VSB)である毛部分を含み、iii)前記毛の非常に丈のない毛(VSB)である毛部分の毛の大部分が少なくとも5mmである高さ、及び/又は少なくとも0.33*HEIGHT＿AVGである高さを有する。
【００３４】
ある実施形態では、植毛領域の毛のうち少なくとも10％が5mm〜9mmの高さを有しており、毛のうち少なくとも25％が9mm〜13mmの高さを有しており、毛のうち少なくとも10％が13mm〜18mmの高さを有している。
【００３５】
ある実施形態では、i)前記植毛領域のそれぞれの毛bは、最近接毛間距離と関連づけられており、前記最近接毛間距離は、毛bと、前記植毛領域の他のどの毛よりも前記毛bの近くに位置する前記植毛領域の別の毛bCLOSESTとの最短距離d CLOSEST (b)（=距離(b、bCLOSEST))）を示しており、これによって、前記植毛領域のそれぞれの毛bと前記最短距離d CLOSEST (b)との1対1のマッピングを確立して数字のセット(前記植毛領域の前記最短距離d CLOSEST (b)から構成されるCLOSEST＿BRISTLE＿DISTANCE)を形成し、ii)数字のセットCLOSEST＿BRISTLE＿DISTANCEの標準偏差と数字のセットCLOSEST＿BRISTLE＿DISTANCEの平均値とのSD/AVGの比率は、多くとも0.25である
【００３６】
ある実施形態ではSD/AVGの比率は多くとも0.2、及び/又は少なくとも0.075であり、及び/又はSD/AVGの比率は少なくとも0.1である。
【００３７】
ある実施形態ではi)前記植毛領域のそれぞれの毛bは、最近接毛間距離と関連づけられており、前記最近接毛間距離は、毛bと、前記植毛領域の他のどの毛よりも前記毛bの近くに位置する前記植毛領域の別の毛bCLOSESTとの個別の最短距離d CLOSEST (b)（=距離(b、bCLOSEST)）を示し、これによって、植毛領域のそれぞれの毛bと最短距離d CLOSEST (b)との1対1のマッピングを確立して数字のセット(前記植毛領域の前記最短距離d CLOSEST (b)からなるCLOSEST＿BRISTLE＿DISTANCE)を形成して、ii)濃度がCLOSEST＿BRISTLE＿DISTANCEの濃度の50％〜95％であるCLOSEST＿BRISTLE＿DISTANCEの第1部分の値は、すべて代表的な最短距離値RCDVに多くとも10％の許容誤差内で同等であり、iii)濃度が少なくともCLOSEST＿BRISTLE＿DISTANCEの濃度の少なくとも10％であるCLOSEST＿BRISTLE＿DISTANCEの第2部分の値は、前記代表値RCDVからすべて少なくとも15％逸脱した最短距離値と関連づけられている。
ある実施形態では、毛はプラスチックにて構成される。
【００３８】
ある実施形態では、i)前記植毛領域は、前記毛保持表面の特定区域SA内に設けられた内側植毛領域であり、ii)ヘアブラシはさらに、前記特定区域SAの毛の外側で、前記特定区域の外周上に実質的に前記特定区域SAを囲むようにして設けられた外側植毛領域を有しており、iii)前記外側植毛領域は、A)前記内側領域の本数の少なくとも15％である毛の本数と、B)前記内側領域の毛の平均高さの多くとも30％である毛の平均高さと、の特性を有する。
【００３９】
ある実施形態では、植毛領域の毛のうち少なくとも80％は、少なくとも6mmの高さであり、多くとも18mmの高さを有する。
【００４０】
ある実施形態では、i)前記特定区域内に植設された毛の大部分は、実質的に規則的な格子上に配された位置に設けられ、ii)前記毛のうち少なくとも2％の少数部分は、前記規則的な格子にて規定される位置から離れている格子外位置に設けられる。
【００４１】
ある実施形態では、植毛領域の毛のうち少なくとも80％、又は少なくとも90％の高さは少なくとも6mmである。
【００４２】
ある実施形態では、領域の毛のうち少なくとも80％、又は少なくとも90％の高さは多くとも20mmである。
【００４３】
ある実施形態では、高さ標準偏差と平均高さとの比率は、少なくとも0.075である。
【００４４】
ある実施形態では、内側領域の毛の少なくとも80％、又は90％の太さは、少なくとも0.7mm、又は少なくとも0.8mm、又は少なくとも0.85mmである。
【００４５】
ある実施形態では、内側領域の毛の少なくとも70％、又は少なくとも80％、又は少なくとも90％、又は少なくとも95％の太さは、少なくとも0.75mm、及び/又は多くとも2.5mmである。
【００４６】
ある実施形態は、「パドル(paddle)」形状係数を有するヘアブラシ、及び/又は比較的平らなヘアブラシに関連する。ある実施形態は、「ファン型」のヘアブラシ、又は円筒形状のヘアブラシに関連する。ある実施形態は、人間用のヘアブラシに典型的な形状係数を有するヘアブラシに関連する。その他の実施形態は、ペット用ヘアブラシに典型的な形状係数を有するヘアブラシに関連する。
【００４７】
毛保持面と、前記毛保持面に植設された少なくとも100本の毛を有する植毛領域とを有し、前記毛の幅は、実質的に不規則にばらつき、前記毛保持面における前記毛の位置からは実質的に独立しているヘアブラシである。前記植毛領域は、(i)少なくとも5つの高さが有意に互いに異なる高さ特性と、(ii)毛幅標準偏差と毛幅平均との比率が少なくとも0.07である幅のばらつき特性と、(iii)前記植毛領域の毛のうち少なくとも80％が少なくとも0.5mmの幅を有する幅特性と、(iv)前記毛のうち少なくとも60％が丸い端部を有する毛端部特性とを有する。
【００４８】
ある実施形態では、植毛領域の毛において、平均して、前記領域の丈のある毛が丈のない毛よりも太くなるような毛の高さと毛の太さとに正相関がある。
【００４９】
ある実施形態では、植毛領域の毛が、それぞれ前記毛保持面の対応する局所平面に対して実質的に垂直に植設される。
【００５０】
ある実施形態では、植毛領域の毛が、それぞれ前記毛保持面の対応する局所平面に対して実質的に垂直に植設される。
【００５１】
ある実施形態では、毛のうち少なくとも80％は5mm〜20mmの高さである。
【００５２】
ある実施形態では、高さ標準偏差と植毛領域の平均高さとの間の比率は、少なくとも0.075である。
ある実施形態では、領域の平均の毛の太さは、0.85mmを超えている。
【００５３】
ある実施形態では、領域の毛のうち少なくとも80％は1mm〜2mmの太さを有している。
【００５４】
ある実施形態では、毛幅標準偏差と毛幅平均との比率は、少なくとも0.12である。
【００５５】
ある実施形態では、植毛領域の毛の大部分にとって、毛の長さと毛幅との比率は、少なくとも5で、多くとも10である。
【００５６】
毛保持面と、前記毛保持面に個々に植設された少なくとも100本の毛を有する植毛領域とを有し、前記毛の高さが実質的に不規則にばらつき、前記毛保持面における毛の位置からは実質的に独立しているヘアブラシである。植毛領域は、(i)少なくとも5つの高さが有意に互いに異なる高さ特性と、(ii)前記植毛領域の毛のうち少なくとも80％は、少なくとも0.5mmの幅を有する幅特性と、(iii)前記毛のうち少なくとも60％が丸い端部を有する毛端部特性と有する特性を有する。
【００５７】
毛保持面と、前記毛保持面に個々に植設された少なくとも100本の毛を有する植毛領域とを有しており、前記植毛領域の毛の端部にて規定される先端部面は、ふぞろいで実質的に不規則な形状であるヘアブラシである。前記植毛領域は、(i)少なくとも5つの高さが有意に互いに異なる高さ特性と、(ii)前記植毛領域の毛のうち少なくとも80％は少なくとも0.5mmの幅を有する幅特性と、(iii)前記毛の少なくとも60％が丸い端部を有する毛端部特性との特性を有する。
【００５８】
毛保持面と、前記毛保持に個々に植設された少なくとも100本の毛を有する植毛領域とを有しており、前記植毛領域の平均高さはHEIGHT＿AVGとして定義され、前記植毛領域の高さ標準偏差はHEIGHT＿SDとして定義されるヘアブラシである。前記植毛領域は、高さ特性、幅特性、及び毛端部特性を有しており、(i)前記幅特性に基づき、前記領域の毛のうち少なくとも80％は、少なくとも0.5mmの幅を有しており、(ii)前記毛端部特性に基づき、前記領域内の毛のうち少なくとも60％が丸い端部を有しており、(iii)前記高さ特性に基づき、A)前記植毛領域は、有意に互いに異なる少なくとも5つの高さを有しており、B)前記植毛領域は、前記植毛領域の合計の毛の本数の少なくとも10％である本数を有する少なくとも1つの高さ外れ値部分(HOS)を含み、前記高さ外れ値部分HOSは、C)毛の高さがHEIGHT＿AVGとHEIGHT＿SDとの合計を上回る非常に丈のある毛(VTB)の毛部分と、D)毛の高さがHEIGHT＿AVGとHEIGHT＿SDとの差異を下回る非常に丈のない毛(VSB)の毛部分からなる群から選択されて、前記植毛領域全体への植設と少なくとも1つの高さ外れ値部分HOSへの植設との対比があるように、また、前記植毛領域の毛全体は実質的に一定の密度で前記毛保持面における特定区域SA内に植設される一方、前記高さ外れ値部分HOSの毛は、前記特定区域SA内のふぞろいで非周期的な位置に植設されるように、前記植毛領域の毛が前記毛保持面に個々に植設される。
【００５９】
ある実施形態では、毛は、毛保持面に個々に植設されている。
【００６０】
毛保持面と、前記毛保持面に植設された少なくとも100本の毛を有する植毛領域とを有しており、前記毛は、別々の柔軟性を有する様々な材料にて構成され、それぞれの毛は対応する材料にて構成され、それぞれの毛の毛材の柔軟性は実質的に不規則にばらついており、前記毛保持面における毛の位置からは実質的に独立しているヘアブラシである。前記植毛領域は、(i)前記毛のうち少なくとも70％は、5mm〜25mmの高さを有し、(ii)前記植毛領域の高さ標準偏差と平均高さとの比率は、少なくとも0.075であり、(iii)別々の毛の毛材の柔軟性のばらつきは、毛幅標準偏差と毛幅平均との比率が少なくとも0.07である場合に取得できる前記領域の平均高さである固定高さに対する毛の柔軟性のばらつきと同等であり、(iv)前記植毛領域の毛のうち少なくとも80％は、少なくとも0.5mmの幅である幅特性と、(v)前記毛のうち少なくとも60％が丸い端部を有する毛端部特性とを有する。
【００６１】
ある実施形態では、毛のうち少なくとも90％は、5mm〜25mmである高さを有する。
【００６２】
ある実施形態では、植毛領域の高さ標準偏差と平均高さとは少なくとも0.12である。
【００６３】
ある実施形態では、別々の毛内の毛材の柔軟性のばらつきは、毛幅標準偏差と毛幅平均との比率が少なくとも0.07である場合に取得できる前記領域の平均高さである固定高さに対する毛の柔軟性のばらつきと同等である。
【００６４】
ある実施形態では、少なくとも、毛保持表面の毛で覆われた部分の少なくとも50％である被覆部の大部分は、1つ以上の不規則な又は準不規則な高さ特性、不規則な又は準不規則な幅特性、及び不規則な又は準不規則な材料の柔軟性特性とを有する植毛領域にて覆われている。
【００６５】
ある実施形態では、被覆部の大部分は、少なくとも60％、少なくとも70％、少なくとも90％、及び少なくとも95％から選択された大きさでの実質的に大部分である。
【図面の簡単な説明】
【００６６】
【図１Ａ】図1Aは、ある実施形態に係わる例示的なヘアブラシを示す。
【図１Ｂ】図1Bは、ある実施形態に係わる例示的なヘアブラシを示す。
【図２Ａ】図2Aは、ある実施形態に係わる例示的なヘアブラシを示す。
【図２Ｂ】図2Bは、ある実施形態に係わる例示的なヘアブラシを示す。
【００６７】
【図３Ａ】図3Aは、ある実施形態における一対の毛の間の距離を示す。
【図３Ｂ】図3Bは、ある実施形態における一対の毛の間の距離を示す。
【００６８】
【図４Ａ】図4Aは、ある実施形態における図1A〜2Bのヘアブラシの様々な毛の位置を示す。
【図４Ｂ】図4Bは、ある実施形態における図1A〜2Bのヘアブラシの様々な毛の位置を示す。
【図４Ｃ】図4Cは、ある実施形態における図1A〜2Bのヘアブラシの様々な毛の位置を示す。
【図４Ｄ】図4Dは、ある実施形態における図1A〜2Bのヘアブラシの様々な毛の位置を示す。
【００６９】
【図５】図5は、高さヒストグラムである。
【００７０】
【図６】図6は、毛の太さ特性を示す。
【００７１】
【図７】図7は、最短毛間距離に関連したヒストグラムである。
【００７２】
【図８】図8は、ある実施形態におけるグリッド点を示す。
【００７３】
【図９Ａ】図9Aは、ある実施形態におけるファンブラシである。
【図９Ｂ】図9Bは、ある実施形態におけるファンブラシである。
【図９Ｃ】図9Cは、ある実施形態におけるファンブラシである。
【００７４】
【図１０Ａ】図10Aは毛の位置を示す。
【図１０Ｂ】図10Bは毛の位置を示す。
【図１０Ｃ】図10Cは毛の位置を示す。
【図１０Ｄ】図10Dは毛の位置を示す。
【図１０Ｅ】図10Eは毛の位置を示す。
【図１１】図11は、高さヒストグラムである。
【図１２Ａ】図12Aは、最短毛間距離に関連したヒストグラムである。
【図１２Ｂ】図12Bは、最短毛間距離に関連したヒストグラムである。
【図１２Ｃ】図12Cは、最短毛間距離に関連したヒストグラムである。
【図１２Ｄ】図12Dは、最短毛間距離に関連したヒストグラムである。
【図１３】図13は、毛の位置を示す。
【００７５】
【図１４】図14は、ヘアブラシの試験結果を示す。
【００７６】
【図１５】図15は、ある実施形態における実質的に共線性の毛のコンセプトを示す。
【発明を実施するための形態】
【００７７】
下記の請求項は、図面を参照して、例示した実施形態の本詳細な説明を参照することで、よりよく理解することができる。説明、実施形態、図面は、請求項の範囲を限定するものではない。今回開示する方法、及び装置のすべての特徴が、すべての実施に必要というわけではないことを理解する必要がある。また、工程又は方法が示される又は説明される今回の開示部分において、1つのステップが、最初に実行した別のステップに依存することが文脈から明らかではない場合、方法におけるそのステップはどの順序にて実行してもよく、又は同時に実行してもよいことを理解する必要がある。本願にて使われるとおり、「してもよい」の語句は、強制的な意味合い(すなわち「しなければならない」を意味する)よりは、許容的な意味合い(すなわち、「能力があること」を意味する)にて使われている。
【００７８】
明確にするために、他の実施形態の文脈にて説明される発明の特定の特徴は、1つの実施形態にて組み合わせて提供されてもよいことが理解できる。逆に、簡素化するために、1つの実施形態の文脈にて説明される発明の様々な特徴は、独立して又は適切な部分的な組み合わせ(sub-combination)により提供されてもよい。
【００７９】
毛の端部にて規定された「毛端部」の表面が、平らではない非周期性の特性(例えば、準不規則な又は不規則な特性)を有するヘアブラシを用いて、比較的「痛みが軽減された」又は「痛みのない」方法にて毛髪をほぐすことができる。本発明者の管理の下で実施されたテストでは、「痛みが軽減された」又は「痛みのない」ヘアブラシ(すなわち、本願にて開示される特徴に基づき構成されたものやその特徴の組み合わせにて構成されたもの)を使用することで、濡れた毛髪、及び/又はコンディショナーで適切にいたわっていなかった濡れた毛髪であっても、人間又は動物の毛(例えば、長い毛髪)をほぐすのに必要な時間の量を著しく減らすことや毛髪をほぐすことに関わる痛みの度合いを著しく減らすことが発見された。
【００８０】
図1A〜2Bは、そのような新規の「痛みを軽減してほぐす」ヘアブラシの限定することのない一例の図である。
【００８１】
特定の理論で制限されることは意図しないが、平均の毛髪長さは、頭部全体で、又は頭部のある範囲にて同一かもしれないという事実はあるにせよ、人間の毛髪の長さは一般に等しくなく、一般に、不規則な又は準不規則な感じでばらつくことは注目すべきことである。本発明者は、毛髪の長さ、及び/又は毛髪の太さの不規則な又は準不規則なばらつきに、少なくとも部分的に、ならった様式にて、ヘアブラシの毛保持面上で毛の長さ、及び/又は太さ、及び/又は材料の柔軟性を実質的に不規則に変化させることで、比較的痛みが軽減されて、及び/又は痛みなく毛髪をほぐすことが可能であると仮定した。
【００８２】
このように、この論理に基づいて、ヘアブラシ、及び特に先端部により規定される「毛端部」表面の形状が特定の度合いの無秩序又はエントロピーを有しているため、ほぐす対象の毛髪と「適合性」がある。さらに、この毛の形状・寸法(毛の長さが一定である状況、又はいくらか「秩序だった」感じでばらつくという状況とは逆である形状・寸法)が、毛髪をほぐすのに関連した応力又は引張力を分散させるのに役に立つと思われ、結果、あらゆる1つの位置における応力の量を減らしている。
【００８３】
文字、及び図面にわたり、多くのありうる特徴が開示されている。(i)すべての実施形態において、すべての特徴が必要なわけではないこと、及び(ii)特徴のいかなる組み合わせ(すなわち、全部の特徴、又は本文書に明示的に掲載されていない組み合わせも含む特徴のいかなる部分)が、特定の実施形態にて提供されうることは理解されるべきであろう。
【００８４】
図1A〜2Bは、本発明のある実施形態に係わるヘアブラシを示す。ヘアブラシ500は、ブラシ胴体部510と、ブラシ胴体部510の毛保持面530の範囲540に植設された毛とを有している。さらに、ブラシ胴体部は握り部520を有している。
【００８５】
範囲540の中心側部が560と示され、範囲540の「縁部」は570と示される。「内側植毛領域」は、この中心側部560内にあり、「外側植毛領域」は、縁部570内にある。
【００８６】
図2を参照する。図2は、毛の先端部によって規定された「毛の端部面」(破線・点線にて示す)を示す。「毛の端部面」550は、毛以外のいかなる追加材料をも必要とせずに存在し、むしろ、この面は、毛の先端部を補間して形成された表面を示している。
【００８７】
毛保持面530の中心側部560にあるこの毛の端部面550の1つの目立った特徴は、毛の端部面550が、いかなる識別可能な周期性をも実質的に持たず、また明らかに識別可能な確率的な/不規則な特性を有する、ふぞろいな形状にされていることである。
【００８８】
理論で制限されることは意図しないが、毛髪の端部、及び/又は頭骨の表面から「一番高い」毛髪の1本1本の部分によって規定される「毛髪表面」は、毛髪自体に規定されてもよいと思われる。この「毛髪表面」(図示しない)も、特に毛髪をほぐすときに、特定のレベルの準不規則性又は不規則性又は無秩序又はエントロピーを有している。先端部面550は、(「毛髪表面」と同様の)これら非周期性の/準不規則な/不規則な特性を有するため、このことによりブラシの毛が毛髪表面に引張力又は応力を誘因せずに入り込むことができると仮定できる。
【００８９】
図1B、及び2Aにみられるように、毛保持表面の縁部付近の範囲570においては、毛が中心側範囲560の毛に比べかなり短い。このオプションの「外側植毛領域」(毛を中心側範囲560に有する内側植毛領域とは対照的)のおかげで、ある実施形態では、内側領域の毛がユーザーの毛髪に比較的「なめらかに」入り込むことができる。例えば、多くのユーザーは、縁部付近のヘアブラシの外側の範囲570がブラシの内側の範囲560より先に毛髪にぶつかるように/接触するようにブラシを動かして、毛髪にブラシをかける。この場合、最初に、外側の範囲の丈のない毛が、最初に毛髪にまず接触し、(例えば、毛髪をほぐすための)より「積極的な」長い毛が直後に接触する。
【００９０】
図1A〜2Bのヘアブラシの1つの目立った特徴は、ヘアブラシの「毛が植設された」又は「毛で覆われた」部分の大部分(図1A〜2Bの例においては、これは、範囲560と範囲570に相当する)は、ある種の不規則なパターンがこの「大部分」において支配的であるように構成されている。すなわち、ある種の不規則なパターンとは、実質的に不規則な高さパターン、及び/又は実質的に不規則な幅パターン、及び/又は実質的に毛材の柔軟性パターンのことである。図1Bの場合、外側領域570の区域が内側領域560の区域よりもかなり少ないため、この状態が実質的に大部分である。図9A〜9Cの場合、これが実質的に全体の区域である。他の実施形態において、「大部分」は、少なくとも60％、又は少なくとも70％、又は少なくとも80％、又は少なくとも90％、又は少なくとも95％、又は実質的に100％である実質的に大部分のことであってもよい。
【００９１】
材料の柔軟性の多様性については、毛は、様々な柔軟性を有する材料によって構成される。例えば、ある毛は、1つのタイプの材料(例えば、1つのタイプのプラスチック)にて構成される。他の毛は、別の柔軟性を有する別のタイプの材料(例えば、別のタイプのプラスチック)により構成される。また、さらに他の毛は、さらに別の柔軟性を有する別のタイプの材料(例えば、別のタイプのプラスチック)により構成される。このように、少なくとも2つ、又は少なくとも3つ、又は少なくとも4つ、又は少なくとも5つ、又はどんな数の毛材をも使うことができる。
【００９２】
本開示において、「内側植毛領域」の語は、ヘアブラシの表面に共に設けられている他の植毛領域の有無にかかわらず、どのような植毛領域をも示すことができる。このように、不規則な高さ特性を有する植毛領域は、他の毛とともに設けられるかもしれないし、設けられないかもしれない。
【００９３】
図1A〜2Bのヘアブラシは、単に説明を意図したものであり、限定されることは意図していない。しかしながら、ある実施形態では、特定のヘアブラシが、図1A〜2Bのヘアブラシの1つ以上の(毛の長さ特性を示す特徴、及び/又は毛の幅特性を示す特徴、及び/又は毛の位置、及び毛の長さ、及び/又は幅の関係を示す特徴を非限定的に含む)共通の特徴を有してもよいと理解できる。
【００９４】
以下は、図1A〜2Bの非限定例に関連するいくつかの物理的パラメーターの省略したリストを示す。リストは、中心範囲の植毛領域(「内側植毛領域」と呼ばれる)に特に関連している。定義のセクションの後に、他のリストが示される。特徴のいかなる組み合わせも提供しうると理解できる。
(i)毛の本数  図1A〜2Bの例において、内側植毛領域は、約300本の毛を有している。他の実施形態において、内側植毛領域(又は「不規則な高さ特性、及び/又は不規則な幅特性、及び/又は不規則な材料の特性を有する領域」)は、少なくとも50本の毛、又は少なくとも100本の毛、又は少なくとも150本の毛、又は少なくとも200本の毛、又は少なくとも250本の毛を有している。好ましくは、これらの毛のそれぞれが、少なくとも0.5mmの太さ(又は、実施形態によっては、少なくとも0.75mmの太さ、又は少なくとも0.85mmの太さ、又は少なくとも1mmの太さ)を有しており、及び/又は、これらの毛のそれぞれが、少なくとも5mmの高さ(又は、実施形態によっては、少なくとも4mmの高さ、又は少なくとも6mmの高さ、又は少なくとも7mmの高さ)を有している。
【００９５】
(ii)毛の高さ  内側領域の毛(又は、「不規則な高さ特性、及び/又は不規則な幅特性、及び/又は不規則な材料の特性を有する領域」)は、毛の高さの多様性があり、有意に互いに異なる様々な高さの毛(すなわち少なくとも5、又は少なくとも8、又は少なくとも10、又は少なくとも12種類の高さの毛)が植設されていてもよい。ある実施形態では、実質的に不規則にばらついた高さである植毛領域の平均の毛の高さ(例えば、区域560における「内側領域」)は、1cmのオーダー(order of magnitude)であろう。例えば、7mm〜18mm、例えば、8.5mm〜15mm、又は8mm〜14mmである。「毛の高さ」の特徴のさらなる考察は、図5、7、10A〜12Dを参照にして以下に示される。
【００９６】
以下に検討されるように、毛の高さに関連する様々な他の特性が提供される。例えば、「植毛領域」の毛に対する高さ分布機能(すなわち、不規則な高さ特性を有すること)に関連するものがある。図1〜2から(また、高さヒストグラムを示す図5から)明らかに読み取れるように、内側領域内の高さ(又は、「不規則な高さ特性、及び/又は不規則な幅特性、及び/又は不規則な材料の特性を有する領域内の高さ)は、決して均一ではない。むしろ、顕著で有意な高さの「値幅」が存在する。
【００９７】
(iii)毛の太さ  ある実施形態では、内側領域(又は、「不規則な高さ特性、及び/又は不規則な幅特性、及び/又は不規則な材料の特性を有する領域)の毛の太さは、約1.2mmのオーダーである。例えば、0.8mm〜2mmである。しかしながら、実際の毛の太さは、使用される毛材によって決まる。「毛の太さ」の特徴のさらなる考察が、図6を参考にして以下に示される。
【００９８】
(iv)毛の配向性  図面に見られるように、「内側領域」(又は「不規則な高さ特性、及び/又は不規則な幅特性、及び/又は不規則な材料の特性を有する領域」)の毛は、一般に「まっすぐに立っている」。すなわち、毛保持面530の局所平面に対して実質的に垂直に配向され、及び/又は実質的に毛の表面の局所法線と(例えば、30度、又は20度、又は10度の許容範囲内にて)共直線となる。
これは、毛保持面530のあらゆる形状/形の場合に対しても同じでありうる。例えば、平らな(図1A〜2Bに示されるように)、又は丸みを帯びた、又はさらには円筒状のファンブラシである。ある実施形態では、「不規則な高さ特性、及び/又は不規則な幅特性、及び/又は不規則な材料の特性を有する領域」の毛は実質的に互いに平行である(又は、局所的に互いに平行である)。
【００９９】
(v)毛の形状の特徴  図面に見られるように、毛は全部実質的に(湾曲したりねじれたりするというよりは)直線状である。それに加え、内側植毛領域560、及び/又は外側植毛領域570(又は「不規則な高さ、及び/又は不規則な幅、及び/又は不規則な材料の柔軟性特性を有するあらゆる領域)の毛が実質的に丸い端部を有してもよい。例えば、「領域」の毛の実質的に大部分とは、少なくとも60％、又は75％、又は85％、又は90％のことである。このことは、ブラシの毛が頭皮に接触する場合に、より快適な効果を生むのに役に立つかもしれない。
【０１００】
ある実施形態では、「内側領域」(又は、「特定区域」内のあらゆる領域)の毛のうち大部分、又は少なくとも60％、又は少なくとも70％、又は少なくとも80％、又は少なくとも90％である実質的に大部分が、実質的に直線状である。
【０１０１】
(vi)毛の密度  図面にて識別できるように、ブラシの中心部内では、毛の密度が、(完全に一定ではないが)実質的に一定になる傾向がある。「実質的に一定の毛の密度」に関連した実施形態では、「内側領域」内には(又は、「不規則な高さ特性、及び/又は不規則な幅特性、及び/又は不規則な材料の特性を有する領域」には)、かなり大きな毛の植設されていない範囲は存在しない傾向にあり、又は他の範囲と比べて毛が明らかに「過密である」範囲も存在しない傾向にある。
【０１０２】
(vii)材料/取り付け手段  毛は、プラスチック材料から構成され、ブラシの毛保持面に取り付けられてもよい。毛が毛保持面に「取り付けられる」又は「植設される」一例としては、毛が「毛保持表面」の「ブラシの表面」に接着され、又は針でとめられたり、又は固定されたりすることである。他の例においては、毛がブラシの表面に一体的に形成されてもよい。例えば、ブラシの表面、及び毛が、同一材料で構成されてもよい。ブッシュ(bush)表面と毛の形状に適合する特別な型を製造してもよい。この型の形状特性にて、毛を有するブッシュの「長さ特性」、又は「太さ特性」、又は「毛の密度特性」、又はあらゆる他の形状特性を決めてもよい。この「一体に形成された」ブラシは、毛が毛保持表面に「取り付けられた」又は「植設された」他の例である。
【０１０３】
(viii)均一な局所平均高さ  図2Bから明らかに識別可能な1つの特徴は、「内側の範囲」内にて、個々の毛の高さにおいてかなりのばらつきがある場合でも、それぞれの毛の局所平均高さはかなり小さな範囲でばらつくかもしれないということである。ある実施形態では、「不規則な高さ特性、及び/又は不規則な幅特性、及び/又は不規則な材料の特性を有する領域」の範囲において、近傍の有意な毛(すなわち、有意な高さを有する近傍毛。例えば、少なくとも30％)のうちそれぞれの毛の局所平均した高さは、毛の高さ自体と比べてかなり小さな範囲にてばらつく。このように、先端側の毛の表面550が、近傍(例えば、約7.5mmの半径を有する近傍、及び/又は50％、又は40％、又は30％、又は20％、又は10％の許容誤差内の平均の毛の高さに等しい半径を有する近傍)にてなめらかである場合、「近傍がなめらかな」先端側の毛の表面は、実質的に一定であることが確認できるかもしれない。
【０１０４】
定義
便利にするため、本明細書における説明の文脈においては、様々な語が用いられる。本願のこの又は別の箇所において、明示的に、又は暗示的に定義が提示される限り、そのような定義は、当業者により定義された語句の使用法と一致していると理解されるべきである。さらに、そのような定義はそのような使用法と一致した可能な限り広い意味で解釈されるべきである。
【０１０５】
本発明の実施形態は、毛の高さが「毛保持面における毛の位置からは実質的に独立して実質的に不規則にばらつく」ように毛がヘアブラシの表面に植設されている植毛領域に関連している。
【０１０６】
本開示においては、植毛領域の毛の高さ/長さが「毛保持面における毛の位置からは実質的に独立して実質的に不規則にばらつく」場合、(i)複数本の毛を一緒にして、1つの集団(coherent unit)又は「領域」と見なすことができる(ii)植毛領域の毛において、視覚的に識別できる毛の長さ/高さのパターン(すなわち、不規則性以外のパターン)は存在しない、(iii)このように、植毛領域の毛が「実質的に不規則な」高さパターンを有することが、視覚的に明らかである。
【０１０７】
前の段落で説明された「植毛領域」の毛の視認可能な「実質的に不規則な」高さパターンをあいまいにしたり打ち消したりしないさらなるオプションの物体又は特徴が提供されうると理解できる。一例においてヘアブラシの形状は、図1A〜2Bに示された平らな形状以外のものであってもよい。
【０１０８】
他の例においては、「植毛領域」に、それを超えて、少なくとも100本の毛、又は少なくとも150本の毛、又は少なくとも200本の毛、又は少なくとも250本の毛があってもよく、例えば、外側領域又は毛保持面上のそのほかのあらゆる位置に植設されてもよい。ある特定の例においては、追加の毛は「不規則な高さ特性」を有する内側領域の毛よりも実質的に長さの短い「丈のない」毛、又は「細い」毛であってもよく、又はあらゆる他の形状寸法を有していてもよい。しかしながら、実質的に不規則な高さ特性を有する実施形態において、これらさらなるオプションの物体又は特徴は、毛の視認可能な「実質的に不規則な」高さパターンをあいまいにしたり打ち消したりすることはない。
【０１０９】
このように、図1A〜2Bにおける縁部570の外側領域の毛は、「不規則な高さ特性」を有しているかもしれないし、有していないかもしれない。しかしながら、それらの毛の存在(又は、あらゆる位置のその他のあらゆる「追加の」毛の存在)は、「内側領域」にて識別可能な不規則な高さ特性をあいまいなものにしないことは明らかである。
【０１１０】
「実質的に不規則な」という語は、上述されたこれら可視のパターンが存在する限りは、高さパターン(又は、幅又は柔軟性パターン)が厳密に数学的に不規則なパターンである必要はないことを意味している。
【０１１１】
不規則な高さ、及び/又は不規則な幅、及び/又は不規則な材料の硬さ特徴を有する「植毛領域」(又は、他の毛の群(group)又は植毛領域)の物理的、及び/又は統計的特性が考察される場合、これは、「不規則な高さ特性」を有する植毛領域を言及するのみで、他の追加の毛を言及しないことは明らかである。そのような物理的、及び/又は統計的特性は、毛の密度、又は高さ、又は太さ、又は材料、又はあらゆる他の特性に関連しうる。図1A〜2Bの「植毛領域」ヘアブラシの特定の計測された物理的、及び/又は統計的特性について、様々な図面を参照にして考察する。
【０１１２】
本発明の実施形態は、識別可能な高さ、及び/又は太さ、及び/又は材料の柔軟性パターンを有する「植毛領域」の毛が「個々に植設された」場合に関連しており、房、又は複数本の毛、又は毛束として植設された場合には関連していない。むしろ、毛は毛保持面に個々に植設されている。すなわち、それぞれの毛が離されて毛保持面に植設されている。
【０１１３】
このように、図1A〜2Bに示されたように、毛、及び/又は毛の「ベース部/下部/基端部」は互いに離間され、従来技術での「毛束」又は「毛の房」として知られるような「一緒に束」にはなっていない。むしろ、それらはそれぞれが、図面に示されたように「個別に」植設されている。
【０１１４】
房又は束として植設されていない毛(むしろ、独立して植設されている毛)の他の目立った特徴は、毛が互いに平行になっていてもよいという事実である。ある実施形態では、母集団の毛の大部分又はほとんど(すなわち少なくとも70％、又は少なくとも80％、又は少なくとも90％)が、すべて「局所的に平行」である。すなわち、母集団のすべての近傍毛に平行である。例えば、毛の母集団のすべての毛が、1cmよりも近くにあり、又は0.5cmよりも近くにある。このように、円筒状ブラシに植設された毛の場合であっても、房又は束状に植設されていないこれらの毛は、局所的に平行といえるであろう。
【０１１５】
先端側の毛の表面が「実質的に不規則にばらつく」形状である場合、これは、毛の先端表面に視覚的に識別できる(すなわち、不規則性以外の)パターンが存在しないという状況を意味している。再度記述すると、（確率的な高さ特性を有するかもしれないし、有していないかもしれない)追加の毛が、毛の先端表面を形成する「領域の毛」とは別に存在するかもしれない。例えば、この追加の毛とは、先端側の毛の表面の「大部分の不規則な又はふぞろいな又は非周期性の」部分の領域の毛よりもかなり丈のない毛かもしれない。しかしながら、追加の毛は、毛の先端表面550(又はその一部分)の明らかに識別可能で不規則な感じの、又はふぞろいな表面形状パターを打ち消すことはない。
【０１１６】
ある実施形態は、多くの様々な高さ(すなわち少なくとも5つ、又は少なくとも8つ、又は少なくとも10つ、又は少なくとも12種類の高さ)が「有意に互いに異なる」状態にて植毛領域に設けられる又は配置される場合に関連している。毛の「有意に異なる」高さという語は、毛髪のブラッシング機能に照らして用いられており、例えば、製造工程を原因とした微少な(例えば、顕微鏡レベルの)高さのばらつきとは異なる。これらの有意に異なる高さは、ユーザーが裸眼にてブラシを見れば、はっきりと視認することができる(図1A〜2B参照)。図1A〜2Bに関連した例にて(そして、内側領域の高さヒストグラムである図5を参照して詳細に考察されるように)、実質的に互いに異なる少なくとも5つの高さの「値幅」というのは、少なくとも数mmのオーダーである。
【０１１７】
毛が「実質的に硬い」とされる場合、毛がほぼ硬いという場合であっても、例えば、ブラッシングを痛みが軽減されたものにするための、少しの柔軟性がまだありうることを意味している。このように、「実質的に硬い」という語は、「目的(毛髪の範囲内に入り込み、毛髪をほぐすこと)を果たすために十分に硬い」ことを意味している。
【０１１８】
「毛」は十分な太さがあり、この目的を果たすための材料で作られている。ある実施形態においては、毛が少なくとも0.5mmである太さ/幅(すなわち、プラスチックの場合)を有している。
【０１１９】
なお、図3A〜3Bを参照して、「毛と毛の間の距離」(図3A〜3Bにおいて、毛B1と毛B2との間の距離(B1、B2)として示される)は、毛のそれぞれの「毛の下部/ベース部/根本部/基端部」におけるセントロイド(centroid)間のヘアブラシの表面530に沿った距離のことである。
【０１２０】
毛の「位置」は、ブラシの表面上の毛の中心/セントロイド(すなわち、局所的なブラシの表面からの「高さ」が「ゼロ」)の位置を示す。「毛間の距離」とは、中心と中心との間の距離を示す。
【０１２１】
「毛保持面」の語は、特定のタイプの表面に限定されることを意図しておらず、逆に、毛が植設された表面の名称を提示することを単に意図している。
【０１２２】
本開示においては、植毛領域の毛幅/太さが「毛保持面における毛の位置からは実質的に独立して実質的に不規則にばらつく」場合、(i)複数本の毛を一緒にして集団又は「領域」と見なすことができ、(ii)植毛領域の毛において視覚的に識別できる毛の長さ/高さのパターン(すなわち、不規則性以外のパターン)が存在せず、そして(iii)このように、植毛領域の毛は「実質的に不規則な」高さパターンを有していることが視覚的に明らかである。
【０１２３】
以下に示したリストは、内側植毛領域560の毛によって提供されうる特徴を示した「特徴のタイプ」により区分された様々な特徴である。「外側領域」が存在するか否かに関わらず、「内側植毛領域」に関連するいかなる特徴は、1つ以上の実施形態において、不規則な高さ、及び/又は不規則な幅、及び/又は不規則な材料の柔軟性特性を有する植毛領域に関連してもよい。他の実施形態において、特徴のいかなる組み合わせを有してもよい。
【０１２４】
図4の考察  本数の特徴と密度の特徴
図4Aは、図1A〜2Bの限定しないヘアブラシの毛の位置のマップである。図4B〜4Dは、図4Aのマップの特定の部分的な範囲を示す。図4Aに見られるとおり、図1A〜2Bの例において内側植毛領域560(図1A〜2Bの特有な場合であるが、不規則な毛の長さパターンが識別される毛の「特定区域」を示す)は、約300本の毛を有している。これは、単に1つの特定のベース部のことであり、「特定区域」内においても、これよりも多くのまたは少ない本数の毛が植設されてもよい。
【０１２５】
他の実施形態において、不規則な毛の長さパターンが識別されうる毛の「特定区域」における毛の本数は、少なくとも、少なくとも100本、又は少なくとも150本、又は少なくとも200本、又は少なくとも250本の毛である。
【０１２６】
少なくとも100本の毛、又は少なくとも150本の毛、又は少なくとも200本の毛、又は少なくとも250本の毛は、特定の特性を有してもよい。例えば、(i)少なくとも0.5mm、又は少なくとも0.7mm、又は少なくとも0.8mm、又は少なくとも0.9mmであるこれらの毛の太さ/幅/直径を有してもよく、及び/又は(ii)少なくとも3mm、又は少なくとも5mm、又は少なくとも7mmである毛の高さを有してもよく、及び/又は(iii)多くとも25mm、又は多くとも22mm、又は多くとも20mm、又は多くとも18mm、又は多くとも16mmである毛の高さを有してもよい。
【０１２７】
ある実施形態では、「特定区域」内のすべての毛のうち、少なくとも50％、又は少なくとも70％、又は少なくとも80％、又は少なくとも90％、又は少なくとも95％の毛が、少なくとも、少なくとも0.8mm、又は少なくとも0.9mm、又は少なくとも1mmの太さを有している。
【０１２８】
図4A〜4Dにて識別できるであろう他の目立った特徴は、毛が、「実質的に一定の密度」にて内側の範囲内に植設されていることである。ある実施形態では、密度が厳密に一定にならないほうが好ましいかもしれないが、毛の密度には比較的小さなばらつきを許容している(又は、むしろ好ましい)。
【０１２９】
例えば、内側領域には、毛の植設されていない(又は、かなりの低密度の毛を有する)比較的小さな範囲1020があってもよい。また、内側領域には、比較的高密度である比較的小さな範囲1024があってもよい。しかしながら、これらのばらつきは比較的小さく、「内側領域」の毛の全体的な「実質的に一定の密度」パターンを打ち消すものではなく、及び/又は「不規則な高さ、及び/又は不規則な幅、及び/又は不規則な材料の柔軟性パターンを有する領域」を打ち消すものでもない
【０１３０】
ある実施形態では、少なくとも100本、又は少なくとも150本、又は少なくとも200、又は少なくとも250本の毛を有した植毛領域が、約20〜100cm2の大きさ(例えば、約30〜約50cm2の大きさ)のヘアブラシの毛保持面530の区域に設置されており、以下に検討されるように、「内側領域」(又は他の不規則な特性を有する領域)の毛に対して様々な毛密度や様々な幅が用いられてもよい。
【０１３１】
上述のとおり、ある実施形態においては、毛の密度のある程度の空間的なばらつき(すなわち、「内側領域」の毛、及び/又は高さが、少なくとも4mm、又は少なくとも5mm、又は少なくとも6mm、又は少なくとも7mm、又は少なくとも8mmである少なくとも最小高さの毛、及び/又は太さが、少なくとも0.5mm、又は少なくとも0.7mm、又は少なくとも0.85mm、又は少なくとも1mm、又はそれ以上である少なくとも最小太さの毛)が許容されうるし、又は望ましいこともある一方で(図4における範囲1024や範囲1020参照)、内側領域の毛の全体的な密度が実質的に一定であることも望ましいこともあることが図4から明らかである。
【０１３２】
図5の考察  高さの特徴
図1A〜2Bの特定の例において、内側植毛領域(すなわち範囲560)における毛の高さの統計的特性が算出された。表1は、この高さ分布をまとめた統計表である。
【０１３３】
【表１】
2013507199.tif 000038
【０１３４】
内側領域が296本の毛を有する図1A〜2Bの特定の例において、平均の毛の高さは11.3mm、高さ標準偏差は2.34mmである。図1A〜2Bの例において、高さ標準偏差と平均高さとの比率(すなわち高さSD/平均高さの比率)は0.21である。
【０１３５】
図5は、特定の「ビン(bin)」内にある高さの値の頻度を示す「高さヒストグラム」である。
【０１３６】
すべての高さが同一とは限らないことは、図5から明らかである。むしろ、一定の高さの「値幅」があり、高さのばらつきもある。他の実施形態において(図5に見られるように)、「有意に互いに異なる」多くの高さ(すなわち、少なくとも5、又は少なくとも8、又は少なくとも10、又は少なくとも12、又は少なくとも15、又は少なくとも20種類の高さ)がある。毛の「有意に異なる」高さという語は、毛髪のブラッシング機能に照らして用いられており、例えば、製造工程を原因とした微少な(例えば、顕微鏡レベルの)高さのばらつきとは異なる。これらの有意に異なる高さは、ユーザーが裸眼にてブラシを見れば、はっきりと視認することができる。
【０１３７】
他の実施形態において、内側領域の毛は、「最小長さ」又は「最大長さ」を有している(これは、内側領域の毛にのみ関連しており、内側以外の領域の追加の毛は、他のどんな長さであってもよい)。理論で制限されることはないが、丈のない毛が「最小長さ」を有する場合、毛髪を離す/ほぐす機能を果たすことができない。理論で制限されることはないが、長い毛が「最大長さ」である場合、毛髪をほぐす工程の「邪魔」になり、及び/又は痛みの量を増加させ、及び/又はプラスのほぐし機能として役に立たない。
【０１３８】
ある実施形態では、内側領域(又は、あらゆる「不規則な特性の領域」)の毛のうち、少なくとも50％、又は少なくとも60％、又は少なくとも70％、又は少なくとも80％、又は少なくとも90％、又は少なくとも95％、又は少なくとも99％(いかなる組み合わせも可能)の毛は、少なくとも6mm、又は少なくとも7mm、又は少なくとも8mm、又は少なくとも9mmとなる最小長さを有してもよく、及び/又は多くとも20mm、又は多くとも19mm、又は多くとも18mm、又は多くとも17mm、又は多くとも16mm、又は多くとも15mmとなる最大長さを有してもよい。いかなる組み合わせも可能であり、例えば、少なくとも60％の毛が少なくとも7mmの長さを有し、少なくとも80％の毛が多くとも16mmの長さ、又はあらゆる他の組み合わせを有してもよい。
【０１３９】
図5は、区域560内の毛の高さ範囲が、約7mm〜約16mmである状況を示す。他の実施形態において、区域560内の毛の高さ範囲は、約3.5mm〜約16mm(ある実施形態では約6mm〜約16mm)であってもよく、例えば、この結果、ある実施形態では、実質的にすべての(例えば、少なくとも80％、又は少なくとも90％の)毛がこの高さ範囲におさまる。すなわち、実質的にすべての毛が、以下の(a)3.5mm〜16mm、(b)3.5mm〜18mm、(c)6mm〜16mm、及び(d)6mm〜18mmの4つの高さ範囲内におさまる。
【０１４０】
毛の高さ分布が厳密に均一ではない場合であっても、高さ分布は均一な高さ分布のいくつかの特性を有するかもしれないことは、図5から明らかである。例えば、ある実施形態では、内側領域の毛の母集団のうちの第1部分(例えば、少なくとも5％、又は少なくとも10％、又は少なくとも15％、又は少なくとも20％)が、比較的「丈のない」範囲(高さ範囲1)におさまる高さを有する「丈のない毛」であり、内側領域の毛の母集団のうち第2部分(例えば、少なくとも5％、又は少なくとも10％、又は少なくとも15％、又は少なくとも20％、又は少なくとも25％)が、比較的「中間の高さ」範囲(高さ範囲2)におさまる高さを有する「中間の高さの毛」であり、内側領域の毛の母集団のうち第3部分(例えば少なくとも5％、又は少なくとも10％、又は少なくとも15％、又は少なくとも20％)が、比較的「丈のある高さ」範囲(高さ範囲3)におさまる高さを有する「丈のある毛」である。これら割合のいかなる組み合わせを用いてもよい。
【０１４１】
一例において、比較的丈のない毛は、内側領域の毛の5mm〜9mm(高さ範囲S1)の高さを有し、「中間の高さ」毛は、9mm〜13mm(高さ範囲M1)の高さを有し、「丈のある毛」は、13mm〜18mm(高さ範囲T1)の高さを有している。これは、「比較的平らなブラシ」に対しても当てはめてもよい。ファンブラシに対しては、高さの数値が10〜20％高くてもよい。(S1は、「丈のない」の1つ目のバージョンであり、M1は、「中間の」の1つ目のバージョンであり、T1は、「丈のある」1つ目のバージョンであり、S2は、「丈のない」の2つ目のバージョンであり、M2は、「中間の」の2つ目のバージョンであり、T2は、「丈のある」の2つ目バージョンである。
【０１４２】
他の例においては、比較的丈のない毛は、内側領域の毛の5mm〜9.5mm(高さ範囲1)の高さを有し、「中間の高さ」毛は、9.5mm〜12.5mm(高さ範囲2)の高さを有し、「丈のある毛」は、12.5mm〜18mm(高さ範囲3)の高さを有している。
【０１４３】
ある実施形態では、内側領域(又は、「不規則な」特性を有する領域)において、S1、及び/又はM1、及び/又はT1、及び/又はS2、及び/又はM2、及び/又はT2(いかなる組み合わせも用いられうる)の高さ範囲にある毛の本数は、少なくとも10本の毛、及び/又は少なくとも20本の毛、及び/又は少なくとも30本の毛、及び/又は少なくとも40本の毛(いかなる組み合わせも用いられうる)である。
【０１４４】
本数(S1)の語は、内側領域(又は、「不規則な」特性を有する領域)内にある高さがS1高さ範囲である毛の本数である。これは、S1、M1、T1、S2、M2、及び/又はT2に関連してもよい。
【０１４５】
他の実施形態において、比率(比率のいかなる組み合わせ、又は上限/下限のいかなる組み合わせ)には、本数(S1)と本数(M1)との比率、及び/又は本数(S2)と本数(M2)との比率、及び/又は本数(T1)と本数(M1)との比率、及び/又は本数(T2)と本数(M2)との比率がある。この比率は、少なくとも0.2、又は少なくとも0.3少なくとも0.4、又は少なくとも0.6、又は少なくとも0.7、又は少なくとも0.8、及び/又は多くとも2、又は多くとも1.5、又は多くとも1.2、又は多くとも1、又は多くとも0.8、又は多くとも0.6、又は多くとも0.4、又は多くとも0.3、又は多くとも0.2Lである。いかなる組み合わせも用いることができる。
【０１４６】
この比較的「均一な」毛の高さ分布は、「特定区域」560内の毛髪をほぐすための「意味のある高さ」を有する毛の母集団に当てはまるかもしれない。他の実施形態において、「ほぐすための意味のある高さ」を有し、かつ特定区域内に植設された毛は、前のセクションにて検討した最小本数を有しており、少なくとも100本、又は少なくとも150本、又は少なくとも200本、又は少なくとも250本の毛、及び/又は少なくとも0.5mm、又は少なくとも0.7mm、又は少なくとも0.8mm、又は少なくとも0.9mmとなる最小太さの毛を有している。「ほぐすための意味のある高さ」の毛は、2.5mm、又は3mm、又は3.5mm、又は4mm、又は4.5mm、又は5mmである最小高さを有して、17.5mm、又は21mm、又は20mm、又は19mm、又は18mm、又は17mmである最大高さを有すると定義される。これら数字のいかなる組み合わせも可能である。
【０１４７】
他の実施形態において、内側領域(又は、特定区域内に配置された「不規則な特性」有する他の領域)の毛の高さSD/平均高さの比率は、少なくとも0.05、又は少なくとも0.075、又は少なくとも0.1、又は少なくとも0.125、又は少なくとも0.15、又は少なくとも0.2、及び/又は多くとも0.6、又は多くとも0.5、又は多くとも0.4、又は多くとも0.3、又は多くとも0.25である。再度になるが、これは、「高さの値幅」を示す。
【０１４８】
他の実施形態において、内側領域(すなわち例えば、約2.5mm〜約17.5mmとなる「意味のある高さ」の範囲内)の毛の平均高さは、少なくとも6mm、又は少なくとも7mm、又は少なくとも8mm、又は少なくとも8.5mm、及び/又は多くとも16mm、又は多くとも15mm、又は多くとも14mm、又は多くとも13mm、又は多くとも12mmである。これら値のいかなる組み合わせもどの実施形態でも用いることができる。
【０１４９】
他の実施形態において、内側領域の毛に対して、内側領域内の毛の母集団の高さ標準偏差は、少なくとも1mm、又は少なくとも1.5mm、又は少なくとも2mm、及び/又は多くとも5mm、又は多くとも4mm、又は多くとも3mmであってもよい。
【０１５０】
明らかに、高さ標準偏差最小のいかなる組み合わせ、高さ標準偏差最大のいかなる組み合わせ、及び/又は高さ平均であってもよい。
【０１５１】
ある実施形態では、植毛領域は、「特定区域」(例えば、図2〜3における範囲560)内の実質的にすべての毛(すなわち少なくとも70％、又は少なくとも80％、又は少なくとも90％、又は少なくとも95％、又は少なくとも99％)であり、この区域の高さはあらゆる高さの特徴又は本願で開示される特徴の組み合わせを有し、及び/又はこの区域の幅はあらゆる幅の特徴又は本願で開示される特徴の組み合わせを有している。
【０１５２】
毛幅の特徴  図6の考察
上述のとおり、毛は少なくとも0.5mmの幅を有する。例えば、この幅の値は、(ヘアブラシが一般に作られるほとんどの材料、例えば、ほとんどのプラスチック、にとって)、毛が「個々別々で」束にならなくてもよいための閾値である。この値において、「房になっていない」毛や「束になっていない」毛(すなわち個々に植設された毛)は、毛髪の範囲に入り込んで毛髪をほぐすのに有効な程度に十分に太いといえる。
【０１５３】
他の実施形態において、内側領域の毛は、「最小太さ」又は「最大太さ長さ」を有している(これは、内側領域の毛にのみ関連しており、内側以外の領域の追加の毛は他のどんな長さであってもよい)。
【０１５４】
ある実施形態では、内側領域(又はあらゆる「不規則な特性の領域」)の毛のうち少なくとも50％、又は少なくとも60％、又は少なくとも70％、又は少なくとも80％、又は少なくとも90％、又は少なくとも95％、又は少なくとも99％(いかなる組み合わせも可能)の毛は、少なくとも0.5mm、又は少なくとも0.7mm、又は少なくとも0.85mm、又は少なくとも0.9mm、又は少なくとも1mm、又は少なくとも1.1mm、又は少なくとも1.2mmの太さ長さを有してもよく、及び/又は多くとも3mm、又は多くとも2.5mm、又は多くとも2mm、又は多くとも1.8mm、又は多くとも.5mm、又は多くとも1.3mm(いかなる組み合わせも可能)の最大太さを有してもよい。
【０１５５】
さらに、本発明の実施形態は、幅(又は材料の柔軟性)にばらつきのあるヘアブラシに関連する。ある実施形態において、すべての毛が同一幅(又は同一材料の柔軟性)を有するわけではなく、有意に互いに異なる毛の幅のばらつき(例えば、少なくとも2、又は少なくとも3、又は少なくとも4、又は少なくとも5種類の幅)を有することができる。
【０１５６】
図6は、図1A〜2Bの限定されない場合(すなわち、範囲560内の内側領域、又は不規則な高さ又は不規則な幅又は不規則な材料の柔軟性特性を有する他の植毛領域)における、毛の高さ(x軸)の関数として毛幅(y軸)を示す。図6から、以下の事が明らかである。
(i)有意に互いに異なる複数種類の幅がある。図6の例においては、内側領域のある毛は約1の幅を有しており、内側領域のある毛は、約1.2の幅を有しており、内側領域のある毛は約1.4の幅を有しており、内側領域のある毛は、約1.6の幅を有している。
(ii)毛の高さと毛の太さとには、明らかな相関性がある。すなわち丈のある毛は、太くなる傾向にある。
【０１５７】
この代わりとして、又はさらに追加して、丈のある毛は、柔軟性のない材料で構成されてもよい。
【０１５８】
一般的に、長い毛は、丈のない毛よりもより柔軟であることは注目すべきことである。理論で制限されることは意図しないが、比較的丈のある毛と比較的丈のない毛との両方が、内側領域(又は「不規則な特性の領域」)に存在する場合、比較的長くて丈のある毛が、比較的丈のない毛よりも大きな程度の柔軟性を有しているといえる。この作用を和らげるために(又は、他の理由のために)、ヘアブラシを以下のように構成すると便利である。つまり、丈のある毛をより太く「補強」する一方で(その代わりに、又はさらに追加して、柔軟性のない材料にて構成してもよい)、丈のない毛を細くなるように構成し、又はより柔軟な材料で構成して、丈のない毛の「硬すぎる」傾向を相殺するのである。
【０１５９】
このことで、毛の硬さが、見た目よりもあまりばらつかない状況、及び/又は毛の硬さが実質的に一定となる状況を作ることができる。
当業者は、1つの意味における「材料の硬さ」」や「材料の柔軟性」と、もう1つの意味における「毛の硬さ」や「毛の柔軟性」との違い(すなわち、少なくとも、材料の柔軟性/硬さ、毛の高さや毛の太さの組み合わせによって違いがでること)を理解している。
【０１６０】
本発明の実施形態は、毛の高さは実質的に不規則にばらつき、毛保持面における毛の位置からは実質的に独立するように毛が毛保持面に植設される状況に関連する。毛の高さと毛の太さとに明らかな相関性がある実施形態において(例えば、図6に示されるように、丈のある毛が太くなる場合)、毛の太さ(又はその代わりに、材料の柔軟性)が毛保持面における毛の位置からは実質的に独立して実質的に不規則にばらつくことは明らかである。
【０１６１】
他の実施形態において、「内側植毛領域」(又は、「不規則な特性」を有するあらゆる植毛領域)は、以下の特徴を1つ以上有している。
(i)平均の毛の太さは、少なくとも0.85mm、又は少なくとも1mm、又は少なくとも1.15mm、又は少なくとも1.25mmであってもよい。
【０１６２】
(ii)平均の毛の太さは、多くとも2.5mm、又は多くとも2mm、又は多くとも1.75mm、又は多くとも1.5mm、又は多くとも1.4mmであってもよい。
(iii)太さの標準偏差、毛の太さの標準偏差が、平均の毛の太さの少なくとも3％、又は少なくとも5％、又は少なくとも7％、又は少なくとも10％、又は少なくとも12％、又は少なくとも15％であるような太さのばらつきが与えられている。
(iv)ある実施形態では、毛の太さの標準偏差は、平均の毛の太さの多くとも50％、又は多くとも40％、又は多くとも30％、又は多くとも20％である。
(v)毛の太さと毛の高さとには「正相関」があり、平均して、丈のある毛は太く、丈のない毛は細い。図6を参照のこと。図6では、「x」軸は毛の高さ(mmの単位)で、「y」軸は毛の太さ(mmの単位)である。図6から、丈のある毛は太くなる傾向があり、これが、様々な毛の柔軟性を混在させることに便利であることが明らかである。
(vi)この「正相関」(図6参照)に関連するある実施形態では、毛の母集団のうちの最も丈のある20％は、H1で示された平均高さを有しており、T1で示された平均太さを有している。毛の母集団のうち最も丈のない20％は、H2で示された平均高さと、T2で示された平均太さを有している。この例においては、T1とT2との比率は、少なくとも1.1、又は少なくとも1.2、又は少なくとも1.3、又は少なくとも1.4、又は少なくとも1.5である。
【０１６３】
(vii)一例では(すなわち、一般の高さの文脈において、又は「高さと幅との正相関」の文脈において)、H1とH2との比率は、少なくとも1.1、又は少なくとも1.3、又は少なくとも1.4、又は少なくとも1.5、及び/又は多くとも3、又は多くとも2.5、又は多くとも2、又は1.75、又は多くとも1.5であってもよい。
【０１６４】
(viii)内側領域560における毛母集団の内のいくつかの毛、又はほとんどの毛、又はすべての毛は、いくぶんか、又は実質的に硬くなる傾向がある。
【０１６５】
ある実施形態では、植毛領域は、「特定区域」(例えば、図2A〜3Bの範囲560)内の実質的にすべての毛(すなわち少なくとも70％、又は少なくとも80％、又は少なくとも90％、又は少なくとも95％、又は少なくとも99％)を意味する。「特定区域」の毛の高さは、高さの特徴、又は本願で開示される特徴の組み合わせを有しており、及び/又は「特定区域」の毛幅は、幅の特徴、又は本願で開示される特徴の組み合わせを有している。
【０１６６】
ある実施形態では、大部分にとって(又は、毛のうち少なくとも60％、又は少なくとも70％、又は少なくとも80％、又は少なくとも90％、又は少なくとも95％となる実質的に大部分にとって)、毛の長さと毛幅との比率は、少なくとも2.5、又は少なくとも3、又は少なくとも4、又は少なくとも5、及び/又は多くとも30、又は多くとも25、又は多くとも20、又は多くとも15、又は多くとも10である。
【０１６７】
最近接毛のヒストグラム  図7の考察
ヘアブラシの表面に植設されたN本の毛(Nは正の整数)がある領域において、領域内の毛は、｛b1、b2、・・・bN｝として表される。k番目の毛bkに対しては、植毛領域には、N-1個のセットの｛距離(b1、bk)、距離(b2、bk)・・・距離(bk-1、bk)、距離(bk＋1、bk)・・・距離(bN、bk)｝が得られる。このN-1個の距離セットのうちの最小値は、毛bkと「最短距離」にある他の毛との距離である。このように、それぞれの毛bk(kは、1からNまでの正の整数である)は対応する「最短毛間距離」と関連づけられている。
【０１６８】
これらの数字は、図1A〜2Bの例における「内側植毛領域」用に算出されたものである。これら数字のヒストグラムは図7に示される。統計のパラメーターは、以下に示したとおりである。
平均   3.892409525
標準誤差   0.034380749
中央値   4.235575522
最頻値   4.242640687
標準偏差   0.600433964
標本分散   0.360520945
尖度   0.234056063
歪度   -1.350398162
変動幅   2.252640687
最小   1.99
最大   4.242640687
合計   1187.184905
本数   305
このように、「内側領域」の毛、及び/又は不規則な特性を有する領域にとって、最も近傍毛の平均値は3.89、標準偏差は0.6である。標準偏差と平均との比率は0.15である。他の実施形態において、この比率は、少なくとも0.05、又は少なくとも0.075、又は少なくとも0.1、又は多くとも0.5、又は多くとも0.4、又は多くとも0.3、又は多くとも0.25、又は多くとも0.2である。
【０１６９】
他の実施形態において、内側領域内の毛の最近接毛の平均値は、少なくとも2mm、及び/又は少なくとも2.5mm、及び/又は少なくとも3mm、及び/又は多くとも7mm、及び/又は多くとも6mm、及び/又は多くとも5mm、及び/又は多くとも4mmであってもよい。
【０１７０】
他の実施形態において、(内側領域の毛の平均高さがHAVGの場合)内側領域の毛の最近接毛の平均値は、少なくとも0.15*HAVG、及び/又は少なくとも0.2*HAVG、及び/又は少なくとも0.25*HAVG、及び/又は少なくとも0.3*HAVG、及び/又は多くとも0.7*HAVG、及び/又は多くとも0.6*HAVG、及び/又は多くとも0.5*HAVG、及び/又は多くとも0.4*HAVG、及び/又は多くとも0.3*HAVGであってもよい。
【０１７１】
他の実施形態において、「内側領域」(又は、不規則な毛の特性を有する他の領域)の毛のうち少なくとも50％、又は少なくとも60％、又は少なくとも70％、又は少なくとも90％、又は少なくとも95％のそれぞれの毛は、対応する「最近接毛」の値を有している。この「最近接毛」の値は、「内側領域」(又は、不規則な特性を有する他の植毛領域)内にある最も近傍毛を説明しており、少なくとも2mm、及び/又は少なくとも2.5mm、及び/又は少なくとも3mm、及び/又は多くとも7mm、及び/又は多くとも6mm、及び/又は多くとも5mm、及び/又は多くとも4mmであってもよい。
【０１７２】
他の実施形態において、「内側領域」の毛(又は、不規則な毛の特性を有する他の領域)のうち少なくとも50％、又は少なくとも60％、又は少なくとも70％、又は少なくとも90％、又は少なくとも95％のそれぞれの毛は、対応する「最近接毛」値を有してもよい。この「最近接毛」値は、「内側領域」(又は、不規則な特性を有する他の植毛領域)にある最も近傍毛であり、(内側領域の毛の平均高さがHAVGである)内側領域の最も近傍毛でもあり、少なくとも0.15*HAVG、及び/又は少なくとも0.2*HAVG、及び/又は少なくとも0.25*HAVG、及び/又は少なくとも0.3*HAVG、及び/又は多くとも0.7*HAVG、及び/又は多くとも0.6*HAVG、及び/又は多くとも0.5*HAVG、及び/又は多くとも0.4*HAVG、及び/又は多くとも0.3*HAVGであってもよい。
ある実施形態では、i)植毛領域(すなわち内側領域又は「不規則な特性」の領域)のそれぞれの毛bは、対応する最近接毛間距離と関連づけられている。対応する最近接毛間距離は、この毛bと同一植毛領域にある他の毛とのそれぞれの最短距離を示している。ii)毛の母集団Pにおける最近接毛間距離の標準偏差と、毛の母集団Pにおける最近接毛間距離の平均との比率は、多くとも0.25、又は多くとも0.2である(図8Aの例においては、比率は0.15である)。
【０１７３】
図8の1つの目立った特徴は、内側領域の毛の大部分の部分が、おおよそピーク値又は「代表的な最短距離」(すなわち、5％、又は10％、又は15％の許容誤差内)である「最短距離値」を有することである。このピーク値は、許容誤差内にある「ピーク値」又は「近い」値の頻度により定義される。しかしながら、領域の毛の追加の部分は、少なくとも5％、又は少なくとも10％、又は少なくとも15％、又は少なくとも20％、又は代表値RCDVの「許容誤差」の少なくとも1.2倍、又は少なくとも1.4倍、又は少なくとも1.5倍、又は少なくとも1.倍、又は少なくとも2倍だけ代表値RCDVからはずれる「偏差値」を有している。
【０１７４】
グリッド値  図8の考察
ある実施形態では、「内側領域」の範囲560(又は不規則な特性(例えば、高さ、又は太さ、又は材料の柔軟性)を有する領域が「設置」される他の範囲)の毛の密度ばらつきを、次のように説明することができる。(i)まず、「設置範囲」560(図8A参照)に1mm×1mmの正方形のグリッドを設ける。ここで、垂直線が互いに交差する交差点を「グリッド点」とする。
【０１７５】
それぞれのグリッド点に対して、内側領域(又は、不規則な特性を有するあらゆる領域)内において、図4A〜4Dを参考にして定義される「毛間」距離を用いてグリッド点に近い(すなわち「閾値距離」未満の)毛の本数を数えることができる。閾値距離とは、例えば、1cm以内、又は7.5mm以内、又は6.5mm以内、及び/又はHAVG(参考までに、「不規則な特性を有する領域」の毛の平均高さがHAVGである)となる距離以内、又は0.9*HAVG以内、又は0.8*HAVG以内、又は0.7*HAVG以内、又は0.6*HAVG以内、又は0.5*HAVG以内である。これらの距離は、限界「閾値距離」とよばれる。
【０１７６】
図1A〜2Bの場合、7.5mmである閾値距離が用いられ、内側領域の「含有範囲」又は「設置範囲」内のグリッド点の数は3490であった。これは、約35cm2の区域を意味している。それぞれの特定のグリッド点は、様々な各々の「近傍毛」値と関連づけられており、この様々な各々の「近傍毛」値は、特定のグリッド点からそれぞれの「閾値距離」未満にある内側領域(又は不規則な特性を有する領域)内の毛の数を示している。このように、3490グリッド点を有する図1A〜2Bの例に対しては「近傍毛の本数」に対する3490個の値が算出された。統計は、これら3490個の値を基に算出された。
【０１７７】
平均的なグリッド点は、グリッド点からの距離が「閾値」距離未満である10.13本の毛を有している。(「閾値距離」に用いられうる定義については、前の段落を参照のこと。図1A〜2Bの例では、閾値距離は7.5mmであった)。グリッド点間の「平均値」は10.13本の毛であり、標準偏差は、1.31だけであった。
【０１７８】
0.13である比較的小さなSD/平均の比率もまた、内側植毛領域が実質的に一定の密度であることを示している。他の実施形態において、この値は、0.3未満、0.25未満、又は0.2未満、又は0.15未満であってもよく、及び/又は0.03を上回る、又は0.05を上回る、又は0.07を上回る、又は0.1を上回ることがあってもよい。
【０１７９】
また、7.5mmの閾値に対して、毛の平均本数は10.13であった。このことは、内側領域(又は他の不規則な特性の植毛領域)が、10.13/(3.14*0.75cm*0.75cm)=約5.7本の毛/cm2の密度にて設けられていることを示している。
【０１８０】
他の実施形態において、内側領域(又は他の「不規則な特性を有する植毛領域)の毛の密度(又は、実質的に一定の密度)は、少なくとも2本の毛/cm2、又は少なくとも3本の毛/cm2、又は少なくとも4本の毛/cm2、又は少なくとも5本の毛/cm2、及び/又は多くとも30本の毛/cm2、又は多くとも20本の毛/cm2、又は多くとも15本の毛/cm2、又は多くとも12本の毛/cm2、又は多くとも10本の毛/cm2、又は多くとも8本の毛/cm2、又は多くとも7本の毛/cm2であってもよい。いかなる組み合わせも可能である。これら内側領域の毛は、不規則な高さ、及び/又は不規則な太さ、及び/又は不規則な材料の柔軟性の特性を有してもよい。ある実施形態では、これらの毛の大半(すなわち少なくとも50％、又は少なくとも60％、又は少なくとも70％、又は少なくとも80％、又は少なくとも90％)が、すべて少なくとも0.5mm、又は少なくとも0.7mm、又は少なくとも0.85mmとなる毛の太さを有してもよく、及び/又は少なくとも5mm、又は少なくとも6mm、又は少なくとも7mm、又は少なくとも8mmとなる毛の高さ/長さを有してもよい。
【０１８１】
ある実施形態では、少なくとも100本、又は少なくとも150本、又は少なくとも200本、又は少なくとも250本の毛が植設された内側植毛領域(又は「不規則な特性」を有する植毛領域)は、ヘアブラシの毛保持面530の区域に設けられており、この区域の大きさは、約20〜100cm2(例えば、約30〜約50cm2)である。以下に検討されるように、「内側領域」(又は他の不規則な特性を有する領域)の毛は、様々な毛密度及びその幅を有することができる。
【０１８２】
他の実施形態において、1つ以上の毛の位置に関連した以下の特徴(すなわち、毛の位置に関連した以下の特徴のいかなる組み合わせ)が用いられてもよい。
(i)この内側領域の毛は、おおよそ4本の毛/cm2〜12本の毛/cm2の範囲内(例えば、許容誤差が50％の範囲内で約7本の毛/cm2)の密度にて毛保持面530に植設される。ある実施形態では、この密度は、少なくとも2本の毛/cm2、少なくとも3本の毛/cm2、又は少なくとも4本の毛/cm2であってもよい。ある実施形態では、この密度は、多くとも20本の毛/cm2、又は多くとも12本の毛/cm2、又は多くとも10本の毛/cm2、又は多くとも8本の毛/cm2であってもよい。
(ii)大部分の毛、又は有意の大部分(例えば、少なくとも80％、又は少なくとも90％、又は少なくとも98％)の毛も一定の格子に存在するように内側植毛領域は、配置されている。しかしながら、少数部分(例えば、少なくとも2％、又は5％、又は10％)の毛は、格子で規定される位置からは離れた位置にある。1つのモデルにおいて、内側植毛領域には、約1080の「近傍毛間」距離を規定する約300本の毛があり、約1080の「近傍毛間」距離において、近傍毛は、6.5mm未満で離れている毛のことを意味する。このモデルにおいては、これら毛間距離のおおよそ40％が、ちょうど第1値(例えば、6mm(数パーセント又はさらに2％、又は1％の許容誤差範囲内))である。また、これら毛間距離のおおよそ40％がちょうど第2値である。第2値は、第1値から少なくとも1mm、又は2mm、又は少なくとも10％、又は20％、又は30％(例えば、4.25mm)だけ異なる値である。しかしながら、他の毛間距離は別の値である。
(iii)それぞれの特定の毛が、最短の近傍毛間距離(これはその特定の毛がヘアブラシ上の最近接毛に関連している)と関連してもよい。ある実施形態では、少なくとも大部分又は少なくとも実質的に大部分(毛のうち少なくとも75％)が、「最短の近傍毛間」距離を有しており、この距離は、少なくとも1mm、又は少なくとも1.5mm、又は少なくとも2mm、又は少なくとも2.5mmである。限定されることはないが、これは毛が「独立して植設されている」(すなわち、毛の根本が「束状」である房、又は「毛束」ではない)特徴に関連してもよい。このように、図7の例においては、ほとんどの毛が約4.5の「最短の近傍毛間距離」を有している。
【０１８３】
(iv)それぞれの特定の毛は、「少なくとも5mm距離の高さを有する、最近傍毛」への距離と関連づけられていてもよい。これは、(すなわち、高さが少なくとも5mmである毛の中において)特定の毛からヘアブラシ上の最近接毛に関連している。ある実施形態では、少なくとも大部分、又は少なくとも実質的に大部分(毛のうち少なくとも75％)が「少なくとも5mm距離の高さを有する最近傍毛」への距離を有しており、この距離は、少なくとも1mm、又は少なくとも1.5mm、又は少なくとも2mm、又は少なくとも2.5mmである。
【０１８４】
(v)ある実施形態では、「内側領域」(又は「不規則な特性を有する領域」)の毛の大部分又は実質的に大部分(少なくとも60％、又は少なくとも70％、又は少なくとも80％、又は少なくとも90％)は、「平均最近傍毛値」の50％、又は40％、又は30％以内である「最短の近傍毛間」距離を有している。図7の例においては、ほとんどの毛は、約4.5mmの「最近傍毛値」を有している。ある実施形態では、少なくとも有意な少数部分(例えば、少なくとも2％、又は少なくとも5％、又は少なくとも10％)は、平均距離、及び/又は最もよくある「最近傍距離」から著しく(例えば、少なくとも5％、又は少なくとも10％、又は少なくとも15％、又は少なくとも20％にて)乖離するような「最近接毛間距離」を有している。
【０１８５】
図9の考察
図面の例は、毛が植設される、実質的に平らな毛の表面を有するブラシの特有な場合に関連していることは注目すべきことである。ある実施形態では、毛の表面が湾曲していてもよい。一例において、認識できる程度に湾曲していたとしても、毛の表面はやはり大部分は平らである。(例えば、いわゆる「ファンブラシ」、又は「ヘアローラー」(図9A〜9C参照)、又は他のブラシに関連する)他の例においては、毛の表面は丸みのある形状を有してもよく、又は、実質的に円筒形状で、毛の高さは大部分は、ヘアブラシの円筒状の又は丸みのある表面に沿って、不規則であってもよい(又は、本願で開示される他の高さの特徴を有してもよい。
【０１８６】
ある実施形態では、ブラシは、どのような形状係数を有してもよく、その形状係数は、(例えば、プラスチック製の毛を有する)ペット用のブラシ(図示しない)の形状係数をを含むがこれに限定されない。
【０１８７】
図10A〜10Eの考察
図10Aは、図1A〜2Bの例の毛の位置のグラフ(mmの単位)である。図10Aから明らかなとおり、「よりまばらな」毛の密度の比較的小さな範囲1020や「より濃密な」毛の密度である比較的小さな範囲が存在するが、全体で見れば、内側領域が設置される「設置範囲」(この場合560)全体での毛の密度は実質的に一定であることは明らかである。
【０１８８】
「内側植毛領域」(又は不規則な感じの特性を有するあらゆる他の領域)における平均の毛の長さ/高さは、HAVG又はHEIGHT＿AVG(どちらも同等であり、記号が少し異なるだけである)として定義される。毛の長さ/高さの標準偏差は、HEIGHT＿SDと表される。植毛領域(例えば、範囲560)の毛を4つの高さの部分に定義することができる。(i)高さがHEIGHT＿AVGとHEIGHT＿SDとの合計を上回る毛からなる「非常に丈のある部分」(VTB)、(ii)高さがHEIGHT＿AVGを上回るが、HEIGHT＿AVGとHEIGHT＿SDとの合計を下回る毛からなる「丈のある部分」(TB)、(iii)高さがHEIGHT＿AVGを下回り、HEIGHT＿AVGとHEIGHT＿SDとの合計を上回る毛からなる「丈のない部分」(SB)、(iv)高さがHEIGHT＿AVGとHEIGHT＿SDとの差異を下回る毛からなる「非常に丈のない部分」(VSB)。
最初と最後の部分は、高さが平均高さから比較的「大きな」ずれを有するため、「高さ外れ値部分」と呼ばれる。
【０１８９】
ある実施形態では、それぞれの部分の濃度(cardinality)は「有意」であり、例えば、「植毛領域」の全濃度の少なくとも7％、又は少なくとも10％、又は少なくとも12％、又は少なくとも15％である。
【０１９０】
「領域全体として」の「毛の配置」と、様々な部分母集団の「毛の配置」とにおける以下の対比を識別できる。植毛領域の全体では、毛が、毛保持面の特定の「設置」区域SA560内にて実質的に一定の密度で植設されている。前述の部分(VTB、TB、SB、VSB)のうちいずれか1つの、又は2つの、又は3つの、又は4つの(すなわちいかなる組み合わせ)の毛が、植毛領域全体への植設と、少なくとも1つの高さ外れ値部分HOSの植設との対比ができるように、また、高さ外れ値部分HOSの毛が特定区域SA内でふぞろいで非周期的な位置に散在している状態で、毛保持面に個々に植設されている。
【０１９１】
この対比は、毛の高さ分布がいくつかの点で不規則な又は準不規則な高さ分布に類似しているという事実によるものかもしれない。
【０１９２】
図11の考察
「内側植毛領域」(又は他の「不規則な特性領域」)において、「内側領域」のそれぞれの毛を、「それぞれの毛」からの距離が閾値最大距離未満である「近傍毛」を有する個別の群と関連づけることが可能である。例えば、閾値最大距離とは、1cm以内、又は7.5mm以内、又は6.5mm以内、及び/又は特定の距離以内である。特定の距離とは、HAVG以内(参考までに、「不規則な特性を有する領域」の毛の平均高さがHAVGである)、又は0.9*HAVG以内、又は0.8*HAVG以内、又は0.7*HAVG以内、又は0.6*HAVG以内、又は0.5*HAVG以内、及び/又はオプションとして最短距離(すなわち、少なくとも1mm、及び/又は少なくとも1.5mm、又は少なくとも2mm)よりも大きい距離である。
【０１９３】
それぞれの毛の高さは、「近傍毛」(すなわち、最大閾値未満で、オプションとして最小閾値を上回るような距離の毛)にて平均化されうる。7.5mmの(そして、最小ではない)値の場合、これは上記に該当する。標準偏差の間、「局所平均高さ」は、「内側領域」(及び/又は不規則な特性を有する領域)の毛の平均高さと、おおよそ同一になる傾向があることは注目すべきことである。
生成されるヒストグラムが図11に示される。得られる統計的特性は、下記に一覧で示した。
平均   11.33401815
標準誤差   0.049109417
中央値   11.27
最頻値   11
標準偏差   0.844910352
標本分散   0.713873503
尖度   -0.625787516
歪度   0.14288207
変動幅   3.99
最小   9.25
最大   13.24
合計   3354.869372
本数   296
標準偏差が高さの約0.21(すなわちSD/平均高さの比率=0.21)の「全体的な領域」と対比して、「局所的に平均化された」場合、標準偏差は高さの約0.06であった。このことは、図5に比べて図11の「より集中した」ピークにて、はっきりとわかる。他の実施形態において、
(i)内側領域の毛、及び/又は不規則な特性の領域(図11参照)の「局所平均の場合」におけるSD/平均の比率に対する、
(ii)「オリジナルの場合」におけるSD/平均の比率の比率は、多くとも0.5、又は多くとも0.4、又は多くとも0.3、又は多くとも0.2である。
【０１９４】
このように(LAは「局所的に平均された」の略記である)、ある実施形態では、半径R=7.5mmにて、内側領域において、(i)母集団Pのすべての毛bの平均高さは、内側領域のすべての毛b(すなわち、特定の範囲、例えば560内のすべての毛)に対して、実質的に局所平均高さLA(b, 7.5)［半径=7.5mm］に等しく、(ii)局所平均高さLA(b, 7.5)の標準偏差は、母集団Pのすべての毛bの高さ分布の標準偏差よりもかなり低い(例えば、局所平均高さLA(b, 7.5)の標準偏差と母集団Pのすべての毛bの高さ分布の標準偏差との比率は、多くとも0.6、又は多くとも0.5、又は多くとも0.4である)。
【０１９５】
このことは、高さ分布は内側の範囲において比較的同質であることを示す。これは、不規則な又は準不規則な高さ分布を示し、また比較的「高い」エントロピーも示している。
【０１９６】
図12A〜12Dの考察
母集団中のそれぞれの特定の毛について、母集団の中の特定の毛と母集団の中の他の毛(すなわち、母集団の中で最も近くにある「他の」毛)との個別の最短距離は、「母集団内最近接毛間距離」である。図7において、(図1A〜2Bの特定の例における)最もよくある「最短距離」値は、約4.5cmであることは明らかである。
【０１９７】
あらゆる部分母集団のそれぞれの特定の毛において、母集団の特定の毛と部分母集団の他の毛(すなわち、部分母集団のうち、最も近くにある「他の」毛)との個別の距離が、「部分母集団内最近接毛間距離」である。
【０１９８】
母集団(又は部分母集団)のそれぞれの毛に、対応する「最近接毛間距離」に割り当てられうるため、母集団又は部分母集団に対して統計的特性を算出することが可能である。図12A〜12Dにおいて、(すなわち、母集団、又は部分母集団に対する)「最短距離の平均値」と(すなわち、母集団、又は部分母集団に対する)「最短距離の標準偏差」とは両者ともに算出されて提供される。母集団又は部分母集団の1つの指標は、標準偏差を平均で割った商にて定義されるSD＿AVG(CLOSEST＿BRISTLE)指標である。小さな値のSD＿AVGは、ブラシの毛保持面上に比較的規則的に分布する(母集団又は部分母集団の)毛であることを示している。大きな値のSD＿AVGは、ブラシの毛保持面上にあまり規則的ではなく分布する(母集団又は部分母集団の)毛であることを示している。
【０１９９】
ある実施形態では、母集団全体のSD＿AVG(CLOSEST＿BRISTLE)は、0.3未満、又は0.25未満、又は0.2未満、又は0.175未満である。
【０２００】
図12A〜12Dの例においては、(i)母集団全体にとって、SD＿AVGは0.15に等しく、(ii)図10B(図12A参照)の部分母集団にとって、SD＿AVGは0.37に等しく、(iii)図10C(図12B参照)の部分母集団にとって、SD＿AVGは0.28に等しく、(iv)図10D(図12C参照)の部分母集団にとって、SD＿AVGは0.34に等しく、(v)図10E(図12D参照)の部分母集団にとって、SD＿AVGは0.35に等しい。
【０２０１】
ある実施形態では、(i)部分母集団のうちいずれか1つ、又はいずれか2つ、又はいずれか3つ、又は4つすべて(すなわち、「非常に丈のない部分母集団」、「丈のない部分母集団」、「非常に丈のある部分母集団」、及び「丈のある部分母集団)からなる群のうち少なくとも1つの、又は少なくとも2つの又は少なくとも3つの、又は4つすべての部分母集団)のためのSD＿AVG(CLOSEST＿BRISTLE)パラメーターの(ii)母集団全体のためのSD＿AVG(CLOSEST＿BRISTLE)パラメーターに対する比率は、少なくとも1.3、又は少なくとも1.5、又は少なくとも1.7、又は少なくとも2である。このことは、部分母集団を示す。この比率がこれら値のうちの1つを上回る場合、部分母集団が、母集団全体よりも特定区域(例えば、「内側領域の区域」)において「あまり規則的ではなく」分散されていることを意味しうる。
【０２０２】
母集団又は部分母集団のそれぞれの特定の毛のための検証されうる他のパラメーターとして、以下のようなものがある。特定の毛が「特定区域」内にあり母集団又は部分母集団の一部である場合、その特定の毛から特定の距離(例えば1.2cm、又は1cm、又は7.5mm、又は6.5mm)内に存在する毛の本数がパラメーターになる。この指標の統計を母集団又は部分母集団に対して算出することが可能であり(図9パラメーター)、平均値や標準偏差を決定できる。
【０２０３】
図8に関連するさらなる考察
母集団又は部分母集団のそれぞれの特定の毛に対して、母集団又は部分母集団の毛がどれだけ「規則的に」特定区域に分散されているのかを示す「図8パラメーター」に関連した指標は、SD＿AVG(LOCAL＿BRISTLES, 7.5mm)、又はSD＿AVG(CLOSEST＿BRISTLE, 6.5mm)、又はSD＿AVG(CLOSEST＿BRISTLE, 1cm)などである。
【０２０４】
ある実施形態(すなわち、図9のパラメーターに関連した実施形態)では、母集団全体に対するSD＿AVG(LOCAL＿BRISTLE, 7.5)は、0.3未満、又は0.25未満、又は0.2未満、又は0.175未満、又は0.15未満である。
【０２０５】
ある実施形態では、(i)いずれか1つ、又はいずれか2つ、又はいずれか3つ、又は4つすべての部分母集団(「非常に丈のない部分母集団」、「丈のない部分母集団」、「非常に丈のある部分母集団」、「丈のある部分母集団」からなる群のうちのすなわち少なくとも1つの、又は少なくとも2つの又は少なくとも3つの、又は4つすべての部分母集団)のためのSD＿AVG(LOCAL＿BRISTLES, 7.5mm)、又はSD＿AVG(LOCAL＿BRISTLES, 65mm)、又はSD＿AVG(LOCAL＿BRISTLES, 1mm)パラメーターの(ii)母集団全体のSD＿AVG(LOCAL＿BRISTLES, 7.5mm)、又はSD＿AVG(LOCAL＿BRISTLES, 65mm)、又はSD＿AVG(LOCAL＿BRISTLES, 1mm)パラメーターに対する比率は、少なくとも1.5、又は少なくとも1.75、又は少なくとも2、又は少なくとも2.5、又は少なくとも3、又は少なくとも3.5である。この比率がこれら値の1つを上回る場合、部分母集団が、母集団全体よりも特定区域又は特定区域(例えば、「内側領域」の区域)内において「あまり規則的ではなく」分散されていることを示しているかもしれない。
【０２０６】
ある実施形態では、母集団全体に対するより規則的な分散のパターンや、部分母集団に対するあまり規則的ではない分散は、「内側領域」560にのみ対して広く用いられる。ある実施形態では、外側領域570には高さのばらつきがあまりない。
【０２０７】
ある実施形態では、内側領域560、及び/又は外側領域570の毛は、実質的に互いに平行である。ある実施形態では、内側領域560、及び/又は外側領域570の毛は、実質的に直線状であり、及び/又は毛保持表面の局所平面に対して実質的に垂直に植設される。
【０２０８】
ある実施形態では、(i)毛の高さは(すなわち、特定区域内の毛、例えば、内側領域内の毛に対しては)、実質的に不規則であり、実質的に毛の位置から独立してもよく、(ii)毛の太さと毛の高さとの正相関があってもよいということは注目すべきことである。このように、本発明のある実施形態は、毛の太さは実質的に不規則であり、実質的に毛の位置から独立している状況に関連している。ある実施形態では、このようにして、ヘアブラシが1つ以上の「エントロピーの特徴」又は「不規則性の特徴」を提示してもよい。
【０２０９】
図13の考察
図13は、「外側植毛領域」の位置を示しており、例えば、「外側領域」は、「内側領域」の外周のうちほとんどの部分の周辺にある比較的細い又は小さな範囲の周りに位置するか、及び/又はその周辺に限られて存在している。
【０２１０】
ある実施形態では、「外側植毛領域」が設けられており、「外側植毛領域」は以下の特徴を有している。
(i)外側植毛領域570は、内側植毛領域560の外周上の区域において、毛が実質的に一定の密度となるように植設されており、毛保持面530上の内側植毛領域を実質的に囲んでいる(しかし、必ずしも完璧に囲んでいるとは限らない)。一例において、この密度は、内側領域560の毛の密度に実質的に等しいか、これよりも大きくてもよい。
(ii)「外側植毛領域」570の毛の平均高さは、内側植毛領域560の毛の平均高さの、例えば、多くとも50％、又は多くとも40％、又は多くとも30％、又は多くとも20％、又は多くとも15％である。
(iii)「外側植毛領域」570は、内側植毛領域の「実質的に不規則な高さ」の特徴を欠いている。
(iv)外側植毛領域の毛の本数は、内側植毛領域の毛の本数の少なくとも15％、又は20％、又は30％である。
(v)ある実施形態では、外側植毛領域の毛の太さのばらつきはより少ない(又は、かなり少ない)。このように、平均太さは約1mmでもよく、しかし標準偏差は、多くとも0.1、又は多くとも0.05mm(又はこれよりも少なくてもよい)であってもよい。例えば、内側領域の毛の太さの標準偏差の多くとも30％でもよい。
【０２１１】
(vi)ある実施形態では、外側植毛領域は、実質的に毛が植設されていない範囲(例えば、図1A、1B参照)により実質的に囲まれている。
【０２１２】
(vii)ある実施形態では、「外側領域」(又は、「特定区域」内のあらゆる領域)の毛の大部分、又は実質的に大部分(少なくとも60％、又は少なくとも70％、又は少なくとも80％、又は少なくとも90％)は、実質的に直線状である。
【０２１３】
毛髪・ブラシ間力の測定のための「インビトロ(In-vitro)」技術
本発明者は、(i)ある実施形態に係わるヘアブラシ(例えば、図1A〜2B参照)と、(ii)「対照基準」としての従来のヘアブラシとの両者を用いて、かつらの毛髪をほぐす試験を現在行っている。これら試験によれば、毛髪をほぐしている時のヘアブラシによりかつらの毛髪に加えられる力を計測することができる。両方のブラシを用いてかつらの毛髪をほぐすときには、本発明の実施形態による新規のブラシにて加えられる力は、従来のブラシにて加えられる力よりも小さいことが先行試験からわかってる。
【０２１４】
臨床試験結果
本発明者はモデルヘアブラシを有しており、そのモデルヘアブラシ(「ブラシB」)を従来技術の「通常の」ヘアブラシに照らして、おおよそ25名の長髪の女性(図14参照)のために構成して試験をした。
【０２１５】
ブラシBは、従来技術のブラシであり、ブラシAは本発明のある実施形態に基づいて作られた。
【０２１６】
図14から明らかなように、「本発明」のブラシは一貫して高性能であった。つまり、毛髪の抜けが少なく(すなわち50％未満)、かなり速い「ブラッシング時間」(1分33秒に対して45秒)であった。ブラッシング時間は、被験者が頭部の毛髪をほぐすのに要した時間の量を示している。つまり、ヘアブラッシング時間が長くなるのは、一般に、ほぐすときにより大きな痛みを伴うからである。毛髪をほぐすときの痛みが軽減されるのであれば、ブラッシングを速くすることができる。
【０２１７】
実質的に共線性の毛/毛のブロッキング
3本の毛(B1、B2、及びB3)を示す図15を参照する。B1はB3よりもB1に近い。図15には、2つのベクトル(B1-B2とB1-B3)が示されている。B1-B2とB1-B3とがなす角度は、シータ(θ)である。ある実施形態では、シータが許容誤差範囲(多くとも30度、又は多くとも25度、又は多くとも20度、又は多くとも15度、又は多くとも10度、又は多くとも5度)内にてゼロに等しい場合、毛B1-B2-B3は、「実質的に共線的」とされる。この許容誤差は、「実質的に共線性の毛の許容誤差」とよばれる。実施形態においてあらゆる許容誤差が用いられうるが、明記しない限りは、デフォルトの「実質的に共線性の毛の許容誤差」は20度である。
【０２１８】
ある実施形態にて、B2がB3と比べてB1に近い場合、かつ、B1-B2-B3が実質的に共線的であるとされる場合、B3がB2により(毛B1に対して)「ブロックされた」ととらえられる。ある実施形態では、毛B3をブロックするためには、B2は「実質的に共線的となる要件」に加えて、さらに他の要件を満たす必要があるかもしれない。例えば、毛B3を「ブロック」するためには、B2は、どのような範囲であれ特定の高さ、及び/又は幅(例えば、本願にて開示される範囲)を有する必要があるかもしれないし、B2が毛B1から最短距離である必要があるかもしれない。
【０２１９】
上述のとおり、毛間の距離は局所表面に沿ったものであるが、(毛保持面が平坦ではない場合)必ずしもデカルト距離でなくてもよい。
【０２２０】
このように上記の例示的な実施形態を説明したが、当業者が、以下に示される請求項の範囲や精神から逸脱することなくこの実施形態の様々な均等物、変更例、変形例、改良例が可能であることは明らかである。特に、別の実施形態において、本願にて開示されたものとは異なる特徴の組み合わせにしてもよい。よって、請求項は、上記の考察に限定されない。
【手続補正２】
【補正対象書類名】特許請求の範囲
【補正対象項目名】全文
【補正方法】変更
【補正の内容】
【特許請求の範囲】
【請求項１】
毛保持面と、前記毛保持面に個々に植設された少なくとも100本の毛を有する植毛領域とを有しており、毛の高さは、実質的に不規則に互いに異なり、かつ前記毛保持面における毛の位置から実質的に独立するヘアブラシであって、前記植毛領域は、
(i)少なくとも5つの高さが有意に互いに異なる高さ特性と、
(ii)前記毛のそれぞれが少なくとも0.5mmの幅を有する幅特性と、
(iii)前記毛のうち少なくとも60％が丸い端部を有する毛端部特性と、
を有するヘアブラシ。
【請求項２】
毛保持面と、前記毛保持面に個々に植設された少なくとも100本の毛を有する植毛領域とを有しており、前記植毛領域の毛の端部にて規定される先端部面は、ふぞろいにかつ実質的に不規則に形成されるヘアブラシであって、前記植毛領域は、
(i)少なくとも5つの高さが有意に互いに異なる高さ特性と、
(ii)前記毛のそれぞれが少なくとも0.5mmの幅を有する幅特性と、
(iii)前記毛のうち少なくとも60％が丸い端部を有する毛端部特性と、
を有するヘアブラシ。
【請求項３】
毛保持面と前記毛保持に個々に植設された少なくとも100本の毛を有する植毛領域とを有するヘアブラシであって、前記植毛領域の平均高さはHEIGHT＿AVGとして定義され、前記植毛領域の高さ標準偏差はHEIGHT＿SDとして定義され、植毛領域が高さ特性、幅特性、及び毛端部特性を有しており、
(i)前記幅特性に基づき、前記毛のそれぞれが少なくとも0.5mmの幅を有し、
(ii)前記毛端部特性に基づき、前記領域内の毛のうち少なくとも60％が丸い端部を有し、
(iii)前記高さ特性に基づいて、
A)前記植毛領域が有意に互いに異なる少なくとも5つの高さを有しており、
B)前記植毛領域は、前記植毛領域の合計の毛の本数のうち少なくとも10％である本数を有する少なくとも1つの高さ外れ値部分(HOS)を有しており、前記高さ外れ値部分HOSは、
C)高さがHEIGHT_AVGとHEIGHT＿SDとの合計を上回る毛からなる非常に丈のある毛(VTB)の部分と
D)高さがHEIGHT＿AVGとHEIGHT＿SDとの差異を下回る毛からなる非常に丈のない毛(VSB)の部分からなる群から選択されており、
植毛領域全体への植設と少なくとも1つの高さ外れ値部分HOSへの植設との対比ができるように、かつ、前記植毛領域の毛全体が実質的に一定の密度にて前記毛保持面における特定区域SAに植設される一方で、前記高さ外れ値部分HOSの毛が前記特定区域SA内のふぞろいで非周期的な位置に散在するように、前記植毛領域の毛は前記毛保持面に個々に植設されるヘアブラシ。
【請求項４】
請求項1〜請求項3の何れか1つに記載のヘアブラシであって、
i)前記植毛領域はさらに、毛幅標準偏差と毛幅平均との比率が少なくとも0.07となり、平均して、前記領域内の丈のある毛が丈のない毛よりも太くなるように前記植毛領域の毛に対して、毛の高さと毛の太さとの正相関がある幅のばらつき特性を有しており、
ii)前記植毛領域の毛はそれぞれが、毛保持面の対応する局所平面に対して実質的に垂直に植設されるヘアブラシ。
【請求項５】
請求項4に記載のヘアブラシであって、前記植毛領域の毛が実質的に一定の密度で毛保持面に植設されるヘアブラシ。
【請求項６】
請求項5に記載のヘアブラシであって、前記植毛領域の高さの範囲は、実質的に約3.5mm〜約16mmであるヘアブラシ。
【請求項７】
請求項4に記載のヘアブラシであって、前記植毛領域の毛は、実質的に、少なくとも4本の毛/cm2である一定の密度で毛保持面に植設されるヘアブラシ。
【請求項８】
請求項7に記載のヘアブラシであって、前記植毛領域の高さの範囲は、実質的に約3.5mm〜約16mmであるヘアブラシ。
【請求項９】
請求項1〜請求項3の何れか1つに記載のヘアブラシであって、前記植毛領域はさらに、毛幅標準偏差と毛幅平均との比率が少なくとも0.07であり、前記植毛領域の毛に対して毛の高さと毛の太さとの正相関があり、平均して、前記植毛領域内の丈のある毛が丈のない毛よりも太くなるような幅のばらつき特性を有するヘアブラシ。
【請求項１０】
請求項1〜請求項3、又は請求項9の何れか1つに記載のヘアブラシであって、前記植毛領域の毛がそれぞれ前記毛保持面における対応する局所平面に対して実質的に垂直に植設されるヘアブラシ。
【請求項１１】
請求項1〜請求項3、請求項9、請求項10の何れか1つに記載のヘアブラシであって、前記植毛領域の毛は、少なくとも4本の毛/cm2である実質的に一定の密度で植設されるヘアブラシ。
【請求項１２】
請求項1〜請求項3、請求項8〜請求項11の何れか1つに記載のヘアブラシであって、前記植毛領域の高さの範囲は、実質的に約3.5mm〜約16mmであるヘアブラシ。
【請求項１３】
請求項1〜請求項12の何れか1つに記載のヘアブラシであって、前記植毛領域の高さ標準偏差と平均高さとの比率は少なくとも0.075であるヘアブラシ。
【請求項１４】
請求項1〜請求項13の何れか1つに記載のヘアブラシであって、前記領域の平均の毛の太さは、0.85mmを上回るヘアブラシ。
【請求項１５】
請求項1〜請求項14の何れか1つに記載のヘアブラシであって、前記領域の毛の平均高さは、少なくとも約8.5mmであるヘアブラシ。
【請求項１６】
請求項1〜請求項15の何れか1つに記載のヘアブラシであって、前記植毛領域の毛は多くとも12本の毛/cm2である密度にて植設されるヘアブラシ。
【請求項１７】
請求項1〜請求項16の何れか1つに記載のヘアブラシであって、前記植毛領域の毛の平均高さは8mm〜14mmであるヘアブラシ。
【請求項１８】
請求項1〜請求項17の何れか1つに記載のヘアブラシであって、前記植毛領域が特定区域内に設けられており、
i)前記毛のうち少なくとも80％が一定の格子上に実質的に存在し、
ii)前記領域の毛のうち少なくとも2％が前記格子から離れた位置に存在するヘアブラシ。
【請求項１９】
請求項1〜請求項18の何れか1つに記載のヘアブラシであって、前記領域の毛は実質的に互いに平行になるように植設されるヘアブラシ。
【請求項２０】
請求項1〜請求項19の何れか1つに記載のヘアブラシであって、
i)前記植毛領域の平均高さはHEIGHT＿AVGとして定義され、前記植毛領域の高さ標準偏差はHEIGHT＿SDとして定義され、
ii)前記植毛領域は、毛の高さがHEIGHT＿AVGとHEIGHT＿SDとの差異を下回る非常に丈のない毛(VSB)である毛部分を含み、
iii)前記毛の非常に丈のない毛(VSB)である毛部分の毛の大部分が少なくとも5mmである高さ、及び/又は少なくとも0.33*HEIGHT＿AVGである高さを有するヘアブラシ。
【請求項２１】
請求項1〜請求項20の何れか1つに記載のヘアブラシであって、前記植毛領域の毛のうち少なくとも10％が5mm〜9mmである高さを有しており、毛のうち少なくとも25％が9mm〜13mmである高さを有しており、毛のうち少なくとも10％が13mm〜18mmである高さを有するヘアブラシ。
【請求項２２】
請求項1〜請求項21の何れか1つに記載のヘアブラシであって、
i)前記植毛領域のそれぞれの毛bは、最近接毛間距離と関連づけられており、前記最近接毛間距離は、毛bと、前記植毛領域の他のどの毛よりも前記毛bの近くに位置する前記植毛領域の別の毛bCLOSESTとの間の最短距離d CLOSEST (b)（=距離(b、bCLOSEST)）を示しており、これによって、前記植毛領域のそれぞれの毛bと前記最短距離d CLOSEST (b)との1対1のマッピングを確立して数字のセット(前記植毛領域の前記最短距離d CLOSEST (b)から構成されるCLOSEST＿BRISTLE＿DISTANCE)を形成し、
ii)数字のセットCLOSEST＿BRISTLE＿DISTANCEの標準偏差と数字のセットCLOSEST＿BRISTLE＿DISTANCEの平均値とのSD/AVGの比率は、多くとも0.25であるヘアブラシ。
【請求項２３】
請求項22に記載のヘアブラシであって、SD/AVGの比率は、多くとも0.2であるヘアブラシ。
【請求項２４】
請求項22〜請求項23の何れか1つに記載のヘアブラシであって、前記SD/AVGの比率は、少なくとも0.075であるヘアブラシ。
【請求項２５】
請求項22〜請求項24の何れか1つに記載のヘアブラシであって、SD/AVGの比率は、少なくとも0.1であるヘアブラシ。
【請求項２６】
請求項1〜請求項25の何れか1つに記載のヘアブラシであって、
i)前記植毛領域のそれぞれの毛bは、最近接毛間距離と関連づけられており、前記最近接毛間距離は、毛bと、前記植毛領域の他のどの毛よりも前記毛bの近くに位置する前記植毛領域の別の毛bCLOSESTとの最短距離d CLOSEST (b) (=距離(b、bCLOSEST))を示し、これによって、前記植毛領域のそれぞれの毛bと最短距離d CLOSEST (b)との1対1のマッピングを確立して数字のセット(前記植毛領域の前記最短距離d CLOSEST (b)からなるCLOSEST＿BRISTLE＿DISTANCE)を形成して、
ii)濃度がCLOSEST＿BRISTLE＿DISTANCEの濃度の50％〜95％であるCLOSEST＿BRISTLE＿DISTANCEの第1部分の値は、すべて代表的な最短距離値RCDVに多くとも10％の許容誤差内で同等であり、
iii)濃度が少なくともCLOSEST＿BRISTLE＿DISTANCEの濃度の少なくとも10％であるCLOSEST＿BRISTLE＿DISTANCEの第2部分の値は、前記代表値RCDVからすべて少なくとも15％逸脱した最短距離値と関連づけられているヘアブラシ。
【請求項２７】
請求項1〜請求項26の何れか1つに記載のヘアブラシであって、毛はプラスチックにて構成されるヘアブラシ。
【請求項２８】
請求項1〜請求項27の何れか1つに記載のヘアブラシであって、
i)前記植毛領域は、前記毛保持表面の特定区域SA内に設けられた内側植毛領域であり、
ii)ヘアブラシはさらに、前記特定区域SAの毛の外側で、前記特定区域の外周上に実質的に前記特定区域SAを囲むようにして設けられた外側植毛領域を有しており、
iii)前記外側植毛領域は、
A)前記内側領域の本数の少なくとも15％である毛の本数と、
B)前記内側領域の毛の平均高さの多くとも30％である毛の平均高さと、
の特性を有するヘアブラシ。
【請求項２９】
請求項1〜請求項28の何れか1つに記載のヘアブラシであって、前記植毛領域の毛のうち少なくとも80％は、少なくとも6mmの高さであり、多くとも18mmの高さを有するヘアブラシ。
【請求項３０】
請求項1〜請求項29の何れか1つに記載のヘアブラシであって、
i)前記特定区域内に植設された毛の大部分は、実質的に規則的な格子上に配された位置に設けられ、
ii)前記毛のうち少なくとも2％の少数部分は、前記規則的な格子にて規定される位置から離れている格子外位置に設けられるヘアブラシ。
【請求項３１】
請求項1〜請求項30の何れか1つに記載のヘアブラシであって、前記毛保持面は実質的に円筒状であるヘアブラシ。
【請求項３２】
請求項1〜請求項31の何れか1つに記載のヘアブラシであって、前記毛保持面は実質的に円筒状であるヘアブラシ。
【請求項３３】
請求項1〜請求項32の何れか1つに記載のヘアブラシであって、前記植毛領域の毛の大部分において、毛の長さと毛幅との比率は少なくとも3であるヘアブラシ。
【請求項３４】
請求項1〜請求項33の何れか1つに記載のヘアブラシであって、植毛領域の毛の大部分において、毛の長さと毛幅との比率は多くとも20であるヘアブラシ。
【請求項３５】
請求項1〜請求項34の何れか1つに記載のヘアブラシであって、前記植毛領域の毛の大部分において、毛の長さと毛幅との比率は、少なくとも5であり、多くとも10であるヘアブラシ。
【請求項３６】
請求項1〜請求項35の何れか1つに記載のヘアブラシであって、前記植毛領域の毛のうち少なくとも80％の高さは、少なくとも6mmであるヘアブラシ。
【請求項３７】
請求項1〜請求項36の何れか1つに記載のヘアブラシであって、植毛領域の毛のうち少なくとも80％の高さは、多くとも20mmであるヘアブラシ。
【請求項３８】
請求項1〜請求項37の何れか1つに記載のヘアブラシであって、高さ標準偏差と平均高さとの比率は、少なくとも0.075であるヘアブラシ。
【請求項３９】
請求項1〜請求項38の何れか1つに記載のヘアブラシであって、前記内側領域の毛のうち少なくとも80％の太さは、少なくとも0.7mmであるヘアブラシ。
【請求項４０】
請求項1〜請求項8の何れか1つに記載のヘアブラシであって、内側領域の毛のうち少なくとも80％の太さは、少なくとも0.85mmであるヘアブラシ。
【請求項４１】
請求項1〜請求項9の何れか1つに記載のヘアブラシであって、内側領域の毛のうち少なくとも80％の太さが少なくとも0.75mm、及び/又は多くとも2.5mmであるヘアブラシ。
【請求項４２】
請求項1に記載のヘアブラシであって、
i)前記植毛領域はさらに、毛幅標準偏差と毛幅平均との比率は、少なくとも0.07であり、前記植毛領域の毛において、平均して、前記領域の丈のある毛は、丈のない毛よりも太くなるような毛の高さと毛の太さとに正相関がある幅のばらつき特性を有しており、
ii)前記植毛領域の毛はそれぞれ毛保持面の対応する局所平面に対して実質的に垂直に植設されるヘアブラシ。
【請求項４３】
請求項42に記載のヘアブラシであって、前記植毛領域の毛は実質的に一定の密度で毛保持面に植設されるヘアブラシ。
【請求項４４】
請求項42に記載のヘアブラシであって、前記植毛領域の高さの範囲は、実質的に約3.5mm〜約16mmであるヘアブラシ。
【請求項４５】
請求項42に記載のヘアブラシであって、前記植毛領域の毛は、少なくとも4本の毛/cm2である実質的に一定の密度で毛保持面に植設されるヘアブラシ。
【請求項４６】
請求項45に記載のヘアブラシであって、前記植毛領域の毛は実質的に一定の密度で毛保持面に植設されるヘアブラシ。
【請求項４７】
請求項45に記載のヘアブラシであって、前記植毛領域の高さの範囲は、実質的に約3.5mm〜約16mmであるヘアブラシ。
【請求項４８】
請求項42に記載のヘアブラシであって、前記植毛領域はさらに、毛幅標準偏差と毛幅平均との比率が少なくとも0.07であり、前記植毛領域の毛において、平均して、前記植毛領域内の丈のある毛は丈のない毛よりも太くなるような毛の高さと毛の太さとに正相関がある幅のばらつき特性を有するヘアブラシ。
【請求項４９】
毛保持面と、前記毛保持面に植設された少なくとも100本の毛を有する植毛領域とを有し、前記毛の幅は、実質的に不規則にばらつき、前記毛保持面における前記毛の位置からは実質的に独立しているヘアブラシであって、前記植毛領域は、
(i)少なくとも5つの高さが有意に互いに異なる高さ特性と、
(ii)毛幅標準偏差と毛幅平均との比率が少なくとも0.07である幅のばらつき特性と、
(iii)前記植毛領域の毛のうち少なくとも80％が少なくとも0.5mmの幅を有する幅特性と、
(iv)前記毛のうち少なくとも60％が丸い端部を有する毛端部特性とを有するヘアブラシ。
【請求項５０】
請求項49に記載のヘアブラシであって、前記植毛領域の毛において、平均して、前記領域の丈のある毛が丈のない毛よりも太くなるような毛の高さと毛の太さとに正相関があるヘアブラシ。
【請求項５１】
請求項49に記載のヘアブラシであって、前記植毛領域の毛が、それぞれ前記毛保持面の対応する局所平面に対して実質的に垂直に植設されるヘアブラシ。
【請求項５２】
請求項50に記載のヘアブラシであって、前記植毛領域の毛が、それぞれ前記毛保持面の対応する局所平面に対して実質的に垂直に植設されるヘアブラシ。
【請求項５３】
請求項49〜請求項52の何れか1つに記載のヘアブラシであって、前記毛のうち少なくとも80％が5mm〜20mmの高さを有するヘアブラシ。
【請求項５４】
請求項53に記載のヘアブラシであって、前記植毛領域の高さ標準偏差と平均高さとの比率が少なくとも0.075であるヘアブラシ。
【請求項５５】
請求項49〜請求項52の何れか1つに記載のヘアブラシであって、前記領域における平均の毛の太さが0.85mmを上回るヘアブラシ。
【請求項５６】
請求項49〜請求項52の何れか1つに記載のヘアブラシであって、前記領域における毛のうち少なくとも80％が1mm〜2mmの太さを有するヘアブラシ。
【請求項５７】
請求項49〜請求項52の何れか1つに記載のヘアブラシであって、毛幅標準偏差と毛幅平均との比率は、少なくとも0.12であるヘアブラシ。
【請求項５８】
請求項49〜請求項57の何れか1つに記載のヘアブラシであって、前記植毛領域の毛の大部分において、毛の長さと毛幅との比率は、少なくとも5であり、多くとも10であるヘアブラシ。
【請求項５９】
毛保持面と、前記毛保持面に個々に植設された少なくとも100本の毛を有する植毛領域とを有し、前記毛の高さが実質的に不規則にばらつき、前記毛保持面における毛の位置からは実質的に独立しているヘアブラシであって、前記植毛領域は、
(i)少なくとも5つの高さが有意に互いに異なる高さ特性と、
(ii)前記植毛領域の毛のうち少なくとも80％は、少なくとも0.5mmの幅を有する幅特性と、
(iii)前記毛のうち少なくとも60％が丸い端部を有する毛端部特性と有する特性を有するヘアブラシ。
【請求項６０】
毛保持面と、前記毛保持面に個々に植設された少なくとも100本の毛を有する植毛領域とを有しており、前記植毛領域の毛の端部にて規定される先端部面は、ふぞろいで実質的に不規則な形状であるヘアブラシであって、前記植毛領域は、
(i)少なくとも5つの高さが有意に互いに異なる高さ特性と、
(ii)前記植毛領域の毛のうち少なくとも80％は少なくとも0.5mmの幅を有する幅特性と、
(iii)前記毛の少なくとも60％が丸い端部を有する毛端部特性との特性を有するヘアブラシ。
【請求項６１】
毛保持面と、前記毛保持に個々に植設された少なくとも100本の毛を有する植毛領域とを有しており、前記植毛領域の平均高さはHEIGHT＿AVGとして定義され、前記植毛領域の高さ標準偏差はHEIGHT＿SDとして定義されるヘアブラシであって、前記植毛領域は、高さ特性、幅特性、及び毛端部特性を有しており、
(i)前記幅特性に基づき、前記領域の毛のうち少なくとも80％は、少なくとも0.5mmの幅を有しており、
(ii)前記毛端部特性に基づき、前記領域内の毛のうち少なくとも60％が丸い端部を有しており、
(iii)前記高さ特性に基づき、
A)前記植毛領域は、有意に互いに異なる少なくとも5つの高さを有しており、
B)前記植毛領域は、前記植毛領域の合計の毛の本数の少なくとも10％である本数を有する少なくとも1つの高さ外れ値部分(HOS)を含み、前記高さ外れ値部分HOSは、
C)毛の高さがHEIGHT＿AVGとHEIGHT＿SDとの合計を上回る非常に丈のある毛(VTB)の毛部分と、
D)毛の高さがHEIGHT＿AVGとHEIGHT＿SDとの差異を下回る非常に丈のない毛(VSB)の毛部分からなる群から選択されて、
前記植毛領域全体への植設と少なくとも1つの高さ外れ値部分HOSへの植設との対比があるように、また、前記植毛領域の毛全体は実質的に一定の密度で前記毛保持面における特定区域SA内に植設される一方、前記高さ外れ値部分HOSの毛は、前記特定区域SA内のふぞろいで非周期的な位置に植設されるように、前記植毛領域の毛が前記毛保持面に個々に植設されるヘアブラシ。
【請求項６２】
請求項49〜請求項58の何れか1つに記載のヘアブラシであって、前記毛は、前記毛保持面に個々に植設されたヘアブラシ。
【請求項６３】
毛保持面と、前記毛保持面に植設された少なくとも100本の毛を有する植毛領域とを有しており、前記毛は、別々の柔軟性を有する様々な材料にて構成され、それぞれの毛は対応する材料にて構成され、それぞれの毛の毛材の柔軟性は実質的に不規則にばらついており、前記毛保持面における毛の位置からは実質的に独立しているヘアブラシであって、前記植毛領域は、
(i)前記毛のうち少なくとも70％は、5mm〜25mmの高さを有し、
(ii)前記植毛領域の高さ標準偏差と平均高さとの比率は、少なくとも0.075であり、
(iii)別々の毛の毛材の柔軟性のばらつきは、毛幅標準偏差と毛幅平均との比率が少なくとも0.07である場合に取得できる前記領域の平均高さである固定高さに対する毛の柔軟性のばらつきと同等であり、
(iv)前記植毛領域の毛のうち少なくとも80％は、少なくとも0.5mmの幅である幅特性と、
(v)前記毛のうち少なくとも60％が丸い端部を有する毛端部特性とを有するヘアブラシ。
【請求項６４】
請求項63に記載のヘアブラシであって、毛のうち少なくとも90％は、高さ5mm〜25mmであるヘアブラシ。
【請求項６５】
請求項63又は請求項64に記載のヘアブラシであって、高さ標準偏差と前記植毛領域の平均高さは、少なくとも0.12であるヘアブラシ。
【請求項６６】
請求項63〜請求項65の何れか1つに記載のヘアブラシであって、別々の毛内の毛材の柔軟性のばらつきは、毛幅標準偏差と毛幅平均との比率が少なくとも0.07である場合に取得できる前記領域の平均高さである固定高さに対する毛の柔軟性のばらつきと同等であるヘアブラシ。
【請求項６７】
請求項1〜請求項66の何れか1つに記載のヘアブラシであって、前記植毛領域は、実質的に平らな表面に設けられるヘアブラシ。
【請求項６８】
請求項1〜請求項66の何れか1つに記載のヘアブラシであって、前記植毛領域は、実質的に円筒状表面に設けられるヘアブラシ。
【請求項６９】
請求項1〜請求項68の何れか1つに記載のヘアブラシであって、少なくとも、毛保持表面の毛で覆われた部分の少なくとも50％である被覆部の大部分は、1つ以上の不規則な又は準不規則な高さ特性、不規則な又は準不規則な幅特性、及び不規則な又は準不規則な材料の柔軟性特性とを有する植毛領域にて覆われているヘアブラシ。
【請求項７０】
請求項69に記載のヘアブラシであって、前記被覆部の大部分は、少なくとも60％、少なくとも70％、少なくとも90％、及び少なくとも95％から選択された大きさでの実質的に大部分であるヘアブラシ。
【請求項７１】
請求項1〜請求項70の何れか1つに記載のヘアブラシであって、前記植毛領域において、前記領域の毛の最も丈のある20％がH1と示された平均高さとT1と示された平均太さとを有しており、前記領域の毛の最も丈のない20％は、H2と示された平均高さとT2と示された平均太さとを有しており、T1とT2との比率は少なくとも1.1であるヘアブラシ。
【請求項７２】
請求項71に記載のヘアブラシであって、T1とT2との比率は、少なくとも1.2であるヘアブラシ。
【請求項７３】
請求項71に記載のヘアブラシであって、T1とT2との比率は、少なくとも1.3であるヘアブラシ。
【請求項７４】
請求項1〜請求項73の何れか1つに記載のヘアブラシであって、H1とH2との比率は、少なくとも1.3であり、及び/又は多くとも2であるヘアブラシ。
【手続補正３】
【補正対象書類名】図面
【補正対象項目名】図１６Ａ
【補正方法】削除
【補正の内容】
【手続補正４】
【補正対象書類名】図面
【補正対象項目名】図１６Ｂ
【補正方法】削除
【補正の内容】
【手続補正５】
【補正対象書類名】図面
【補正対象項目名】図１７
【補正方法】削除
【補正の内容】
【手続補正６】
【補正対象書類名】図面
【補正対象項目名】図１８
【補正方法】削除
【補正の内容】
【国際調査報告】
2013507199.tif 000039
2013507199.tif 000040
2013507199.tif 000041